(57)【要約】【課題】  出芽酵母CHD1クロモドメインの製造方法及び核磁気共鳴スペクトルを提供する。【解決手段】  出芽酵母CHD1のクロモドメインの核磁気共鳴スペクトルの全部又は一部を利用して、出芽酵母CHD1のクロモドメインと被験物質との相互作用の有無、位置及び／又は強さを決定する方法。配列番号２，４又は６のいずれかに記載のアミノ酸配列を含む出芽酵母CHD1のクロモドメイン又はその変異体の製造方法であって、配列番号２，４又は６のいずれかに記載のアミノ酸配列を含む出芽酵母CHD1のクロモドメイン又はその変異体をコードするＤＮＡで形質転換した宿主を培養し、培養物から前記クロモドメイン又はその変異体を採取し、採取した前記クロモドメイン又はその変異体を約0.5mM以下の濃度にてゲル濾過することを含む前記の方法。【選択図】  図１５
2006125890.tif 000002
【特許請求の範囲】
【請求項１】
出芽酵母CHD1のクロモドメインの核磁気共鳴スペクトルの全部又は一部を利用して、出芽酵母CHD1のクロモドメインと被験物質との相互作用の有無、位置及び／又は強さを決定する方法。
【請求項２】
出芽酵母CHD1のクロモドメインの核磁気共鳴スペクトルが、出芽酵母CHD1の15N標識されたクロモドメインの1H-15N HSQCスペクトルである請求項１記載の方法。
【請求項３】
出芽酵母CHD1の15N標識されたクロモドメインの1H-15N HSQCスペクトルを用意する第一工程、出芽酵母CHD1の15N標識されたクロモドメインと非標識の被験物質を混合する第二工程、第二工程で得られた混合物の1H-15N HSQCスペクトルを得る第三工程、第一工程で用意した1H-15N HSQCスペクトルの全部又は一部と第三工程で得られた1H-15N HSQCスペクトルの全部又は一部とを比較して、化学シフト及び／又はシグナル強度の相違を調べ、その相違に基づいて、出芽酵母CHD1のクロモドメインと被験物質との相互作用の有無、位置及び／又は強さを決定する第四工程を含む請求項２記載の方法。
【請求項４】
配列番号２，４又は６のいずれかに記載のアミノ酸配列を含む出芽酵母CHD1のクロモドメイン又はその変異体の製造方法であって、配列番号２，４又は６のいずれかに記載のアミノ酸配列を含む出芽酵母CHD1のクロモドメイン又はその変異体をコードするＤＮＡで形質転換した宿主を培養し、培養物から前記クロモドメイン又はその変異体を採取し、採取した前記クロモドメイン又はその変異体を約0.5mM以下の濃度にてゲル濾過することを含む前記の方法。
【発明の詳細な説明】
【技術分野】
【０００１】
本発明は、出芽酵母CHD1クロモドメインの製造方法及びその核磁気共鳴スペクトルの利用に関する。
【背景技術】
【０００２】
真核生物では、DNAはヒストンタンパクに巻きついてヌクレオソームを形成し、これを基本単位として11nm fiber、 30nm fiber、さらなる高次構造を形成しクロマチン構造を構築している（図１A、B）。このように高度にパッキングされた状態のDNAから遺伝情報を取り出すためには転写因子等が接触可能な状態に、少なくともその一部分が開かれる必要がある（図１C）。また、適切な時期に元の閉じた状態に戻らなければならない。このようにクロマチンでは常にダイナミックな構造変換（クロマチンリモデリング）が行われている。クロマチンリモデリングの機構については長い間不明であったが、ここ最近の数多くの研究により急速に明らかにされてきている(非特許文献１)。クロマチンリモデリングに関与するタンパク質因子はその作用機序の違いから２つに大別される。１つはATPに依存してクロマチン構造を変化させるタイプであり、Swi/snf, NURFなどがこれに入る。２つ目のタイプは、ヒストンのN末端領域（テール）の化学修飾を触媒するタイプであり、Histone Acethyltransferase (HAT)、Histone deacethyltransferase (HDAC)、Histone methyltransferase (HMT)などが属す。本発明者らが研究対象としている出芽酵母CHD1は、Chromoドメイン, SNF2-related Helicase/ATPase ドメイン, DNA 結合ドメインの各頭文字をとって名付けられた。名前が示すように、明確な３つの機能ドメインをもつ（図２A）。以下、１つ目のクロモドメインをCD1ドメイン、２つ目をCD2ドメインと呼ぶ。CHD1はHelicase/ATPaseドメインを有することから、ATP依存的にクロマチン構造を変化させるタイプのクロマチンリモデリング因子に属するが、ヒストンのN末端テールの化学修飾（HMTによりメチル化されたLys残基）を認識する働きをもつクロモドメインを有することから、ヒストンのN末端テールの化学修飾を触媒するタイプのクロマチンリモデリングタンパク質との密接な関係も示唆される(非特許文献２)。
【０００３】
クロモドメインはクロマチンの凝縮の過程に関与するドメインとして認識されてきた。例えば、クロモドメインをもつタンパク質として最も研究が進んでいるヘテロクロマチンタンパク質HP1はヘテロクロマチンの維持に重要な働きをもつ(非特許文献３)。また、ショウジョウバエ Polycombはヘテロクロマチンの形成に関与することによりホメオティック遺伝子発現の抑制に寄与していることが知られている（非特許文献４）ことから、クロマチンを硬く閉ざした状態にすることで転写などを抑制する働きをもつドメインとして考えられてきた。しかしながら、転写が活性な脱凝縮した領域にも局在するクロモドメインタンパク質も存在することから、ヘテロクロマチン構造維持という限定された働きをもつドメインではなく、現在では多様な機能に関与するドメインとして、ヒストンテールのメチル化された特定のLys残基を認識し結合するモジュールとして知られている。ここで特定のLys残基と述べたが、クロモドメインの基質特性はヒストンコード説との関わり合いを考える上で出非常に興味深い。ヒストンコード説とは、ヒストンのN末端テールに施される化学修飾（アセチル化、リン酸化、メチル化、ユビキチン化、ポリADPリボシル化等）が、連続的に、あるいはいくつか組み合わされて暗号（ヒストンコード）となり、特定のタンパク質に翻訳され、下流の生命事象を規定するというものである（図１D）。ここ最近の研究によりCHD1はクロマチンリモデリングを通じて転写を活性化する機能をもつことが示された(非特許文献５)。しかし、２つのクロモドメイン、CD1、CD2の役割についてはほとんどわかっていない。それぞれのクロモドメインが本当にメチル化されたLysを認識するのか、認識するのであれば、どのヒストンの、どこのLys残基をターゲットとしているのかなどの知見は全く得られていない。また立体構造についてもCHDファミリーを通じて１つも解かれていない。クロモドメインの基質認識機構を立体構造に基づいて解明することは大変重要である。もしヒストンのメチル化Lys残基を認識するのであれば、転写活性化を規定する新たなヒストンコードを発見したことになる。また、クロモドメインはCHDファミリーを含む多くのタンパク質に高く保存されているが、僅かなアミノ酸残基の違いで機能を定義していることが予想され、構造と機能に基づいた精度の高い分類も可能となるであろう。
【０００４】
【非特許文献１】Felsenfeld, G. and Groudine, M. Nature, 2003, 421, 448-453
【非特許文献２】Delmas, V et al., Proc. Natl. Acad. Sci. USA 1993, 90, 2414-2418
【非特許文献３】Eissenberg, JC., Elgin, SC., 2000 Curr.Opin.Genet.Dev.10, 204-210
【非特許文献４】Franke A et al., 1992 EMBO J. 8, 2941-2950
【非特許文献５】Simic, R. et al., EMBO J, 2003, 22, 1846-1856
【発明の開示】
【発明が解決しようとする課題】
【０００５】
よって、本発明者らは、出芽酵母CHD1の２つのクロモドメインCD1、CD2の構造と機能の相関、特に基質認識機構を原子レベルで解明することを目指した。
【課題を解決するための手段】
【０００６】
本発明者らは、出芽酵母CHD1の２つのクロモドメインCD1及びCD2を調製し、その核磁気共鳴(NMR)を測定することに成功した。その結果、CD1及びCD2の立体構造を解析することができた。本発明は、これらの知見に基づいて、完成されたものである。
【０００７】
本発明の要旨は以下の通りである。
【０００８】
（１）  出芽酵母CHD1のクロモドメインの核磁気共鳴スペクトルの全部又は一部を利用して、出芽酵母CHD1のクロモドメインと被験物質との相互作用の有無、位置及び／又は強さを決定する方法。
【０００９】
（２）  出芽酵母CHD1のクロモドメインの核磁気共鳴スペクトルが、出芽酵母CHD1の15N標識されたクロモドメインの1H-15N HSQCスペクトルである（１）記載の方法。
【００１０】
（３）  出芽酵母CHD1の15N標識されたクロモドメインの1H-15N HSQCスペクトルを用意する第一工程、出芽酵母CHD1の15N標識されたクロモドメインと非標識の被験物質を混合する第二工程、第二工程で得られた混合物の1H-15N HSQCスペクトルを得る第三工程、第一工程で用意した1H-15N HSQCスペクトルの全部又は一部と第三工程で得られた1H-15N HSQCスペクトルの全部又は一部とを比較して、化学シフト及び／又はシグナル強度の相違を調べ、その相違に基づいて、出芽酵母CHD1のクロモドメインと被験物質との相互作用の有無、位置及び／又は強さを決定する第四工程を含む（２）記載の方法。
【００１１】
（４）  配列番号２，４又は６のいずれかに記載のアミノ酸配列を含む出芽酵母CHD1のクロモドメイン又はその変異体の製造方法であって、配列番号２，４又は６のいずれかに記載のアミノ酸配列を含む出芽酵母CHD1のクロモドメイン又はその変異体をコードするＤＮＡで形質転換した宿主を培養し、培養物から前記クロモドメイン又はその変異体を採取し、採取した前記クロモドメイン又はその変異体を約0.5mM以下の濃度にてゲル濾過することを含む前記の方法。
【００１２】
本明細書において、「クロモドメイン」とは、クロマチンリモデリング因子であるヘテロクロマチンタンパク質HP1やPolycombなどに認められた約60アミノ酸残基からなる高く保存されたドメインをいう。出芽酵母CHD1のクロモドメインには、CD1、CD2の他、CD3（CD1の領域とCD2の領域を含むもの）が含まれるものとする。CD1は構造多型性をもつ。CD1の構造多型性は、CD1内の２つのCys残基（例えば、CD1が配列番号２のアミノ酸配列からなる場合、36Cysと75Cysの酸化還元状態（S-S結合形成）に起因することを本発明者らは見出した。
【００１３】
「核磁気共鳴」とは、核スピンがゼロでない水素や炭素同位体などの原子核を強い磁場の中に置いた時に2つのエネルギー状態に分かれるが、このエネルギー差に相当する電磁波を当てた際に共鳴現象が起きて電磁波が吸収される現象をいう．
「核磁気共鳴スペクトル」とは、横軸に共鳴周波数を、縦軸に共鳴の強さを取ったものをいう。
【００１４】
「1H-15N HSQCスペクトル」とは、水素原子（1H）と単結合で結ばれた窒素原子（15N）間の化学シフト相関をつける２次元ＮＭＲスペクトルをいう。
【００１５】
「HSQCスペクトル」とは、水素原子と単結合で結ばれている原子核（例えば、炭素、窒素など）間の化学シフト相関をつける２次元ＮＭＲスペクトルをいう。
【００１６】
「化学シフト」とは、同一の核種であっても核の化学的環境が異なるために、ＮＭＲの共鳴線が別々の位置に観測される現象をいう。
【００１７】
「相互作用」とは、２つ以上の物体（例えば、原子、分子）の間に力が働きあうことをいう。相互作用としては、親水性の相互作用（例えば、水素結合、塩橋）、疎水性の相互作用（例えば、疎水結合）、静電相互作用、ファンデルワールス相互作用などを例示することができる。
【発明の効果】
【００１８】
本発明により、出芽酵母CHD1のクロモドメインを大量に製造することができるようになった。
【００１９】
また、本発明により、出芽酵母CHD1のクロモドメインのNMRスペクトルを利用できるようになった。これにより、出芽酵母CHD1のクロモドメインと相互作用する物質をスクリーニングすることができるようになった。出芽酵母CHD1のクロモドメインとの相互作用の有無、位置や強さも決定できるようになった。さらに、出芽酵母CHD1のクロモドメインの立体構造も解明された。
【発明を実施するための最良の形態】
【００２０】
以下、本発明をより詳細に説明する。
【００２１】
１．出芽酵母CHD1のクロモドメインの製造方法
本発明は、配列番号２，４又は６のいずれかに記載のアミノ酸配列を含む出芽酵母CHD1のクロモドメイン又はその変異体の製造方法であって、配列番号２，４又は６のいずれかに記載のアミノ酸配列を含む出芽酵母CHD1のクロモドメイン又はその変異体をコードするＤＮＡで形質転換した宿主を培養し、培養物から前記クロモドメイン又はその変異体を採取し、採取した前記クロモドメイン又はその変異体を約0.5mM以下の濃度にてゲル濾過することを含む前記の方法を提供する。
【００２２】
配列番号２，４又は６のいずれかに記載のアミノ酸配列を含む出芽酵母CHD1のクロモドメインとしては、配列番号２のアミノ酸配列からなるタンパク質、配列番号４のアミノ酸配列からなるタンパク質及び配列番号６のアミノ酸配列からなるタンパク質の他、それらのタンパク質にアミノ酸、ペプチド、タンパク質などが結合したものを挙げることができる。例えば、配列番号２のアミノ酸配列からなるタンパク質、配列番号４のアミノ酸配列からなるタンパク質及び配列番号６のアミノ酸配列からなるタンパク質に、タグとなるペプチドやタンパク質が結合したものを挙げることができる。タグとしては、Hisタグ、HAタグ、FLAGタグなどを例示することができる。
【００２３】
配列番号２，４又は６のいずれかに記載のアミノ酸配列を含む出芽酵母CHD1のクロモドメインの変異体としては、配列番号２，４又は６のいずれかに記載のアミノ酸配列において、１若しくは数個のアミノ酸が欠失、置換若しくは付加されたアミノ酸配列を有し、かつ出芽酵母CHD1のクロモドメインと同じ生物学的活性を有するタンパク質を挙げることができる。上記の変異体としては、出芽酵母以外の生物（例えば、ヒト、マウス、ショウジョウバエ、分裂酵母など）に由来するホモログ、配列番号２、４及び６のアミノ酸配列のN末端（すなわち、1位）にメチオニンが付加したアミノ酸配列を有するタンパク質、配列番号２、４及び６のアミノ酸配列のC末端に２個以上の余分なアミノ酸残基が付加したアミノ酸配列、Hisタグなどの余分なアミノ酸配列が付加したアミノ酸配列を有するタンパク質などを例示することができる。
【００２４】
配列番号２，４又は６のいずれかに記載のアミノ酸配列を含む出芽酵母CHD1のクロモドメイン又はその変異体は、例えば、後述の実施例１に記載のようにして、出芽酵母CHD1のクロモドメイン又はその変異体をコードするＤＮＡを得、得られたＤＮＡを適当な発現ベクターに組み込んだ後、適当な宿主に導入し、組換え蛋白質として生産させることにより、製造することができる。
【００２５】
配列番号２，４又は６のいずれかに記載のアミノ酸配列を含む出芽酵母CHD1のクロモドメイン又はその変異体をコードするＤＮＡは、配列番号２，４又は６のいずれかのアミノ酸配列を含む出芽酵母CHD1のクロモドメイン又はその変異体をコードする塩基配列を含有するものであればいかなるものであってもよい。配列番号２，４又は６のいずれかに記載のアミノ酸配列を含む出芽酵母CHD1のクロモドメインとしては、配列番号２のアミノ酸配列からなるCD1、配列番号４のアミノ酸配列からなるCD2、配列番号６のアミノ酸配列からなるCD3を挙げることができ、CD1、CD2及びCD3をコードするＤＮＡとしては、それぞれ、配列番号１、３及び５の塩基配列を有するＤＮＡを挙げることができる。
【００２６】
配列番号２，４又は６のいずれかに記載のアミノ酸配列を含む出芽酵母CHD1のクロモドメイン又はその変異体をコードするＤＮＡは、例えば、以下のようにして調製することができる。
【００２７】
完全長の出芽酵母CHD1遺伝子が挿入されたプラスミドベクターを鋳型とし、制限酵素認識配列、開始コドン及びCD1の5’配列の一部からなるフォワードプライマーと制限酵素認識配列、終止コドン及びCD1の3’配列の一部からなるリバースプライマーを用いて、CD1をコードする遺伝子をPCR法により増幅、単離、調製する。CD2、CD3をコードするDNAについても同様に調製する。
【００２８】
配列番号２，４又は６のいずれかに記載のアミノ酸配列を含む出芽酵母CHD1のクロモドメイン又はその変異体をコードするＤＮＡを含有する組換えベクターは、公知の方法（例えば、Molecular Cloning２nd Edition, J. Sambrook et al., Cold Spring Harbor Lab. Press, 1989に記載の方法）により、配列番号２，４又は６のいずれかに記載のアミノ酸配列を含む出芽酵母CHD1のクロモドメイン又はその変異体をコードするＤＮＡを適当な発現ベクターに挿入することにより得られる。
【００２９】
発現ベクターとしては、大腸菌由来のプラスミド（例、ｐＢＲ３２２，ｐＢＲ３２５，ｐＵＣ１２，ｐＵＣ１３）、枯草菌由来のプラスミド（例、ｐＵＢ１１０，ｐＴＰ５，ｐＣ１９４）、酵母由来プラスミド（例、ｐＳＨ１９，ｐＳＨ１５）、λファージなどのバクテリオファージ、レトロウイルス，ワクシニアウイルスなどの動物ウイルス、バキュロウイルスなどの昆虫病原ウイルスなどを用いることができる。
【００３０】
発現ベクターには、プロモーター、エンハンサー、スプライシングシグナル、ポリＡ付加シグナル、選択マーカー、SV40複製オリジン、タグをコードするＤＮＡなどを付加してもよい。
【００３１】
また、発現ベクターは、融合タンパク質発現ベクターであってもよい。種々の融合タンパク質発現ベクターが市販されており、pGEXシリーズ（アマシャムファルマシアバイオテク社）、pET CBD Fusion System 34b-38b（Novagen社）、pET Dsb Fusion Systems 39b and 40b（Novagen社）、pET GST Fusion System 41 and 42（Novagen社）などを例示することができる。
【００３２】
配列番号２，４又は６のいずれかに記載のアミノ酸配列を含む出芽酵母CHD1のクロモドメイン又はその変異体をコードするＤＮＡを含有する組換えベクターを宿主に導入することにより、形質転換体を得ることができる。
【００３３】
宿主としては、細菌細胞（例えば、エシェリヒア属菌、バチルス属菌、枯草菌など）、真菌細胞（例えば、酵母、アスペルギルスなど）、昆虫細胞（例えば、S2細胞、Sf細胞など）、動物細胞（例えば、CHO細胞、COS細胞、HeLa細胞、C127細胞、3T3細胞、BHK細胞、HEK293細胞など）、植物細胞などを例示することができる。
【００３４】
組換えベクターを宿主に導入するには、Molecular Cloning２nd Edition, J. Sambrook et al., Cold Spring Harbor Lab. Press, 1989に記載の方法（例えば、リン酸カルシウム法、DEAE-デキストラン法、トランスベクション法、マイクロインジェクション法、リポフェクション法、エレクロトポレーション法、形質導入法、スクレープローディング法、ショットガン法など）または感染により行うことができる。
【００３５】
形質転換体を培地で培養し、培養物から配列番号２，４又は６のいずれかに記載のアミノ酸配列を含む出芽酵母CHD1のクロモドメイン又はその変異体を採取することができる。配列番号２，４又は６のいずれかに記載のアミノ酸配列を含む出芽酵母CHD1のクロモドメイン又はその変異体が培地に分泌される場合には、培地を回収し、その培地から配列番号２，４又は６のいずれかに記載のアミノ酸配列を含む出芽酵母CHD1のクロモドメイン又はその変異体を分離し、精製すればよい。配列番号２，４又は６のいずれかに記載のアミノ酸配列を含む出芽酵母CHD1のクロモドメイン又はその変異体が形質転換された細胞内に産生される場合には、その細胞を溶解し、その溶解物から配列番号２，４又は６のいずれかに記載のアミノ酸配列を含む出芽酵母CHD1のクロモドメイン又はその変異体を分離し、精製すればよい。
【００３６】
配列番号２，４又は６のいずれかに記載のアミノ酸配列を含む出芽酵母CHD1のクロモドメイン又はその変異体にタグが付加したタンパク質の形態で発現される場合には、タグ付きのタンパク質を分離及び精製した後に、トロンビン、FactorXaや酵素（エンテロキナーゼ）などで処理することにより、タグを切断し、目的とする配列番号２，４又は６のいずれかに記載のアミノ酸配列を含む出芽酵母CHD1のクロモドメイン又はその変異体を得ることができる。
【００３７】
配列番号２，４又は６のいずれかに記載のアミノ酸配列を含む出芽酵母CHD1のクロモドメイン又はその変異体の分離及び精製は、公知の方法により行うことができる。公知の分離、精製法としては、塩析や溶媒沈澱法などの溶解度を利用する方法、透析法、限外ろ過法、ゲルろ過法、およびＳＤＳ−ポリアクリルアミドゲル電気泳動法などの分子量の差を利用する方法、イオン交換クロマトグラフィーなどの荷電の差を利用する方法、アフィニティークロマトグラフィーなどの特異的親和性を利用する方法、逆相高速液体クロマトグラフィーなどの疎水性の差を利用する方法、等電点電気泳動法などの等電点の差を利用する方法などが用いられる。
【００３８】
配列番号２，４又は６のいずれかに記載のアミノ酸配列を含む出芽酵母CHD1のクロモドメイン又はその変異体は非常に凝集しやすいため、ゲル濾過で精製するにあたっては、低濃度の溶液にして、ゲル濾過の回数を多くするとよい。より詳細には、例えば、配列番号２，４又は６のいずれかに記載のアミノ酸配列を含む出芽酵母CHD1のクロモドメイン又はその変異体の濃度が約0.5mM以下、好ましくは0.1mM以下となるように、溶媒（例えば、20mM KPB(pH6.8), 300mM NaCl, 5mM 2-mercaptoethanolを含有する水）に溶解した溶液をゲル濾過する操作を4〜13回、好ましくは13〜15回繰り返すとよい。ゲル濾過に用いる溶媒としては、20mM KPB(pH6.8), 300mM NaCl, 5mM 2-mercaptoethanolを含有する水、20mM KPB(pH6.8), 300mM NaCl, 30mM DTTを含有する水などが適当であり、20mM KPB(pH6.8), 300mM NaCl, 30mM DTTを含有する水が好ましい。
【００３９】
さらに、本発明者らは、配列番号２のアミノ酸配列からなる出芽酵母CHD1のクロモドメインCD1が構造多型性を持つことを見出した。その原因を追求すべく、種々の条件（試料濃度、温度、塩濃度、ｐH）検討、およびCβのケミカルシフト値を測定した。その結果、Cys残基の酸化還元状態に起因していることを明らかにした。還元型クロモドメインCD1は、非還元条件下（すなわち、還元剤（例えば、2-mercaptoethanolやDTT等）の非存在下）、微量透析にてNMR緩衝液（20mM KPB(pH6.8), 300mM NaClを含有する重水）に十分に置換した後、終濃度20〜40mMとなるようにd-DTT（重水素化DTT）を加え２週間以上３〜５℃で静置することで調製できる。なお、還元状態の確認はCys残基のCβのケミカルシフトが還元状態を示した試料の1H-15N HSQCスペクトルと一致するかにより確認することができる。酸化型クロモドメインCD1は、非還元条件下（すなわち、還元剤（例えば、2-mercaptoethanolやDTT等）の非存在下）、微量透析にてNMR緩衝液（20mM KPB(pH6.8), 300mM NaClを含有する重水）に十分に置換することで調製できる。なお、酸化状態の確認はCys残基のCβのケミカルシフトが酸化状態を示した試料の1H-15N HSQCスペクトルと一致するかにより確認することができる。
【００４０】
本発明の方法により製造された出芽酵母CHD1のクロモドメインは、出芽酵母CHD1のクロモドメイン、そのホモログとの相互作用部位をターゲットにした医薬品の開発に利用することができる。例えば、様々な疾患において、転写活性の異常が見られるが、これらの転写活性の異常を制御する医薬品候補化合物のスクリーニングに利用することができる。
【００４１】
出芽酵母CHD1のクロモドメインのホモログとしては、CHDファミリー(Woodage, T et al., Proc. Natl. Acad. Sci. USA 1997, 94, 11472-11477)、ヘテロクロマチンタンパク質HP1ファミリー(Eissenberg JC., Elgin SC. 2000, Curr.Opin.Genet.Dev.10, 204-210)、Polycomb群タンパク質（Franke A et al., 1992, EMBO J. 8, 2941-2950）等が知られている。
【００４２】
２．出芽酵母CHD1のクロモドメインと被験物質との相互作用の有無、位置及び／又は強さを決定する方法
本発明は、出芽酵母CHD1のクロモドメインの核磁気共鳴スペクトルの全部又は一部を利用して、出芽酵母CHD1のクロモドメインと被験物質との相互作用の有無、位置及び／又は強さを決定する方法を提供する。
【００４３】
出芽酵母のクロモドメインとしては、配列番号２のアミノ酸配列からなるポリペプチド（CHD1のクロモドメインCD1（酸化型と還元型がある）)、配列番号４のアミノ酸配列からなるポリペプチド（CHD1のクロモドメインCD2)、配列番号５のアミノ酸配列からなるポリペプチド（CHD1のクロモドメインCD3)、ESA1, EAF3, ROM2, YPL226Wのクロモドメインなどを挙げることができる。
【００４４】
出芽酵母CHD1のクロモドメインは、前述の方法により製造することができる。
【００４５】
被験物質は、いかなる物質であってもよく、タンパク質、ペプチド、多糖、オリゴ糖、単糖、低分子化合物、核酸（DNA、RNA、オリゴヌクレオチド、モノヌクレオチドなどを例示することができる。
【００４６】
出芽酵母CHD1のクロモドメインの核磁気共鳴スペクトルとしては、出芽酵母CHD1の15N標識されたクロモドメインの1H-15N HSQCスペクトルが好ましい。
【００４７】
出芽酵母CHD1のクロモドメインの核磁気共鳴スペクトルが、出芽酵母CHD1の15N標識されたクロモドメインの1H-15N HSQCスペクトルである場合、本発明の方法は、出芽酵母CHD1の15N標識されたクロモドメインの1H-15N HSQCスペクトルを用意する第一工程、出芽酵母CHD1の15N標識されたクロモドメインと非標識の被験物質を混合する第二工程、第二工程で得られた混合物の1H-15N HSQCスペクトルを得る第三工程、第一工程で用意した1H-15N HSQCスペクトルの全部又は一部と第三工程で得られた1H-15N HSQCスペクトルの全部又は一部とを比較して、化学シフト及び／又はシグナル強度の相違を調べ、その相違に基づいて、出芽酵母CHD1のクロモドメインと被験物質との相互作用の有無、位置及び／又は強さを決定する第四工程を含むとよい。
【００４８】
出芽酵母CHD1の15N標識されたクロモドメインは、前述の出芽酵母CHD1クロモドメインの製造方法において、出芽酵母CHD1のクロモドメインをコードするポリヌクレオチドを含む発現ベクターを用いて形質転換された宿主細胞を、15Nラベルされた栄養源（例えば、15NH4Clなど）を用いて、培養することによって、調製することができる。
【００４９】
0.3〜0.5 mMの出芽酵母CHD1のクロモドメイン（例えば、15N標識されたクロモドメイン）を緩衝液に溶解した試料を調製し、市販のNMR装置（例えば、AVANCE800,600,500（Bruker社）など）を用いて、核磁気共鳴スペクトル（例えば、1H-15N HSQCスペクトル）を得ることができる。出芽酵母CHD1のクロモドメイン（例えば、15N標識されたクロモドメイン）を溶解する緩衝液としては、以下の組成からなるものを挙げることができる。
【００５０】
・20mM KPB(pH6.8)、300mM NaCl、10% or 100% D2O (30mM d-DTT添加・無添加)
・10mM KPB(pH6.8)、20mM NaCl、10% D2O (30mM d-DTT添加・無添加)
出芽酵母CHD1の15N標識されたクロモドメインの1H-15N HSQCスペクトルとしては、図１５〜１９に示すスペクトルを例示することができる。
【００５１】
図１５は、出芽酵母CHD1の15N標識されたクロモドメインCD1（還元型）（配列番号２）の1H-15N HSQCスペクトルを示す。スペクトルは、分光器としてAVANCE 600を用いて、298Kの温度にて、緩衝液（10mM KPB(pH6.8)、20mM NaCl、30mM d-DTT、10% D2O）中に0.1mMの15N標識されたクロモドメインCD1を含む試料から得られたものである。
【００５２】
図１６は、出芽酵母CHD1の15N標識されたクロモドメインCD1（酸化型）（配列番号２）の1H-15N HSQCスペクトルを示す。スペクトルは、分光器としてAVANCE 600を用いて、298Kの温度にて、緩衝液（10mM KPB(pH6.8)、20mM NaCl、10%D2O）中に0.1mMの15N標識されたクロモドメインCD1を含む試料から得られたものである。
【００５３】
図１７は、出芽酵母CHD1の15N標識されたクロモドメインCD2（配列番号４）の1H-15N HSQCスペクトルを示す。スペクトルは、分光器としてAVANCE 600を用いて、293Kの温度にて、緩衝液（10mM KPB(pH6.8)、20mM NaCl、10% D2O）中に0.1mMの15N標識されたクロモドメインCD2を含む試料から得られたものである。
【００５４】
図１８は、出芽酵母CHD1の15N標識されたクロモドメインCD1（還元型）とCD2の領域を含むCD3（配列番号６）の1H-15N HSQCスペクトルを示す。スペクトルは、分光器としてAVANCE 600を用いて、293Kの温度にて、緩衝液（10mM KPB(pH6.8)、20mM NaCl、30mM d-DTT、10%D2O）中に0.1mMのCD3（15N標識されたクロモドメインCD1（還元型）とCD2の領域を含む）を含む試料から得られたものである。
【００５５】
図１９は、出芽酵母CHD1の15N標識されたクロモドメインCD1（酸化型）とCD2の領域を含むCD3（配列番号６）の1H-15N HSQCスペクトルを示す。スペクトルは、分光器としてAVANCE 600を用いて、293Kの温度にて、緩衝液（10mM KPB(pH6.8)、20mM NaCl、10% D2O）中に0.1mMのCD3（15N標識されたクロモドメインCD1（酸化型）とCD2の領域を含む）を含む試料から得られたものである。
【００５６】
出芽酵母CHD1の15N標識されたクロモドメインと非標識の被験物質を混合する第二工程においては、第一工程で用意した1H-15N HSQCスペクトルの測定に用いた試料と同じものに非標識被験物質を添加するとよい。非標識被験物質は、15N標識クロモドメインと非標識被験物質とのモル比が  １：１〜１：４となるように、15N標識クロモドメインに混合するとよい。
【００５７】
市販のNMR装置（例えば、AVANCE 600（Bruker社）など）を用いて、15N標識クロモドメインと非標識被験物質との混合物試料から、1H-15N HSQCスペクトルを得ることができる。
【００５８】
15N標識クロモドメインの1H-15N HSQCスペクトルの全部又は一部と、15N標識クロモドメインと非標識被験物質との混合物の1H-15N HSQCスペクトルの全部又は一部とを比較して、化学シフト及び／又はシグナル強度の相違を調べ、その相違に基づいて、出芽酵母CHD1のクロモドメインと被験物質との相互作用の有無、位置及び／又は強さを決定することができる。
【００５９】
出芽酵母CHD1のクロモドメインと被験物質との相互作用の有無は、以下のようにして決定することができる。非標識被験物質の混合前後の15N標識クロモドメインの1H-15N HSQCスペクトルにおいて、シグナル強度やケミカルシフトに変化が生じたのであれば相互作用が有りとし、全く変化しないのであれば無いと決定することができる。
【００６０】
出芽酵母CHD1のクロモドメインと被験物質との相互作用の位置は、以下のようにして決定することができる。非標識被験物質の混合前後の15N標識クロモドメインの1H-15N HSQCスペクトルにおいて、シグナル強度やケミカルシフトに変化が生じたシグナルに相当するアミノ酸残基をクロモドメインの立体構造上にマッピングすることによって相互作用の位置を決定することができる。
【００６１】
出芽酵母CHD1のクロモドメインと被験物質との相互作用の強さは、以下のようにして決定することができる。15N標識クロモドメインに対して非標識被験物質の滴定実験を行い、そのときのシグナルのケミカルシフトが滴定に伴って変化してゆくようであれば、速い交換速度、即ち弱い相互作用（解離定数がmM〜μMオーダー）であり、一方で、例えば1:1で結合する場合に、15N標識クロモドメインに対する非標識被験物質の混合比が1:0.5の時に滴定前のシグナル強度が減少し、別の位置に複合体に由来する新たなシグナルが出現し、混合比が1:1の時に滴定前のシグナルが消え、複合体のシグナル強度が増加しこれのみとなった場合は遅い交換速度、即ち強い相互作用（解離定数がμM〜nMオーダー）である。
【００６２】
出芽酵母CHD1のクロモドメインと被験物質との相互作用は、Ｘ線結晶解析法、カロリメトリー法、プラズモン共鳴を利用したBIACORE装置で調べることができる。本発明の方法から得られた結果の妥当性は、これらの方法により確認することができる。
【００６３】
本発明の方法は、出芽酵母CHD1のクロモドメイン、そのホモログとの相互作用部位をターゲットにした医薬品の開発に利用することができる。例えば、様々な疾患において、転写活性の異常が見られるが、これらの転写活性の異常を制御する医薬品候補化合物のスクリーニングに利用することができる。
【００６４】
３．出芽酵母CHD1のクロモドメインの立体構造の利用
本発明は、さらに、出芽酵母CHD1のクロモドメインの立体構造を提供する。出芽酵母CHD1のクロモドメインCD1及びCD2の構造座標をそれぞれ表Ａ及びＢに示す。
【００６５】
表Ａ及びＢの原子座標は、NOESYスペクトルから得られるNOEシグナルの強度から1H間の距離制限情報を、またHNHAスペクトル等から得られる二面角制限情報を入力情報とし、立体構造計算プログラムX-PLOREを用いて、ディスタンスジオメトリー・シュミレーテッドアニーリング法により算出することにより得られた。
【００６６】
表Ａ及び／又はＢの原子座標の全部又は一部を利用することにより、出芽酵母CHD1のクロモドメインCD1又はCD2と配列の相同性（例えば、25〜30％程度の配列相同性）があるタンパク質のモデル構造の構築、出芽酵母CHD1のクロモドメインCD1又はCD2と構造類似性があるタンパク質の機能予測、ドッキングスタディによる被験物質との相互作用の予測などが可能である。これらのことは、当業者であれば、市販あるいは公表されているソフトを用いて行うことができる。
【実施例】
【００６７】
以下、本発明を実施例によって具体的に説明する。なお、これらの実施例は、本発明を説明するためのものであって、本発明の範囲を限定するものではない。
【００６８】
〔実施例１〕
15N標識体及び13C, 15N 標識体の調製
完全長の出芽酵母 CHD1の cDNAが挿入されているプラスミドベクター（pGEX5X-1(Amersham Biosciences)のSmaI/BamHI-blunt(fill in)にCHD1遺伝子を挿入して作製、東京大学  分子細胞生物学研究所  発生分化構造研究分野  堀越正美  教授により提供）を鋳型とし、制限酵素 NdeIの認識部位、開始コドンおよび目的領域の5’領域の一部からなるフォーワードプライマーと制限酵素 BamHIの認識部位、終止コドンおよび目的領域の3’領域の一部からなるリバースプライマーを用いてPCR法により目的遺伝子を増幅、単離する。得られた遺伝子断片およびプラスミドベクター pET15b (NOVAGEN)を制限酵素 NdeIおよび BamHIで処理し、両者を T4 DNA Ligaseにより連結することで発現プラスミドベクター(pETCD1, pETCD2, pETCD3)を作成した。これを大腸菌BL21(DE3)株に導入し形質転換大腸菌を調製した。15N標識体の調製には15NH4Clを含むM9最少培地で、13C, 15N 標識体の調製にはこれに加えて 13C-Glucoseを含むM9最少培地中で大腸菌を培養後、超音波破砕処理し、遠心分離により可溶性タンパク質画分を回収した。これをNiイオンアフィニティーカラム、及び陰イオン交換カラム処理した。トロンビン処理により Hisタグを除去後、再びNiイオンアフィニティーカラム処理し、未吸着画分を回収した。濃縮後、Superdex 30 ゲルろ過カラム処理を行い、溶出画分を濃縮後、微量透析により NMR緩衝液に置換し 15N標識体、及び 13C, 15N 標識体を調製した。
【００６９】
得られた各標識体の収量は以下の通りであった。
【００７０】
15N-CD1       ： 4.0L 培地から約68mg
13C, 15N-CD1  ： 4.0L培地から約120mg 
15N-CD2       ： 4.0L培地から約29mg 
13C, 15N-CD2  ： 3.5L培地から約13mg 
15N-CD3       ： 4.0L培地から約90mg 
【００７１】
〔実施例２〕
CD1ドメインの構造多型性
CD1ドメインでは２つのパターンのNMRシグナルが観測されたことから、構造多型性をもつことが示された（図３A,B）。その原因を追求すべく、種々の条件（試料濃度、温度、塩濃度、ｐH）検討、およびCβのケミカルシフト値を測定した。その結果、Cys残基の酸化還元状態に起因していることを明らかにした（図３B,C,D及び図4A）。この２つのCys残基の保存性をCHDファミリーおよび他のクロモドメインのアライメントから調べたところ、保存性がなく、出芽酵母のみに見られることがわかった（図4B）。核内は還元環境下であること、またCSIで推定された２次構造が還元型と酸化型とではほとんど変わらないことから考えて、CD1ドメインの立体構造解析は還元型を優先することにした。還元型試料は、非還元条件下、微量透析にてNMR緩衝液に十分に置換した後、終濃度30mMとなるようにd-DTTを加え２週間以上４℃で静置することで調製できることを見出した。なお、還元状態の確認は1H-15N HSQCスペクトルより行った。
【００７２】
〔実施例３〕
ＮＭＲ測定
実施例１及び２で調製した試料について、以下の測定条件でＮＭＲ測定を行った。
【００７３】
分光器：AVANCE 800,600,500 
温度  ：298K (CD1ドメイン), 293K(CD2ドメイン)
緩衝液：20mM KPB(pH6.8), 300mM NaCl, 10% or 100% D2O (30mM d-DTT (CD1))
試料  ：0.3〜0.5mM 非標識体、15N、13C,15N安定同位体標識体
測定  ： 表１を参照
【００７４】
【表１】
2006125890.tif 000003
【００７５】
帰属の様子を図５に、CD１およびCD2の帰属結果をそれぞれ表２、３に示す。
【００７６】
【表２】
2006125890.tif 000004
【００７７】
【表３】
2006125890.tif 000005
【００７８】
また、1H-15N HSQCスペクトルを図１５〜１９に示す。
【００７９】
決定したCD2ドメインの構造の統計表を表４に、構造を図６に示す。
【００８０】
【表４】
2006125890.tif 000006
【００８１】
決定したCD１ドメインの構造の統計表を表５に、構造を図７に示す。
【００８２】
【表５】
2006125890.tif 000007
【００８３】
さらに、CD1及びCD2の構造座標をそれぞれ表Ａ及びＢに示す。
【００８４】
〔表Ａ〕
出芽酵母CHD1のクロモドメインCD1の構造座標
ATOM      1  CA  GLN     1       8.178  23.446  -1.037  1.00   .00          
ATOM      2  HA  GLN     1       7.267  23.735   -.536  1.00   .00          
ATOM      3  CB  GLN     1       8.749  24.635  -1.809  1.00   .00          
ATOM      4  HB1 GLN     1       8.768  24.404  -2.864  1.00   .00          
ATOM      5  HB2 GLN     1       9.753  24.838  -1.466  1.00   .00          
ATOM      6  CG  GLN     1       7.871  25.866  -1.576  1.00   .00          
ATOM      7  HG1 GLN     1       8.424  26.601  -1.011  1.00   .00          
ATOM      8  HG2 GLN     1       6.987  25.578  -1.025  1.00   .00          
ATOM      9  CD  GLN     1       7.462  26.464  -2.922  1.00   .00          
ATOM     10  OE1 GLN     1       8.157  26.307  -3.906  1.00   .00          
ATOM     11  NE2 GLN     1       6.354  27.150  -3.008  1.00   .00          
ATOM     12 HE21 GLN     1       5.794  27.277  -2.214  1.00   .00          
ATOM     13 HE22 GLN     1       6.083  27.537  -3.866  1.00   .00          
ATOM     14  C   GLN     1       7.920  22.266  -1.978  1.00   .00          
ATOM     15  O   GLN     1       8.369  22.263  -3.107  1.00   .00          
ATOM     16  N   GLN     1       9.231  23.093   -.041  1.00   .00          
ATOM     17  HT1 GLN     1       9.457  23.928    .535  1.00   .00          
ATOM     18  HT2 GLN     1      10.087  22.774   -.541  1.00   .00          
ATOM     19  HT3 GLN     1       8.885  22.333    .576  1.00   .00          
ATOM     20  N   PRO     2       7.202  21.300  -1.475  1.00   .00          
ATOM     21  CA  PRO     2       6.875  20.095  -2.277  1.00   .00          
ATOM     22  HA  PRO     2       7.763  19.680  -2.726  1.00   .00          
ATOM     23  CB  PRO     2       6.306  19.124  -1.247  1.00   .00          
ATOM     24  HB1 PRO     2       7.082  18.475   -.873  1.00   .00          
ATOM     25  HB2 PRO     2       5.503  18.544  -1.682  1.00   .00          
ATOM     26  CG  PRO     2       5.787  19.991   -.143  1.00   .00          
ATOM     27  HG1 PRO     2       5.876  19.478    .802  1.00   .00          
ATOM     28  HG2 PRO     2       4.753  20.245   -.331  1.00   .00          
ATOM     29  CD  PRO     2       6.631  21.238   -.125  1.00   .00          
ATOM     30  HD2 PRO     2       6.017  22.107    .071  1.00   .00          
ATOM     31  HD1 PRO     2       7.418  21.154    .608  1.00   .00          
ATOM     32  C   PRO     2       5.829  20.429  -3.345  1.00   .00          
ATOM     33  O   PRO     2       5.582  21.579  -3.647  1.00   .00          
ATOM     34  N   GLU     3       5.211  19.431  -3.916  1.00   .00          
ATOM     35  HN  GLU     3       5.424  18.510  -3.656  1.00   .00          
ATOM     36  CA  GLU     3       4.180  19.690  -4.962  1.00   .00          
ATOM     37  HA  GLU     3       4.220  20.719  -5.283  1.00   .00          
ATOM     38  CB  GLU     3       4.549  18.765  -6.122  1.00   .00          
ATOM     39  HB1 GLU     3       3.900  18.963  -6.961  1.00   .00          
ATOM     40  HB2 GLU     3       4.435  17.736  -5.812  1.00   .00          
ATOM     41  CG  GLU     3       6.001  19.016  -6.534  1.00   .00          
ATOM     42  HG1 GLU     3       6.572  18.108  -6.411  1.00   .00          
ATOM     43  HG2 GLU     3       6.421  19.794  -5.913  1.00   .00          
ATOM     44  CD  GLU     3       6.048  19.450  -7.999  1.00   .00          
ATOM     45  OE1 GLU     3       6.799  20.363  -8.302  1.00   .00          
ATOM     46  OE2 GLU     3       5.333  18.862  -8.794  1.00   .00          
ATOM     47  C   GLU     3       2.788  19.350  -4.423  1.00   .00          
ATOM     48  O   GLU     3       1.844  20.094  -4.599  1.00   .00          
ATOM     49  N   ASP     4       2.655  18.229  -3.767  1.00   .00          
ATOM     50  HN  ASP     4       3.430  17.643  -3.637  1.00   .00          
ATOM     51  CA  ASP     4       1.327  17.839  -3.215  1.00   .00          
ATOM     52  HA  ASP     4       1.392  16.885  -2.716  1.00   .00          
ATOM     53  CB  ASP     4        .977  18.932  -2.206  1.00   .00          
ATOM     54  HB1 ASP     4       -.093  18.964  -2.068  1.00   .00          
ATOM     55  HB2 ASP     4       1.321  19.886  -2.577  1.00   .00          
ATOM     56  CG  ASP     4       1.653  18.629   -.868  1.00   .00          
ATOM     57  OD1 ASP     4       1.155  17.771   -.156  1.00   .00          
ATOM     58  OD2 ASP     4       2.656  19.259   -.577  1.00   .00          
ATOM     59  C   ASP     4        .283  17.787  -4.333  1.00   .00          
ATOM     60  O   ASP     4       -.321  18.782  -4.680  1.00   .00          
ATOM     61  N   PHE     5        .066  16.632  -4.895  1.00   .00          
ATOM     62  HN  PHE     5        .564  15.842  -4.598  1.00   .00          
ATOM     63  CA  PHE     5       -.939  16.510  -5.988  1.00   .00          
ATOM     64  HA  PHE     5      -1.542  17.403  -6.047  1.00   .00          
ATOM     65  CB  PHE     5       -.116  16.350  -7.267  1.00   .00          
ATOM     66  HB1 PHE     5        .332  17.297  -7.528  1.00   .00          
ATOM     67  HB2 PHE     5       -.758  16.023  -8.071  1.00   .00          
ATOM     68  CG  PHE     5        .971  15.327  -7.043  1.00   .00          
ATOM     69  CD1 PHE     5       2.148  15.687  -6.376  1.00   .00          
ATOM     70  HD1 PHE     5       2.279  16.698  -6.019  1.00   .00          
ATOM     71  CD2 PHE     5        .801  14.017  -7.506  1.00   .00          
ATOM     72  HD2 PHE     5       -.107  13.741  -8.020  1.00   .00          
ATOM     73  CE1 PHE     5       3.155  14.736  -6.172  1.00   .00          
ATOM     74  HE1 PHE     5       4.063  15.013  -5.657  1.00   .00          
ATOM     75  CE2 PHE     5       1.808  13.066  -7.301  1.00   .00          
ATOM     76  HE2 PHE     5       1.676  12.056  -7.658  1.00   .00          
ATOM     77  CZ  PHE     5       2.985  13.426  -6.635  1.00   .00          
ATOM     78  HZ  PHE     5       3.762  12.692  -6.477  1.00   .00          
ATOM     79  C   PHE     5      -1.822  15.281  -5.752  1.00   .00          
ATOM     80  O   PHE     5      -1.916  14.778  -4.651  1.00   .00          
ATOM     81  N   HIS     6      -2.471  14.794  -6.774  1.00   .00          
ATOM     82  HN  HIS     6      -2.385  15.213  -7.656  1.00   .00          
ATOM     83  CA  HIS     6      -3.345  13.599  -6.597  1.00   .00          
ATOM     84  HA  HIS     6      -3.772  13.589  -5.606  1.00   .00          
ATOM     85  CB  HIS     6      -4.452  13.759  -7.639  1.00   .00          
ATOM     86  HB1 HIS     6      -4.385  12.958  -8.360  1.00   .00          
ATOM     87  HB2 HIS     6      -4.338  14.708  -8.142  1.00   .00          
ATOM     88  CG  HIS     6      -5.791  13.708  -6.956  1.00   .00          
ATOM     89  ND1 HIS     6      -6.972  14.003  -7.619  1.00   .00          
ATOM     90  HD1 HIS     6      -7.059  14.267  -8.559  1.00   .00          
ATOM     91  CD2 HIS     6      -6.151  13.396  -5.669  1.00   .00          
ATOM     92  HD2 HIS     6      -5.466  13.116  -4.882  1.00   .00          
ATOM     93  CE1 HIS     6      -7.978  13.863  -6.735  1.00   .00          
ATOM     94  HE1 HIS     6      -9.018  14.028  -6.971  1.00   .00          
ATOM     95  NE2 HIS     6      -7.532  13.494  -5.532  1.00   .00          
ATOM     96  C   HIS     6      -2.550  12.316  -6.848  1.00   .00          
ATOM     97  O   HIS     6      -2.430  11.856  -7.967  1.00   .00          
ATOM     98  N   GLY     7      -2.006  11.733  -5.815  1.00   .00          
ATOM     99  HN  GLY     7      -2.115  12.119  -4.921  1.00   .00          
ATOM    100  CA  GLY     7      -1.219  10.479  -5.994  1.00   .00          
ATOM    101  HA1 GLY     7       -.309  10.697  -6.530  1.00   .00          
ATOM    102  HA2 GLY     7      -1.806   9.763  -6.552  1.00   .00          
ATOM    103  C   GLY     7       -.871   9.898  -4.623  1.00   .00          
ATOM    104  O   GLY     7      -1.437  10.276  -3.616  1.00   .00          
ATOM    105  N   ILE     8        .056   8.981  -4.574  1.00   .00          
ATOM    106  HN  ILE     8        .502   8.689  -5.396  1.00   .00          
ATOM    107  CA  ILE     8        .437   8.380  -3.264  1.00   .00          
ATOM    108  HA  ILE     8       -.422   8.339  -2.611  1.00   .00          
ATOM    109  CB  ILE     8        .898   6.948  -3.602  1.00   .00          
ATOM    110  HB  ILE     8        .580   6.700  -4.604  1.00   .00          
ATOM    111  CG1 ILE     8        .254   5.980  -2.616  1.00   .00          
ATOM    112 HG11 ILE     8       -.815   5.996  -2.750  1.00   .00          
ATOM    113 HG12 ILE     8        .499   6.285  -1.609  1.00   .00          
ATOM    114  CG2 ILE     8       2.426   6.814  -3.510  1.00   .00          
ATOM    115 HG21 ILE     8       2.885   7.370  -4.311  1.00   .00          
ATOM    116 HG22 ILE     8       2.699   5.773  -3.590  1.00   .00          
ATOM    117 HG23 ILE     8       2.766   7.201  -2.560  1.00   .00          
ATOM    118  CD1 ILE     8        .775   4.562  -2.860  1.00   .00          
ATOM    119 HD11 ILE     8        .260   4.130  -3.705  1.00   .00          
ATOM    120 HD12 ILE     8        .599   3.958  -1.983  1.00   .00          
ATOM    121 HD13 ILE     8       1.835   4.597  -3.065  1.00   .00          
ATOM    122  C   ILE     8       1.554   9.201  -2.611  1.00   .00          
ATOM    123  O   ILE     8       2.582   9.447  -3.209  1.00   .00          
ATOM    124  N   ASP     9       1.371   9.613  -1.388  1.00   .00          
ATOM    125  HN  ASP     9        .541   9.398   -.909  1.00   .00          
ATOM    126  CA  ASP     9       2.439  10.398   -.715  1.00   .00          
ATOM    127  HA  ASP     9       3.006  10.963  -1.434  1.00   .00          
ATOM    128  CB  ASP     9       1.714  11.343    .244  1.00   .00          
ATOM    129  HB1 ASP     9       1.619  10.871   1.210  1.00   .00          
ATOM    130  HB2 ASP     9        .733  11.570   -.145  1.00   .00          
ATOM    131  CG  ASP     9       2.519  12.635    .395  1.00   .00          
ATOM    132  OD1 ASP     9       1.964  13.600    .893  1.00   .00          
ATOM    133  OD2 ASP     9       3.677  12.637    .010  1.00   .00          
ATOM    134  C   ASP     9       3.352   9.447    .051  1.00   .00          
ATOM    135  O   ASP     9       4.562   9.531   -.031  1.00   .00          
ATOM    136  N   ILE    10       2.782   8.537    .794  1.00   .00          
ATOM    137  HN  ILE    10       1.805   8.485    .844  1.00   .00          
ATOM    138  CA  ILE    10       3.622   7.585   1.569  1.00   .00          
ATOM    139  HA  ILE    10       4.502   7.310   1.011  1.00   .00          
ATOM    140  CB  ILE    10       4.014   8.367   2.822  1.00   .00          
ATOM    141  HB  ILE    10       3.140   8.875   3.204  1.00   .00          
ATOM    142  CG1 ILE    10       5.091   9.401   2.488  1.00   .00          
ATOM    143 HG11 ILE    10       4.659  10.198   1.903  1.00   .00          
ATOM    144 HG12 ILE    10       5.888   8.930   1.931  1.00   .00          
ATOM    145  CG2 ILE    10       4.549   7.404   3.884  1.00   .00          
ATOM    146 HG21 ILE    10       5.383   6.850   3.480  1.00   .00          
ATOM    147 HG22 ILE    10       3.767   6.717   4.173  1.00   .00          
ATOM    148 HG23 ILE    10       4.873   7.964   4.748  1.00   .00          
ATOM    149  CD1 ILE    10       5.646   9.979   3.790  1.00   .00          
ATOM    150 HD11 ILE    10       6.517   9.417   4.091  1.00   .00          
ATOM    151 HD12 ILE    10       4.891   9.915   4.560  1.00   .00          
ATOM    152 HD13 ILE    10       5.917  11.012   3.637  1.00   .00          
ATOM    153  C   ILE    10       2.818   6.340   1.970  1.00   .00          
ATOM    154  O   ILE    10       1.669   6.424   2.350  1.00   .00          
ATOM    155  N   VAL    11       3.428   5.189   1.922  1.00   .00          
ATOM    156  HN  VAL    11       4.360   5.144   1.635  1.00   .00          
ATOM    157  CA  VAL    11       2.718   3.946   2.338  1.00   .00          
ATOM    158  HA  VAL    11       1.667   4.012   2.107  1.00   .00          
ATOM    159  CB  VAL    11       3.371   2.820   1.532  1.00   .00          
ATOM    160  HB  VAL    11       4.339   2.586   1.953  1.00   .00          
ATOM    161  CG1 VAL    11       2.481   1.578   1.578  1.00   .00          
ATOM    162 HG11 VAL    11       2.414   1.220   2.595  1.00   .00          
ATOM    163 HG12 VAL    11       2.905    .807    .952  1.00   .00          
ATOM    164 HG13 VAL    11       1.494   1.829   1.219  1.00   .00          
ATOM    165  CG2 VAL    11       3.541   3.270    .078  1.00   .00          
ATOM    166 HG21 VAL    11       4.593   3.327   -.160  1.00   .00          
ATOM    167 HG22 VAL    11       3.089   4.242   -.053  1.00   .00          
ATOM    168 HG23 VAL    11       3.061   2.558   -.577  1.00   .00          
ATOM    169  C   VAL    11       2.933   3.742   3.843  1.00   .00          
ATOM    170  O   VAL    11       3.910   3.159   4.269  1.00   .00          
ATOM    171  N   ILE    12       2.038   4.247   4.648  1.00   .00          
ATOM    172  HN  ILE    12       1.270   4.730   4.279  1.00   .00          
ATOM    173  CA  ILE    12       2.193   4.122   6.129  1.00   .00          
ATOM    174  HA  ILE    12       3.032   4.709   6.465  1.00   .00          
ATOM    175  CB  ILE    12        .900   4.694   6.709  1.00   .00          
ATOM    176  HB  ILE    12        .063   4.101   6.371  1.00   .00          
ATOM    177  CG1 ILE    12        .725   6.140   6.244  1.00   .00          
ATOM    178 HG11 ILE    12       -.092   6.595   6.783  1.00   .00          
ATOM    179 HG12 ILE    12        .510   6.155   5.186  1.00   .00          
ATOM    180  CG2 ILE    12        .963   4.661   8.235  1.00   .00          
ATOM    181 HG21 ILE    12        .602   3.708   8.590  1.00   .00          
ATOM    182 HG22 ILE    12        .347   5.452   8.637  1.00   .00          
ATOM    183 HG23 ILE    12       1.984   4.803   8.555  1.00   .00          
ATOM    184  CD1 ILE    12       2.011   6.925   6.517  1.00   .00          
ATOM    185 HD11 ILE    12       2.553   7.061   5.592  1.00   .00          
ATOM    186 HD12 ILE    12       2.625   6.379   7.217  1.00   .00          
ATOM    187 HD13 ILE    12       1.762   7.890   6.933  1.00   .00          
ATOM    188  C   ILE    12       2.364   2.661   6.554  1.00   .00          
ATOM    189  O   ILE    12       3.103   2.356   7.469  1.00   .00          
ATOM    190  N   ASN    13       1.684   1.756   5.911  1.00   .00          
ATOM    191  HN  ASN    13       1.088   2.018   5.180  1.00   .00          
ATOM    192  CA  ASN    13       1.809    .322   6.297  1.00   .00          
ATOM    193  HA  ASN    13       2.839    .007   6.252  1.00   .00          
ATOM    194  CB  ASN    13       1.303    .255   7.738  1.00   .00          
ATOM    195  HB1 ASN    13        .683   -.620   7.862  1.00   .00          
ATOM    196  HB2 ASN    13        .724   1.140   7.957  1.00   .00          
ATOM    197  CG  ASN    13       2.493    .174   8.695  1.00   .00          
ATOM    198  OD1 ASN    13       3.631    .147   8.268  1.00   .00          
ATOM    199  ND2 ASN    13       2.279    .131   9.982  1.00   .00          
ATOM    200 HD21 ASN    13       1.362    .151  10.327  1.00   .00          
ATOM    201 HD22 ASN    13       3.035    .081  10.603  1.00   .00          
ATOM    202  C   ASN    13        .938   -.540   5.383  1.00   .00          
ATOM    203  O   ASN    13        .468   -.089   4.357  1.00   .00          
ATOM    204  N   HIS    14        .712  -1.776   5.740  1.00   .00          
ATOM    205  HN  HIS    14       1.094  -2.130   6.570  1.00   .00          
ATOM    206  CA  HIS    14       -.135  -2.640   4.873  1.00   .00          
ATOM    207  HA  HIS    14      -1.010  -2.095   4.558  1.00   .00          
ATOM    208  CB  HIS    14        .744  -2.956   3.656  1.00   .00          
ATOM    209  HB1 HIS    14       1.325  -2.085   3.397  1.00   .00          
ATOM    210  HB2 HIS    14        .115  -3.227   2.822  1.00   .00          
ATOM    211  CG  HIS    14       1.672  -4.101   3.970  1.00   .00          
ATOM    212  ND1 HIS    14       2.907  -3.916   4.570  1.00   .00          
ATOM    213  HD1 HIS    14       3.296  -3.058   4.842  1.00   .00          
ATOM    214  CD2 HIS    14       1.551  -5.452   3.775  1.00   .00          
ATOM    215  HD2 HIS    14        .700  -5.938   3.326  1.00   .00          
ATOM    216  CE1 HIS    14       3.475  -5.127   4.713  1.00   .00          
ATOM    217  HE1 HIS    14       4.448  -5.292   5.153  1.00   .00          
ATOM    218  NE2 HIS    14       2.689  -6.100   4.244  1.00   .00          
ATOM    219  C   HIS    14       -.543  -3.928   5.603  1.00   .00          
ATOM    220  O   HIS    14       -.058  -4.232   6.675  1.00   .00          
ATOM    221  N   ARG    15      -1.428  -4.686   5.013  1.00   .00          
ATOM    222  HN  ARG    15      -1.796  -4.417   4.145  1.00   .00          
ATOM    223  CA  ARG    15      -1.877  -5.962   5.643  1.00   .00          
ATOM    224  HA  ARG    15      -1.053  -6.655   5.714  1.00   .00          
ATOM    225  CB  ARG    15      -2.361  -5.579   7.043  1.00   .00          
ATOM    226  HB1 ARG    15      -1.510  -5.373   7.675  1.00   .00          
ATOM    227  HB2 ARG    15      -2.931  -6.396   7.462  1.00   .00          
ATOM    228  CG  ARG    15      -3.244  -4.333   6.960  1.00   .00          
ATOM    229  HG1 ARG    15      -3.377  -4.055   5.925  1.00   .00          
ATOM    230  HG2 ARG    15      -2.772  -3.522   7.495  1.00   .00          
ATOM    231  CD  ARG    15      -4.610  -4.630   7.583  1.00   .00          
ATOM    232  HD1 ARG    15      -4.964  -5.599   7.268  1.00   .00          
ATOM    233  HD2 ARG    15      -5.320  -3.860   7.313  1.00   .00          
ATOM    234  NE  ARG    15      -4.371  -4.627   9.053  1.00   .00          
ATOM    235  HE  ARG    15      -4.482  -3.799   9.565  1.00   .00          
ATOM    236  CZ  ARG    15      -4.014  -5.727   9.658  1.00   .00          
ATOM    237  NH1 ARG    15      -4.923  -6.559  10.088  1.00   .00          
ATOM    238 HH11 ARG    15      -5.893  -6.353   9.953  1.00   .00          
ATOM    239 HH12 ARG    15      -4.650  -7.401  10.552  1.00   .00          
ATOM    240  NH2 ARG    15      -2.749  -5.995   9.834  1.00   .00          
ATOM    241 HH21 ARG    15      -2.053  -5.357   9.504  1.00   .00          
ATOM    242 HH22 ARG    15      -2.477  -6.837  10.298  1.00   .00          
ATOM    243  C   ARG    15      -3.018  -6.570   4.822  1.00   .00          
ATOM    244  O   ARG    15      -3.568  -5.935   3.944  1.00   .00          
ATOM    245  N   LEU    16      -3.373  -7.797   5.094  1.00   .00          
ATOM    246  HN  LEU    16      -2.913  -8.293   5.802  1.00   .00          
ATOM    247  CA  LEU    16      -4.475  -8.447   4.324  1.00   .00          
ATOM    248  HA  LEU    16      -4.104  -8.827   3.385  1.00   .00          
ATOM    249  CB  LEU    16      -4.943  -9.606   5.204  1.00   .00          
ATOM    250  HB1 LEU    16      -5.995  -9.495   5.417  1.00   .00          
ATOM    251  HB2 LEU    16      -4.385  -9.602   6.130  1.00   .00          
ATOM    252  CG  LEU    16      -10.928   4.472  1.00   .00          
ATOM    253  HG  LEU    16      -4.213 -10.735   3.532  1.00   .00          
ATOM    254  CD1 LEU    16      -3.834 -11.839   5.333  1.00   .00          
ATOM    255 HD11 LEU    16      -4.292 -12.814   5.406  1.00   .00          
ATOM    256 HD12 LEU    16      -3.734 -11.414   6.321  1.00   .00          
ATOM    257 HD13 LEU    16      -2.857 -11.932   4.881  1.00   .00          
ATOM    258  CD2 LEU    16      -6.053 -11.612   4.212  1.00   .00          
ATOM    259 HD21 LEU    16      -6.310 -12.233   5.057  1.00   .00          
ATOM    260 HD22 LEU    16      -5.980 -12.223   3.325  1.00   .00          
ATOM    261 HD23 LEU    16      -6.818 -10.862   4.071  1.00   .00          
ATOM    262  C   LEU    16      -5.622  -7.460   4.084  1.00   .00          
ATOM    263  O   LEU    16      -5.959  -6.663   4.937  1.00   .00          
ATOM    264  N   LYS    17      -6.224  -7.510   2.926  1.00   .00          
ATOM    265  HN  LYS    17      -5.936  -8.161   2.253  1.00   .00          
ATOM    266  CA  LYS    17      -7.350  -6.578   2.627  1.00   .00          
ATOM    267  HA  LYS    17      -7.001  -5.558   2.603  1.00   .00          
ATOM    268  CB  LYS    17      -7.850  -6.994   1.244  1.00   .00          
ATOM    269  HB1 LYS    17      -8.849  -6.615   1.093  1.00   .00          
ATOM    270  HB2 LYS    17      -7.859  -8.072   1.174  1.00   .00          
ATOM    271  CG  LYS    17      -6.923  -6.420    .172  1.00   .00          
ATOM    272  HG1 LYS    17      -5.937  -6.278    .586  1.00   .00          
ATOM    273  HG2 LYS    17      -7.312  -5.470   -.167  1.00   .00          
ATOM    274  CD  LYS    17      -6.843  -7.390  -1.008  1.00   .00          
ATOM    275  HD1 LYS    17      -7.219  -8.356   -.706  1.00   .00          
ATOM    276  HD2 LYS    17      -5.815  -7.486  -1.325  1.00   .00          
ATOM    277  CE  LYS    17      -7.688  -6.858  -2.167  1.00   .00          
ATOM    278  HE1 LYS    17      -7.103  -6.816  -3.072  1.00   .00          
ATOM    279  HE2 LYS    17      -8.083  -5.880  -1.925  1.00   .00          
ATOM    280  NZ  LYS    17      -8.794  -7.843  -2.320  1.00   .00          
ATOM    281  HZ1 LYS    17      -9.528  -7.655  -1.609  1.00   .00          
ATOM    282  HZ2 LYS    17      -8.420  -8.806  -2.187  1.00   .00          
ATOM    283  HZ3 LYS    17      -9.206  -7.759  -3.271  1.00   .00          
ATOM    284  C   LYS    17      -8.462  -6.742   3.666  1.00   .00          
ATOM    285  O   LYS    17      -8.257  -7.299   4.726  1.00   .00          
ATOM    286  N   THR    18      -9.641  -6.262   3.369  1.00   .00          
ATOM    287  HN  THR    18      -9.784  -5.819   2.506  1.00   .00          
ATOM    288  CA  THR    18     -10.774  -6.392   4.334  1.00   .00          
ATOM    289  HA  THR    18     -11.705  -6.142   3.851  1.00   .00          
ATOM    290  CB  THR    18     -10.786  -7.866   4.749  1.00   .00          
ATOM    291  HB  THR    18     -10.055  -8.029   5.525  1.00   .00          
ATOM    292  OG1 THR    18     -10.474  -8.675   3.624  1.00   .00          
ATOM    293  HG1 THR    18     -11.153  -8.534   2.960  1.00   .00          
ATOM    294  CG2 THR    18     -12.172  -8.237   5.279  1.00   .00          
ATOM    295 HG21 THR    18     -12.717  -7.337   5.524  1.00   .00          
ATOM    296 HG22 THR    18     -12.067  -8.847   6.164  1.00   .00          
ATOM    297 HG23 THR    18     -12.710  -8.789   4.523  1.00   .00          
ATOM    298  C   THR    18     -10.554  -5.493   5.556  1.00   .00          
ATOM    299  O   THR    18     -11.405  -4.703   5.914  1.00   .00          
ATOM    300  N   SER    19      -9.428  -5.611   6.208  1.00   .00          
ATOM    301  HN  SER    19      -8.755  -6.259   5.914  1.00   .00          
ATOM    302  CA  SER    19      -9.173  -4.768   7.412  1.00   .00          
ATOM    303  HA  SER    19      -8.141  -4.847   7.716  1.00   .00          
ATOM    304  CB  SER    19      -9.485  -3.335   6.977  1.00   .00          
ATOM    305  HB1 SER    19      -8.862  -2.648   7.534  1.00   .00          
ATOM    306  HB2 SER    19     -10.521  -3.115   7.174  1.00   .00          
ATOM    307  OG  SER    19      -9.235  -3.202   5.585  1.00   .00          
ATOM    308  HG  SER    19      -8.964  -2.296   5.418  1.00   .00          
ATOM    309  C   SER    19     -10.101  -5.200   8.549  1.00   .00          
ATOM    310  O   SER    19     -10.171  -4.568   9.585  1.00   .00          
ATOM    311  N   LEU    20     -10.812  -6.278   8.360  1.00   .00          
ATOM    312  HN  LEU    20     -10.737  -6.772   7.518  1.00   .00          
ATOM    313  CA  LEU    20     -11.736  -6.764   9.422  1.00   .00          
ATOM    314  HA  LEU    20     -11.707  -6.110  10.279  1.00   .00          
ATOM    315  CB  LEU    20     -13.124  -6.729   8.780  1.00   .00          
ATOM    316  HB1 LEU    20     -13.201  -7.519   8.047  1.00   .00          
ATOM    317  HB2 LEU    20     -13.273  -5.774   8.298  1.00   .00          
ATOM    318  CG  LEU    20     -14.191  -6.930   9.855  1.00   .00          
ATOM    319  HG  LEU    20     -13.760  -7.455  10.696  1.00   .00          
ATOM    320  CD1 LEU    20     -14.711  -5.569  10.317  1.00   .00          
ATOM    321 HD11 LEU    20     -14.106  -5.210  11.136  1.00   .00          
ATOM    322 HD12 LEU    20     -15.736  -5.667  10.643  1.00   .00          
ATOM    323 HD13 LEU    20     -14.659  -4.867   9.498  1.00   .00          
ATOM    324  CD2 LEU    20     -15.347  -7.749   9.277  1.00   .00          
ATOM    325 HD21 LEU    20     -15.374  -8.719   9.752  1.00   .00          
ATOM    326 HD22 LEU    20     -15.204  -7.873   8.214  1.00   .00          
ATOM    327 HD23 LEU    20     -16.279  -7.234   9.458  1.00   .00          
ATOM    328  C   LEU    20     -11.363  -8.194   9.820  1.00   .00          
ATOM    329  O   LEU    20     -11.884  -8.743  10.770  1.00   .00          
ATOM    330  N   GLU    21     -10.461  -8.799   9.095  1.00   .00          
ATOM    331  HN  GLU    21     -10.055  -8.336   8.333  1.00   .00          
ATOM    332  CA  GLU    21     -10.048 -10.194   9.421  1.00   .00          
ATOM    333  HA  GLU    21      -9.323 -10.548   8.707  1.00   .00          
ATOM    334  CB  GLU    21      -9.414 -10.107  10.809  1.00   .00          
ATOM    335  HB1 GLU    21     -10.173  -9.865  11.537  1.00   .00          
ATOM    336  HB2 GLU    21      -8.653  -9.340  10.809  1.00   .00          
ATOM    337  CG  GLU    21      -8.783 -11.455  11.161  1.00   .00          
ATOM    338  HG1 GLU    21      -7.809 -11.527  10.700  1.00   .00          
ATOM    339  HG2 GLU    21      -9.413 -12.253  10.798  1.00   .00          
ATOM    340  CD  GLU    21      -8.635 -11.570  12.679  1.00   .00          
ATOM    341  OE1 GLU    21      -8.587 -12.688  13.167  1.00   .00          
ATOM    342  OE2 GLU    21      -8.572 -10.540  13.329  1.00   .00          
ATOM    343  C   GLU    21     -11.270 -11.114   9.441  1.00   .00          
ATOM    344  O   GLU    21     -12.024 -11.143  10.394  1.00   .00          
ATOM    345  N   GLU    22     -11.473 -11.863   8.392  1.00   .00          
ATOM    346  HN  GLU    22     -10.855 -11.821   7.634  1.00   .00          
ATOM    347  CA  GLU    22     -12.648 -12.780   8.346  1.00   .00          
ATOM    348  HA  GLU    22     -13.081 -12.888   9.328  1.00   .00          
ATOM    349  CB  GLU    22     -13.644 -12.095   7.409  1.00   .00          
ATOM    350  HB1 GLU    22     -13.834 -11.091   7.758  1.00   .00          
ATOM    351  HB2 GLU    22     -14.568 -12.654   7.396  1.00   .00          
ATOM    352  CG  GLU    22     -13.062 -12.037   5.995  1.00   .00          
ATOM    353  HG1 GLU    22     -12.000 -12.225   6.034  1.00   .00          
ATOM    354  HG2 GLU    22     -13.240 -11.059   5.573  1.00   .00          
ATOM    355  CD  GLU    22     -13.733 -13.100   5.124  1.00   .00          
ATOM    356  OE1 GLU    22     -13.026 -13.764   4.384  1.00   .00          
ATOM    357  OE2 GLU    22     -14.943 -13.232   5.212  1.00   .00          
ATOM    358  C   GLU    22     -12.234 -14.144   7.789  1.00   .00          
ATOM    359  O   GLU    22     -12.947 -14.753   7.015  1.00   .00          
ATOM    360  N   GLY    23     -11.087 -14.630   8.177  1.00   .00          
ATOM    361  HN  GLY    23     -10.527 -14.124   8.802  1.00   .00          
ATOM    362  CA  GLY    23     -10.629 -15.955   7.671  1.00   .00          
ATOM    363  HA1 GLY    23     -11.191 -16.217   6.788  1.00   .00          
ATOM    364  HA2 GLY    23     -10.786 -16.705   8.434  1.00   .00          
ATOM    365  C   GLY    23      -9.141 -15.885   7.321  1.00   .00          
ATOM    366  O   GLY    23      -8.722 -16.322   6.268  1.00   .00          
ATOM    367  N   LYS    24      -8.338 -15.340   8.194  1.00   .00          
ATOM    368  HN  LYS    24      -8.694 -14.993   9.038  1.00   .00          
ATOM    369  CA  LYS    24      -6.877 -15.246   7.906  1.00   .00          
ATOM    370  HA  LYS    24      -6.701 -14.614   7.049  1.00   .00          
ATOM    371  CB  LYS    24      -6.266 -14.614   9.157  1.00   .00          
ATOM    372  HB1 LYS    24      -5.902 -15.391   9.811  1.00   .00          
ATOM    373  HB2 LYS    24      -7.019 -14.033   9.670  1.00   .00          
ATOM    374  CG  LYS    24      -5.105 -13.703   8.754  1.00   .00          
ATOM    375  HG1 LYS    24      -4.908 -13.815   7.698  1.00   .00          
ATOM    376  HG2 LYS    24      -4.223 -13.974   9.316  1.00   .00          
ATOM    377  CD  LYS    24      -5.472 -12.247   9.049  1.00   .00          
ATOM    378  HD1 LYS    24      -4.572 -11.672   9.202  1.00   .00          
ATOM    379  HD2 LYS    24      -6.083 -12.205   9.940  1.00   .00          
ATOM    380  CE  LYS    24      -6.251 -11.668   7.867  1.00   .00          
ATOM    381  HE1 LYS    24      -7.246 -12.083   7.831  1.00   .00          
ATOM    382  HE2 LYS    24      -5.726 -11.863   6.941  1.00   .00          
ATOM    383  NZ  LYS    24      -6.319 -10.204   8.131  1.00   .00          
ATOM    384  HZ1 LYS    24      -6.681 -10.041   9.091  1.00   .00          
ATOM    385  HZ2 LYS    24      -6.955  -9.757   7.439  1.00   .00          
ATOM    386  HZ3 LYS    24      -5.368  -9.792   8.046  1.00   .00          
ATOM    387  C   LYS    24      -6.296 -16.643   7.671  1.00   .00          
ATOM    388  O   LYS    24      -6.329 -17.492   8.539  1.00   .00          
ATOM    389  N   VAL    25      -5.768 -16.889   6.503  1.00   .00          
ATOM    390  HN  VAL    25      -5.754 -16.192   5.815  1.00   .00          
ATOM    391  CA  VAL    25      -5.190 -18.234   6.218  1.00   .00          
ATOM    392  HA  VAL    25      -5.161 -18.828   7.116  1.00   .00          
ATOM    393  CB  VAL    25      -6.146 -18.868   5.207  1.00   .00          
ATOM    394  HB  VAL    25      -6.008 -18.403   4.241  1.00   .00          
ATOM    395  CG1 VAL    25      -5.856 -20.366   5.098  1.00   .00          
ATOM    396 HG11 VAL    25      -5.812 -20.649   4.056  1.00   .00          
ATOM    397 HG12 VAL    25      -6.642 -20.921   5.589  1.00   .00          
ATOM    398 HG13 VAL    25      -4.911 -20.585   5.570  1.00   .00          
ATOM    399  CG2 VAL    25      -7.588 -18.662   5.674  1.00   .00          
ATOM    400 HG21 VAL    25      -7.590 -18.345   6.707  1.00   .00          
ATOM    401 HG22 VAL    25      -8.131 -19.591   5.582  1.00   .00          
ATOM    402 HG23 VAL    25      -8.060 -17.907   5.064  1.00   .00          
ATOM    403  C   VAL    25      -3.786 -18.103   5.619  1.00   .00          
ATOM    404  O   VAL    25      -2.958 -18.981   5.764  1.00   .00          
ATOM    405  N   LEU    26      -3.510 -17.020   4.945  1.00   .00          
ATOM    406  HN  LEU    26      -4.190 -16.324   4.836  1.00   .00          
ATOM    407  CA  LEU    26      -2.158 -16.844   4.337  1.00   .00          
ATOM    408  HA  LEU    26      -1.803 -17.779   3.935  1.00   .00          
ATOM    409  CB  LEU    26      -2.353 -15.830   3.208  1.00   .00          
ATOM    410  HB1 LEU    26      -1.501 -15.862   2.546  1.00   .00          
ATOM    411  HB2 LEU    26      -2.446 -14.839   3.628  1.00   .00          
ATOM    412  CG  LEU    26      -3.619 -16.171   2.420  1.00   .00          
ATOM    413  HG  LEU    26      -3.921 -17.184   2.645  1.00   .00          
ATOM    414  CD1 LEU    26      -4.739 -15.206   2.812  1.00   .00          
ATOM    415 HD11 LEU    26      -5.534 -15.754   3.297  1.00   .00          
ATOM    416 HD12 LEU    26      -5.123 -14.722   1.927  1.00   .00          
ATOM    417 HD13 LEU    26      -4.350 -14.460   3.490  1.00   .00          
ATOM    418  CD2 LEU    26      -3.336 -16.039    .922  1.00   .00          
ATOM    419 HD21 LEU    26      -2.654 -15.217    .756  1.00   .00          
ATOM    420 HD22 LEU    26      -4.260 -15.852    .396  1.00   .00          
ATOM    421 HD23 LEU    26      -2.893 -16.954    .557  1.00   .00          
ATOM    422  C   LEU    26      -1.172 -16.301   5.377  1.00   .00          
ATOM    423  O   LEU    26       -.004 -16.114   5.098  1.00   .00          
ATOM    424  N   GLU    27      -1.632 -16.042   6.571  1.00   .00          
ATOM    425  HN  GLU    27      -2.578 -16.197   6.776  1.00   .00          
ATOM    426  CA  GLU    27       -.718 -15.508   7.622  1.00   .00          
ATOM    427  HA  GLU    27      -1.266 -15.296   8.526  1.00   .00          
ATOM    428  CB  GLU    27        .294 -16.627   7.874  1.00   .00          
ATOM    429  HB1 GLU    27        .971 -16.330   8.662  1.00   .00          
ATOM    430  HB2 GLU    27        .855 -16.817   6.970  1.00   .00          
ATOM    431  CG  GLU    27       -.446 -17.899   8.295  1.00   .00          
ATOM    432  HG1 GLU    27      -1.456 -17.650   8.580  1.00   .00          
ATOM    433  HG2 GLU    27        .065 -18.352   9.133  1.00   .00          
ATOM    434  CD  GLU    27       -.478 -18.884   7.124  1.00   .00          
ATOM    435  OE1 GLU    27        .082 -18.562   6.089  1.00   .00          
ATOM    436  OE2 GLU    27      -1.062 -19.943   7.283  1.00   .00          
ATOM    437  C   GLU    27       -.012 -14.247   7.113  1.00   .00          
ATOM    438  O   GLU    27       -.493 -13.572   6.225  1.00   .00          
ATOM    439  N   LYS    28       1.125 -13.923   7.667  1.00   .00          
ATOM    440  HN  LYS    28       1.500 -14.479   8.382  1.00   .00          
ATOM    441  CA  LYS    28       1.854 -12.704   7.209  1.00   .00          
ATOM    442  HA  LYS    28       1.297 -12.202   6.434  1.00   .00          
ATOM    443  CB  LYS    28       1.954 -11.809   8.444  1.00   .00          
ATOM    444  HB1 LYS    28       2.993 -11.613   8.663  1.00   .00          
ATOM    445  HB2 LYS    28       1.496 -12.306   9.287  1.00   .00          
ATOM    446  CG  LYS    28       1.233 -10.486   8.176  1.00   .00          
ATOM    447  HG1 LYS    28        .385 -10.398   8.838  1.00   .00          
ATOM    448  HG2 LYS    28        .894 -10.463   7.151  1.00   .00          
ATOM    449  CD  LYS    28       2.193  -9.319   8.422  1.00   .00          
ATOM    450  HD1 LYS    28       1.963  -8.514   7.740  1.00   .00          
ATOM    451  HD2 LYS    28       3.209  -9.649   8.262  1.00   .00          
ATOM    452  CE  LYS    28       2.037  -8.822   9.862  1.00   .00          
ATOM    453  HE1 LYS    28       2.595  -9.449  10.539  1.00   .00          
ATOM    454  HE2 LYS    28        .992  -8.801  10.140  1.00   .00          
ATOM    455  NZ  LYS    28       2.603  -7.443   9.858  1.00   .00          
ATOM    456  HZ1 LYS    28       3.571  -7.467   9.481  1.00   .00          
ATOM    457  HZ2 LYS    28       2.617  -7.072  10.830  1.00   .00          
ATOM    458  HZ3 LYS    28       2.016  -6.828   9.259  1.00   .00          
ATOM    459  C   LYS    28       3.250 -13.081   6.705  1.00   .00          
ATOM    460  O   LYS    28       4.108 -13.484   7.466  1.00   .00          
ATOM    461  N   THR    29       3.482 -12.954   5.427  1.00   .00          
ATOM    462  HN  THR    29       2.776 -12.628   4.831  1.00   .00          
ATOM    463  CA  THR    29       4.821 -13.305   4.874  1.00   .00          
ATOM    464  HA  THR    29       5.588 -13.153   5.617  1.00   .00          
ATOM    465  CB  THR    29       4.724 -14.791   4.519  1.00   .00          
ATOM    466  HB  THR    29       4.263 -14.901   3.550  1.00   .00          
ATOM    467  OG1 THR    29       3.939 -15.458   5.497  1.00   .00          
ATOM    468  HG1 THR    29       3.032 -15.155   5.407  1.00   .00          
ATOM    469  CG2 THR    29       6.126 -15.403   4.483  1.00   .00          
ATOM    470 HG21 THR    29       6.753 -14.910   5.210  1.00   .00          
ATOM    471 HG22 THR    29       6.549 -15.278   3.498  1.00   .00          
ATOM    472 HG23 THR    29       6.064 -16.456   4.716  1.00   .00          
ATOM    473  C   THR    29       5.113 -12.469   3.624  1.00   .00          
ATOM    474  O   THR    29       6.107 -11.776   3.555  1.00   .00          
ATOM    475  N   VAL    30       4.249 -12.536   2.641  1.00   .00          
ATOM    476  HN  VAL    30       3.458 -13.106   2.731  1.00   .00          
ATOM    477  CA  VAL    30       4.455 -11.754   1.380  1.00   .00          
ATOM    478  HA  VAL    30       3.909 -12.214    .571  1.00   .00          
ATOM    479  CB  VAL    30       3.880 -10.364   1.657  1.00   .00          
ATOM    480  HB  VAL    30       4.151  -9.698    .851  1.00   .00          
ATOM    481  CG1 VAL    30       2.358 -10.461   1.737  1.00   .00          
ATOM    482 HG11 VAL    30       1.969  -9.604   2.266  1.00   .00          
ATOM    483 HG12 VAL    30       2.082 -11.364   2.261  1.00   .00          
ATOM    484 HG13 VAL    30       1.947 -10.485    .738  1.00   .00          
ATOM    485  CG2 VAL    30       4.426  -9.817   2.981  1.00   .00          
ATOM    486 HG21 VAL    30       4.110  -8.790   3.102  1.00   .00          
ATOM    487 HG22 VAL    30       5.504  -9.860   2.973  1.00   .00          
ATOM    488 HG23 VAL    30       4.046 -10.407   3.801  1.00   .00          
ATOM    489  C   VAL    30       5.941 -11.671   1.023  1.00   .00          
ATOM    490  O   VAL    30       6.657 -10.826   1.518  1.00   .00          
ATOM    491  N   PRO    31       6.350 -12.566    .169  1.00   .00          
ATOM    492  CA  PRO    31       7.756 -12.621   -.272  1.00   .00          
ATOM    493  HA  PRO    31       8.419 -12.382    .537  1.00   .00          
ATOM    494  CB  PRO    31       7.932 -14.078   -.684  1.00   .00          
ATOM    495  HB1 PRO    31       8.324 -14.654    .139  1.00   .00          
ATOM    496  HB2 PRO    31       8.591 -14.146  -1.538  1.00   .00          
ATOM    497  CG  PRO    31       6.557 -14.568  -1.042  1.00   .00          
ATOM    498  HG1 PRO    31       6.400 -15.552   -.626  1.00   .00          
ATOM    499  HG2 PRO    31       6.452 -14.605  -2.118  1.00   .00          
ATOM    500  CD  PRO    31       5.544 -13.607   -.461  1.00   .00          
ATOM    501  HD2 PRO    31       4.930 -13.186  -1.247  1.00   .00          
ATOM    502  HD1 PRO    31       4.932 -14.099    .277  1.00   .00          
ATOM    503  C   PRO    31       7.986 -11.688  -1.462  1.00   .00          
ATOM    504  O   PRO    31       8.967 -10.974  -1.527  1.00   .00          
ATOM    505  N   ASP    32       7.090 -11.696  -2.407  1.00   .00          
ATOM    506  HN  ASP    32       6.311 -12.283  -2.333  1.00   .00          
ATOM    507  CA  ASP    32       7.253 -10.816  -3.600  1.00   .00          
ATOM    508  HA  ASP    32       8.218 -10.336  -3.586  1.00   .00          
ATOM    509  CB  ASP    32       7.156 -11.761  -4.798  1.00   .00          
ATOM    510  HB1 ASP    32       7.945 -12.496  -4.742  1.00   .00          
ATOM    511  HB2 ASP    32       7.255 -11.194  -5.712  1.00   .00          
ATOM    512  CG  ASP    32       5.801 -12.469  -4.779  1.00   .00          
ATOM    513  OD1 ASP    32       4.952 -12.062  -4.003  1.00   .00          
ATOM    514  OD2 ASP    32       5.634 -13.408  -5.541  1.00   .00          
ATOM    515  C   ASP    32       6.133  -9.773  -3.649  1.00   .00          
ATOM    516  O   ASP    32       5.265  -9.739  -2.800  1.00   .00          
ATOM    517  N   LEU    33       6.146  -8.923  -4.640  1.00   .00          
ATOM    518  HN  LEU    33       6.855  -8.969  -5.316  1.00   .00          
ATOM    519  CA  LEU    33       5.081  -7.885  -4.746  1.00   .00          
ATOM    520  HA  LEU    33       4.899  -7.432  -3.785  1.00   .00          
ATOM    521  CB  LEU    33       5.633  -6.844  -5.723  1.00   .00          
ATOM    522  HB1 LEU    33       5.668  -7.265  -6.716  1.00   .00          
ATOM    523  HB2 LEU    33       6.629  -6.557  -5.418  1.00   .00          
ATOM    524  CG  LEU    33       4.726  -5.611  -5.728  1.00   .00          
ATOM    525  HG  LEU    33       3.802  -5.846  -6.235  1.00   .00          
ATOM    526  CD1 LEU    33       4.425  -5.191  -4.289  1.00   .00          
ATOM    527 HD11 LEU    33       3.453  -5.563  -4.001  1.00   .00          
ATOM    528 HD12 LEU    33       4.434  -4.113  -4.218  1.00   .00          
ATOM    529 HD13 LEU    33       5.176  -5.601  -3.631  1.00   .00          
ATOM    530  CD2 LEU    33       5.432  -4.463  -6.453  1.00   .00          
ATOM    531 HD21 LEU    33       6.124  -3.982  -5.778  1.00   .00          
ATOM    532 HD22 LEU    33       4.699  -3.744  -6.789  1.00   .00          
ATOM    533 HD23 LEU    33       5.971  -4.852  -7.304  1.00   .00          
ATOM    534  C   LEU    33       3.796  -8.507  -5.296  1.00   .00          
ATOM    535  O   LEU    33       2.746  -7.896  -5.292  1.00   .00          
ATOM    536  N   ASN    34       3.874  -9.720  -5.770  1.00   .00          
ATOM    537  HN  ASN    34       4.732 -10.193  -5.763  1.00   .00          
ATOM    538  CA  ASN    34       2.661 -10.385  -6.322  1.00   .00          
ATOM    539  HA  ASN    34       2.127  -9.714  -6.973  1.00   .00          
ATOM    540  CB  ASN    34       3.192 -11.575  -7.123  1.00   .00          
ATOM    541  HB1 ASN    34       2.517 -12.411  -7.019  1.00   .00          
ATOM    542  HB2 ASN    34       4.168 -11.853  -6.750  1.00   .00          
ATOM    543  CG  ASN    34       3.300 -11.190  -8.600  1.00   .00          
ATOM    544  OD1 ASN    34       2.652 -10.264  -9.046  1.00   .00          
ATOM    545  ND2 ASN    34       4.097 -11.864  -9.382  1.00   .00          
ATOM    546 HD21 ASN    34       4.621 -12.611  -9.022  1.00   .00          
ATOM    547 HD22 ASN    34       4.173 -11.624 -10.329  1.00   .00          
ATOM    548  C   ASN    34       1.751 -10.858  -5.189  1.00   .00          
ATOM    549  O   ASN    34        .625 -10.424  -5.073  1.00   .00          
ATOM    550  N   ASN    35       2.237 -11.741  -4.355  1.00   .00          
ATOM    551  HN  ASN    35       3.147 -12.068  -4.477  1.00   .00          
ATOM    552  CA  ASN    35       1.408 -12.259  -3.224  1.00   .00          
ATOM    553  HA  ASN    35        .787 -13.077  -3.553  1.00   .00          
ATOM    554  CB  ASN    35       2.419 -12.753  -2.187  1.00   .00          
ATOM    555  HB1 ASN    35       2.781 -11.915  -1.608  1.00   .00          
ATOM    556  HB2 ASN    35       3.250 -13.226  -2.690  1.00   .00          
ATOM    557  CG  ASN    35       1.745 -13.760  -1.254  1.00   .00          
ATOM    558  OD1 ASN    35       2.096 -14.924  -1.241  1.00   .00          
ATOM    559  ND2 ASN    35        .786 -13.360   -.465  1.00   .00          
ATOM    560 HD21 ASN    35        .504 -12.422   -.473  1.00   .00          
ATOM    561 HD22 ASN    35        .348 -13.998    .137  1.00   .00          
ATOM    562  C   ASN    35        .551 -11.135  -2.644  1.00   .00          
ATOM    563  O   ASN    35       -.647 -11.270  -2.490  1.00   .00          
ATOM    564  N   CYS    36       1.147 -10.018  -2.344  1.00   .00          
ATOM    565  HN  CYS    36       2.111  -9.918  -2.492  1.00   .00          
ATOM    566  CA  CYS    36        .351  -8.887  -1.802  1.00   .00          
ATOM    567  HA  CYS    36       -.159  -9.183   -.902  1.00   .00          
ATOM    568  CB  CYS    36       1.369  -7.788  -1.499  1.00   .00          
ATOM    569  HB1 CYS    36        .907  -6.824  -1.637  1.00   .00          
ATOM    570  HB2 CYS    36       2.211  -7.883  -2.169  1.00   .00          
ATOM    571  SG  CYS    36       1.943  -7.945    .210  1.00   .00          
ATOM    572  HG  CYS    36       2.573  -8.669    .246  1.00   .00          
ATOM    573  C   CYS    36       -.644  -8.413  -2.863  1.00   .00          
ATOM    574  O   CYS    36      -1.833  -8.326  -2.634  1.00   .00          
ATOM    575  N   LYS    37       -.157  -8.114  -4.030  1.00   .00          
ATOM    576  HN  LYS    37        .806  -8.198  -4.192  1.00   .00          
ATOM    577  CA  LYS    37      -1.054  -7.649  -5.122  1.00   .00          
ATOM    578  HA  LYS    37      -1.420  -6.658  -4.907  1.00   .00          
ATOM    579  CB  LYS    37       -.154  -7.615  -6.359  1.00   .00          
ATOM    580  HB1 LYS    37        .503  -8.471  -6.347  1.00   .00          
ATOM    581  HB2 LYS    37        .435  -6.710  -6.347  1.00   .00          
ATOM    582  CG  LYS    37      -1.007  -7.651  -7.628  1.00   .00          
ATOM    583  HG1 LYS    37      -1.611  -6.758  -7.681  1.00   .00          
ATOM    584  HG2 LYS    37      -1.648  -8.521  -7.606  1.00   .00          
ATOM    585  CD  LYS    37       -.095  -7.720  -8.855  1.00   .00          
ATOM    586  HD1 LYS    37       -.678  -7.549  -9.747  1.00   .00          
ATOM    587  HD2 LYS    37        .365  -8.696  -8.905  1.00   .00          
ATOM    588  CE  LYS    37        .992  -6.647  -8.745  1.00   .00          
ATOM    589  HE1 LYS    37       1.940  -7.096  -8.489  1.00   .00          
ATOM    590  HE2 LYS    37        .714  -5.905  -8.010  1.00   .00          
ATOM    591  NZ  LYS    37       1.067  -6.036 -10.102  1.00   .00          
ATOM    592  HZ1 LYS    37        .110  -5.792 -10.426  1.00   .00          
ATOM    593  HZ2 LYS    37       1.497  -6.714 -10.764  1.00   .00          
ATOM    594  HZ3 LYS    37       1.647  -5.174 -10.062  1.00   .00          
ATOM    595  C   LYS    37      -2.225  -8.626  -5.312  1.00   .00          
ATOM    596  O   LYS    37      -3.230  -8.290  -5.906  1.00   .00          
ATOM    597  N   GLU    38      -2.107  -9.833  -4.818  1.00   .00          
ATOM    598  HN  GLU    38      -1.290 -10.092  -4.343  1.00   .00          
ATOM    599  CA  GLU    38      -3.225 -10.817  -4.982  1.00   .00          
ATOM    600  HA  GLU    38      -3.714 -10.675  -5.932  1.00   .00          
ATOM    601  CB  GLU    38      -2.595 -12.217  -4.922  1.00   .00          
ATOM    602  HB1 GLU    38      -3.164 -12.893  -5.540  1.00   .00          
ATOM    603  HB2 GLU    38      -2.605 -12.570  -3.901  1.00   .00          
ATOM    604  CG  GLU    38      -1.160 -12.170  -5.420  1.00   .00          
ATOM    605  HG1 GLU    38       -.496 -12.122  -4.571  1.00   .00          
ATOM    606  HG2 GLU    38      -1.029 -11.293  -6.034  1.00   .00          
ATOM    607  CD  GLU    38       -.855 -13.426  -6.240  1.00   .00          
ATOM    608  OE1 GLU    38       -.984 -14.510  -5.697  1.00   .00          
ATOM    609  OE2 GLU    38       -.496 -13.280  -7.397  1.00   .00          
ATOM    610  C   GLU    38      -4.225 -10.667  -3.842  1.00   .00          
ATOM    611  O   GLU    38      -5.420 -10.765  -4.038  1.00   .00          
ATOM    612  N   ASN    39      -3.753 -10.439  -2.648  1.00   .00          
ATOM    613  HN  ASN    39      -2.787 -10.365  -2.499  1.00   .00          
ATOM    614  CA  ASN    39      -4.701 -10.298  -1.516  1.00   .00          
ATOM    615  HA  ASN    39      -5.607  -9.844  -1.864  1.00   .00          
ATOM    616  CB  ASN    39      -4.981 -11.728  -1.054  1.00   .00          
ATOM    617  HB1 ASN    39      -5.393 -11.711   -.056  1.00   .00          
ATOM    618  HB2 ASN    39      -4.059 -12.292  -1.052  1.00   .00          
ATOM    619  CG  ASN    39      -5.981 -12.389  -2.004  1.00   .00          
ATOM    620  OD1 ASN    39      -5.596 -12.993  -2.985  1.00   .00          
ATOM    621  ND2 ASN    39      -7.259 -12.300  -1.753  1.00   .00          
ATOM    622 HD21 ASN    39      -7.571 -11.814   -.962  1.00   .00          
ATOM    623 HD22 ASN    39      -7.908 -12.720  -2.357  1.00   .00          
ATOM    624  C   ASN    39      -4.087  -9.475   -.378  1.00   .00          
ATOM    625  O   ASN    39      -3.885  -9.968    .714  1.00   .00          
ATOM    626  N   TYR    40      -3.796  -8.226   -.618  1.00   .00          
ATOM    627  HN  TYR    40      -3.968  -7.844  -1.503  1.00   .00          
ATOM    628  CA  TYR    40      -3.203  -7.383    .464  1.00   .00          
ATOM    629  HA  TYR    40      -3.490  -7.753   1.432  1.00   .00          
ATOM    630  CB  TYR    40      -1.695  -7.506    .294  1.00   .00          
ATOM    631  HB1 TYR    40      -1.256  -6.523    .321  1.00   .00          
ATOM    632  HB2 TYR    40      -1.478  -7.970   -.651  1.00   .00          
ATOM    633  CG  TYR    40      -1.116  -8.339   1.410  1.00   .00          
ATOM    634  CD1 TYR    40       -.928  -9.714   1.233  1.00   .00          
ATOM    635  HD1 TYR    40      -1.201 -10.179    .298  1.00   .00          
ATOM    636  CD2 TYR    40       -.762  -7.734   2.621  1.00   .00          
ATOM    637  HD2 TYR    40       -.908  -6.672   2.757  1.00   .00          
ATOM    638  CE1 TYR    40       -.385 -10.485   2.267  1.00   .00          
ATOM    639  HE1 TYR    40       -.238 -11.545   2.129  1.00   .00          
ATOM    640  CE2 TYR    40       -.219  -8.504   3.656  1.00   .00          
ATOM    641  HE2 TYR    40        .056  -8.037   4.591  1.00   .00          
ATOM    642  CZ  TYR    40       -.031  -9.880   3.479  1.00   .00          
ATOM    643  OH  TYR    40        .506 -10.640   4.498  1.00   .00          
ATOM    644  HH  TYR    40       1.303 -11.060   4.166  1.00   .00          
ATOM    645  C   TYR    40      -3.617  -5.920    .309  1.00   .00          
ATOM    646  O   TYR    40      -3.829  -5.431   -.783  1.00   .00          
ATOM    647  N   GLU    41      -3.707  -5.214   1.401  1.00   .00          
ATOM    648  HN  GLU    41      -3.512  -5.630   2.267  1.00   .00          
ATOM    649  CA  GLU    41      -4.076  -3.773   1.339  1.00   .00          
ATOM    650  HA  GLU    41      -4.427  -3.507    .350  1.00   .00          
ATOM    651  CB  GLU    41      -5.196  -3.602   2.367  1.00   .00          
ATOM    652  HB1 GLU    41      -4.946  -2.798   3.043  1.00   .00          
ATOM    653  HB2 GLU    41      -5.314  -4.520   2.926  1.00   .00          
ATOM    654  CG  GLU    41      -6.505  -3.272   1.649  1.00   .00          
ATOM    655  HG1 GLU    41      -6.734  -4.054    .941  1.00   .00          
ATOM    656  HG2 GLU    41      -6.401  -2.332   1.127  1.00   .00          
ATOM    657  CD  GLU    41      -7.638  -3.166   2.670  1.00   .00          
ATOM    658  OE1 GLU    41      -7.344  -3.170   3.854  1.00   .00          
ATOM    659  OE2 GLU    41      -8.780  -3.081   2.251  1.00   .00          
ATOM    660  C   GLU    41      -2.857  -2.936   1.724  1.00   .00          
ATOM    661  O   GLU    41      -1.811  -3.465   2.040  1.00   .00          
ATOM    662  N   PHE    42      -2.973  -1.640   1.703  1.00   .00          
ATOM    663  HN  PHE    42      -3.822  -1.224   1.446  1.00   .00          
ATOM    664  CA  PHE    42      -1.803   -.794   2.071  1.00   .00          
ATOM    665  HA  PHE    42      -1.176  -1.302   2.787  1.00   .00          
ATOM    666  CB  PHE    42      -1.042   -.579    .762  1.00   .00          
ATOM    667  HB1 PHE    42       -.271    .162    .914  1.00   .00          
ATOM    668  HB2 PHE    42      -1.728   -.231    .004  1.00   .00          
ATOM    669  CG  PHE    42       -.410  -1.871    .308  1.00   .00          
ATOM    670  CD1 PHE    42        .908  -2.171    .672  1.00   .00          
ATOM    671  HD1 PHE    42       1.468  -1.483   1.289  1.00   .00          
ATOM    672  CD2 PHE    42      -1.136  -2.762   -.491  1.00   .00          
ATOM    673  HD2 PHE    42      -2.153  -2.531   -.772  1.00   .00          
ATOM    674  CE1 PHE    42       1.500  -3.362    .238  1.00   .00          
ATOM    675  HE1 PHE    42       2.516  -3.594    .519  1.00   .00          
ATOM    676  CE2 PHE    42       -.545  -3.955   -.924  1.00   .00          
ATOM    677  HE2 PHE    42      -1.105  -4.643  -1.540  1.00   .00          
ATOM    678  CZ  PHE    42        .773  -4.254   -.560  1.00   .00          
ATOM    679  HZ  PHE    42       1.231  -5.172   -.896  1.00   .00          
ATOM    680  C   PHE    42      -2.268    .555   2.617  1.00   .00          
ATOM    681  O   PHE    42      -3.035   1.255   1.984  1.00   .00          
ATOM    682  N   LEU    43      -1.797    .946   3.770  1.00   .00          
ATOM    683  HN  LEU    43      -1.164    .385   4.264  1.00   .00          
ATOM    684  CA  LEU    43      -2.211   2.270   4.305  1.00   .00          
ATOM    685  HA  LEU    43      -3.279   2.365   4.273  1.00   .00          
ATOM    686  CB  LEU    43      -1.698   2.327   5.741  1.00   .00          
ATOM    687  HB1 LEU    43       -.624   2.437   5.725  1.00   .00          
ATOM    688  HB2 LEU    43      -1.957   1.413   6.253  1.00   .00          
ATOM    689  CG  LEU    43      -2.310   3.523   6.487  1.00   .00          
ATOM    690  HG  LEU    43      -1.767   4.416   6.235  1.00   .00          
ATOM    691  CD1 LEU    43      -3.780   3.715   6.107  1.00   .00          
ATOM    692 HD11 LEU    43      -4.145   2.829   5.627  1.00   .00          
ATOM    693 HD12 LEU    43      -3.870   4.553   5.430  1.00   .00          
ATOM    694 HD13 LEU    43      -4.359   3.909   6.997  1.00   .00          
ATOM    695  CD2 LEU    43      -2.204   3.271   7.989  1.00   .00          
ATOM    696 HD21 LEU    43      -2.148   2.208   8.170  1.00   .00          
ATOM    697 HD22 LEU    43      -3.072   3.677   8.484  1.00   .00          
ATOM    698 HD23 LEU    43      -1.313   3.747   8.370  1.00   .00          
ATOM    699  C   LEU    43      -1.555   3.345   3.460  1.00   .00          
ATOM    700  O   LEU    43       -.389   3.650   3.609  1.00   .00          
ATOM    701  N   ILE    44      -2.286   3.890   2.545  1.00   .00          
ATOM    702  HN  ILE    44      -3.216   3.604   2.425  1.00   .00          
ATOM    703  CA  ILE    44      -1.704   4.912   1.650  1.00   .00          
ATOM    704  HA  ILE    44       -.677   4.678   1.424  1.00   .00          
ATOM    705  CB  ILE    44      -2.540   4.817    .386  1.00   .00          
ATOM    706  HB  ILE    44      -3.500   5.257    .573  1.00   .00          
ATOM    707  CG1 ILE    44      -2.727   3.353   -.026  1.00   .00          
ATOM    708 HG11 ILE    44      -3.086   3.309  -1.043  1.00   .00          
ATOM    709 HG12 ILE    44      -3.447   2.886    .630  1.00   .00          
ATOM    710  CG2 ILE    44      -1.838   5.582   -.724  1.00   .00          
ATOM    711 HG21 ILE    44       -.773   5.540   -.562  1.00   .00          
ATOM    712 HG22 ILE    44      -2.163   6.613   -.712  1.00   .00          
ATOM    713 HG23 ILE    44      -2.076   5.138  -1.677  1.00   .00          
ATOM    714  CD1 ILE    44      -1.398   2.613    .072  1.00   .00          
ATOM    715 HD11 ILE    44      -1.236   2.300   1.091  1.00   .00          
ATOM    716 HD12 ILE    44       -.599   3.270   -.237  1.00   .00          
ATOM    717 HD13 ILE    44      -1.423   1.748   -.573  1.00   .00          
ATOM    718  C   ILE    44      -1.822   6.321   2.230  1.00   .00          
ATOM    719  O   ILE    44      -2.885   6.906   2.239  1.00   .00          
ATOM    720  N   LYS    45       -.736   6.891   2.674  1.00   .00          
ATOM    721  HN  LYS    45        .123   6.417   2.637  1.00   .00          
ATOM    722  CA  LYS    45       -.809   8.284   3.195  1.00   .00          
ATOM    723  HA  LYS    45      -1.629   8.388   3.887  1.00   .00          
ATOM    724  CB  LYS    45        .524   8.544   3.908  1.00   .00          
ATOM    725  HB1 LYS    45       1.345   8.253   3.269  1.00   .00          
ATOM    726  HB2 LYS    45        .559   7.976   4.823  1.00   .00          
ATOM    727  CG  LYS    45        .641  10.034   4.229  1.00   .00          
ATOM    728  HG1 LYS    45       -.345  10.470   4.282  1.00   .00          
ATOM    729  HG2 LYS    45       1.211  10.525   3.454  1.00   .00          
ATOM    730  CD  LYS    45       1.348  10.214   5.574  1.00   .00          
ATOM    731  HD1 LYS    45       2.089   9.439   5.699  1.00   .00          
ATOM    732  HD2 LYS    45        .622  10.151   6.372  1.00   .00          
ATOM    733  CE  LYS    45       2.032  11.582   5.611  1.00   .00          
ATOM    734  HE1 LYS    45       2.817  11.631   4.873  1.00   .00          
ATOM    735  HE2 LYS    45       2.426  11.776   6.599  1.00   .00          
ATOM    736  NZ  LYS    45        .956  12.558   5.278  1.00   .00          
ATOM    737  HZ1 LYS    45       1.138  13.456   5.768  1.00   .00          
ATOM    738  HZ2 LYS    45        .037  12.176   5.581  1.00   .00          
ATOM    739  HZ3 LYS    45        .942  12.722   4.251  1.00   .00          
ATOM    740  C   LYS    45       -.973   9.239   2.006  1.00   .00          
ATOM    741  O   LYS    45       -.009   9.628   1.378  1.00   .00          
ATOM    742  N   TRP    46      -2.181   9.606   1.671  1.00   .00          
ATOM    743  HN  TRP    46      -2.955   9.275   2.172  1.00   .00          
ATOM    744  CA  TRP    46      -2.373  10.523    .507  1.00   .00          
ATOM    745  HA  TRP    46      -1.735  10.226   -.311  1.00   .00          
ATOM    746  CB  TRP    46      -3.842  10.377    .103  1.00   .00          
ATOM    747  HB1 TRP    46      -4.028  10.963   -.786  1.00   .00          
ATOM    748  HB2 TRP    46      -4.472  10.732    .905  1.00   .00          
ATOM    749  CG  TRP    46      -4.154   8.940   -.174  1.00   .00          
ATOM    750  CD1 TRP    46      -4.614   8.061    .743  1.00   .00          
ATOM    751  HD1 TRP    46      -4.812   8.282   1.781  1.00   .00          
ATOM    752  CD2 TRP    46      -4.035   8.199  -1.428  1.00   .00          
ATOM    753  NE1 TRP    46      -4.803   6.837    .134  1.00   .00          
ATOM    754  HE1 TRP    46      -5.139   6.031    .580  1.00   .00          
ATOM    755  CE2 TRP    46      -4.449   6.864  -1.200  1.00   .00          
ATOM    756  CE3 TRP    46      -3.614   8.549  -2.726  1.00   .00          
ATOM    757  HE3 TRP    46      -3.295   9.561  -2.933  1.00   .00          
ATOM    758  CZ2 TRP    46      -4.443   5.909  -2.221  1.00   .00          
ATOM    759  HZ2 TRP    46      -4.754   4.890  -2.020  1.00   .00          
ATOM    760  CZ3 TRP    46      -3.608   7.590  -3.757  1.00   .00          
ATOM    761  HZ3 TRP    46      -3.283   7.869  -4.750  1.00   .00          
ATOM    762  CH2 TRP    46      -4.020   6.274  -3.503  1.00   .00          
ATOM    763  HH2 TRP    46      -4.014   5.543  -4.298  1.00   .00          
ATOM    764  C   TRP    46      -2.071  11.965    .920  1.00   .00          
ATOM    765  O   TRP    46      -2.180  12.328   2.074  1.00   .00          
ATOM    766  N   THR    47      -1.690  12.791   -.016  1.00   .00          
ATOM    767  HN  THR    47      -1.608  12.478   -.941  1.00   .00          
ATOM    768  CA  THR    47      -1.379  14.210    .321  1.00   .00          
ATOM    769  HA  THR    47       -.479  14.269    .912  1.00   .00          
ATOM    770  CB  THR    47      -1.163  14.897  -1.028  1.00   .00          
ATOM    771  HB  THR    47      -1.048  15.959   -.878  1.00   .00          
ATOM    772  OG1 THR    47      -2.286  14.654  -1.864  1.00   .00          
ATOM    773  HG1 THR    47      -2.418  15.428  -2.416  1.00   .00          
ATOM    774  CG2 THR    47        .097  14.341  -1.690  1.00   .00          
ATOM    775 HG21 THR    47        .778  15.151  -1.906  1.00   .00          
ATOM    776 HG22 THR    47       -.170  13.840  -2.609  1.00   .00          
ATOM    777 HG23 THR    47        .575  13.639  -1.023  1.00   .00          
ATOM    778  C   THR    47      -2.553  14.849   1.067  1.00   .00          
ATOM    779  O   THR    47      -3.567  14.223   1.300  1.00   .00          
ATOM    780  N   ASP    48      -2.425  16.093   1.442  1.00   .00          
ATOM    781  HN  ASP    48      -1.599  16.582   1.244  1.00   .00          
ATOM    782  CA  ASP    48      -3.536  16.769   2.169  1.00   .00          
ATOM    783  HA  ASP    48      -3.956  16.111   2.913  1.00   .00          
ATOM    784  CB  ASP    48      -2.889  17.977   2.846  1.00   .00          
ATOM    785  HB1 ASP    48      -2.317  18.533   2.119  1.00   .00          
ATOM    786  HB2 ASP    48      -2.236  17.639   3.638  1.00   .00          
ATOM    787  CG  ASP    48      -3.978  18.878   3.431  1.00   .00          
ATOM    788  OD1 ASP    48      -4.530  18.518   4.458  1.00   .00          
ATOM    789  OD2 ASP    48      -4.242  19.913   2.841  1.00   .00          
ATOM    790  C   ASP    48      -4.614  17.221   1.182  1.00   .00          
ATOM    791  O   ASP    48      -4.731  18.388    .866  1.00   .00          
ATOM    792  N   GLU    49      -5.404  16.305    .693  1.00   .00          
ATOM    793  HN  GLU    49      -5.294  15.369    .961  1.00   .00          
ATOM    794  CA  GLU    49      -6.475  16.683   -.274  1.00   .00          
ATOM    795  HA  GLU    49      -6.344  17.702   -.602  1.00   .00          
ATOM    796  CB  GLU    49      -6.299  15.727  -1.454  1.00   .00          
ATOM    797  HB1 GLU    49      -6.884  14.836  -1.286  1.00   .00          
ATOM    798  HB2 GLU    49      -5.256  15.461  -1.548  1.00   .00          
ATOM    799  CG  GLU    49      -6.771  16.409  -2.739  1.00   .00          
ATOM    800  HG1 GLU    49      -5.989  16.360  -3.482  1.00   .00          
ATOM    801  HG2 GLU    49      -7.007  17.444  -2.532  1.00   .00          
ATOM    802  CD  GLU    49      -8.017  15.696  -3.267  1.00   .00          
ATOM    803  OE1 GLU    49      -8.787  16.332  -3.969  1.00   .00          
ATOM    804  OE2 GLU    49      -8.181  14.527  -2.960  1.00   .00          
ATOM    805  C   GLU    49      -7.852  16.497    .368  1.00   .00          
ATOM    806  O   GLU    49      -8.778  17.235    .098  1.00   .00          
ATOM    807  N   SER    50      -7.993  15.518   1.219  1.00   .00          
ATOM    808  HN  SER    50      -7.232  14.934   1.424  1.00   .00          
ATOM    809  CA  SER    50      -9.310  15.287   1.879  1.00   .00          
ATOM    810  HA  SER    50     -10.088  15.834   1.371  1.00   .00          
ATOM    811  CB  SER    50      -9.557  13.785   1.751  1.00   .00          
ATOM    812  HB1 SER    50      -8.752  13.246   2.233  1.00   .00          
ATOM    813  HB2 SER    50      -9.594  13.511    .710  1.00   .00          
ATOM    814  OG  SER    50     -10.798  13.458   2.365  1.00   .00          
ATOM    815  HG  SER    50     -11.500  13.677   1.748  1.00   .00          
ATOM    816  C   SER    50      -9.238  15.699   3.353  1.00   .00          
ATOM    817  O   SER    50      -8.582  16.658   3.707  1.00   .00          
ATOM    818  N   HIS    51      -9.907  14.982   4.216  1.00   .00          
ATOM    819  HN  HIS    51     -10.430  14.211   3.912  1.00   .00          
ATOM    820  CA  HIS    51      -9.872  15.337   5.664  1.00   .00          
ATOM    821  HA  HIS    51      -9.059  16.016   5.865  1.00   .00          
ATOM    822  CB  HIS    51     -11.207  16.028   5.937  1.00   .00          
ATOM    823  HB1 HIS    51     -11.978  15.284   6.071  1.00   .00          
ATOM    824  HB2 HIS    51     -11.461  16.665   5.102  1.00   .00          
ATOM    825  CG  HIS    51     -11.092  16.859   7.186  1.00   .00          
ATOM    826  ND1 HIS    51     -11.014  16.290   8.447  1.00   .00          
ATOM    827  HD1 HIS    51     -11.026  15.331   8.652  1.00   .00          
ATOM    828  CD2 HIS    51     -11.038  18.216   7.383  1.00   .00          
ATOM    829  HD2 HIS    51     -11.073  18.960   6.601  1.00   .00          
ATOM    830  CE1 HIS    51     -10.918  17.292   9.339  1.00   .00          
ATOM    831  HE1 HIS    51     -10.842  17.148  10.407  1.00   .00          
ATOM    832  NE2 HIS    51     -10.928  18.488   8.744  1.00   .00          
ATOM    833  C   HIS    51      -9.738  14.073   6.519  1.00   .00          
ATOM    834  O   HIS    51     -10.032  14.076   7.698  1.00   .00          
ATOM    835  N   LEU    52      -9.293  12.994   5.936  1.00   .00          
ATOM    836  HN  LEU    52      -9.060  13.012   4.985  1.00   .00          
ATOM    837  CA  LEU    52      -9.140  11.733   6.718  1.00   .00          
ATOM    838  HA  LEU    52      -9.701  11.788   7.637  1.00   .00          
ATOM    839  CB  LEU    52      -9.713  10.638   5.820  1.00   .00          
ATOM    840  HB1 LEU    52      -9.627   9.683   6.315  1.00   .00          
ATOM    841  HB2 LEU    52      -9.164  10.612   4.889  1.00   .00          
ATOM    842  CG  LEU    52     -11.186  10.932   5.538  1.00   .00          
ATOM    843  HG  LEU    52     -11.439  11.907   5.929  1.00   .00          
ATOM    844  CD1 LEU    52     -11.432  10.910   4.029  1.00   .00          
ATOM    845 HD11 LEU    52     -11.391   9.891   3.673  1.00   .00          
ATOM    846 HD12 LEU    52     -10.672  11.495   3.531  1.00   .00          
ATOM    847 HD13 LEU    52     -12.405  11.327   3.816  1.00   .00          
ATOM    848  CD2 LEU    52     -12.056   9.868   6.210  1.00   .00          
ATOM    849 HD21 LEU    52     -12.977  10.318   6.549  1.00   .00          
ATOM    850 HD22 LEU    52     -11.527   9.452   7.055  1.00   .00          
ATOM    851 HD23 LEU    52     -12.277   9.084   5.502  1.00   .00          
ATOM    852  C   LEU    52      -7.661  11.472   7.009  1.00   .00          
ATOM    853  O   LEU    52      -7.309  10.882   8.011  1.00   .00          
ATOM    854  N   HIS    53      -6.791  11.909   6.140  1.00   .00          
ATOM    855  HN  HIS    53      -7.096  12.384   5.338  1.00   .00          
ATOM    856  CA  HIS    53      -5.334  11.688   6.367  1.00   .00          
ATOM    857  HA  HIS    53      -4.752  12.235   5.643  1.00   .00          
ATOM    858  CB  HIS    53      -5.067  12.232   7.771  1.00   .00          
ATOM    859  HB1 HIS    53      -4.904  11.409   8.450  1.00   .00          
ATOM    860  HB2 HIS    53      -5.918  12.808   8.101  1.00   .00          
ATOM    861  CG  HIS    53      -3.847  13.110   7.747  1.00   .00          
ATOM    862  ND1 HIS    53      -3.569  14.016   8.758  1.00   .00          
ATOM    863  HD1 HIS    53      -4.114  14.177   9.557  1.00   .00          
ATOM    864  CD2 HIS    53      -2.820  13.232   6.843  1.00   .00          
ATOM    865  HD2 HIS    53      -2.726  12.665   5.929  1.00   .00          
ATOM    866  CE1 HIS    53      -2.418  14.637   8.443  1.00   .00          
ATOM    867  HE1 HIS    53      -1.954  15.398   9.052  1.00   .00          
ATOM    868  NE2 HIS    53      -1.919  14.196   7.284  1.00   .00          
ATOM    869  C   HIS    53      -5.007  10.194   6.301  1.00   .00          
ATOM    870  O   HIS    53      -5.364   9.435   7.178  1.00   .00          
ATOM    871  N   ASN    54      -4.327   9.775   5.266  1.00   .00          
ATOM    872  HN  ASN    54      -4.052  10.415   4.577  1.00   .00          
ATOM    873  CA  ASN    54      -3.961   8.333   5.125  1.00   .00          
ATOM    874  HA  ASN    54      -3.440   8.176   4.194  1.00   .00          
ATOM    875  CB  ASN    54      -3.008   8.038   6.298  1.00   .00          
ATOM    876  HB1 ASN    54      -2.508   8.950   6.588  1.00   .00          
ATOM    877  HB2 ASN    54      -2.270   7.315   5.981  1.00   .00          
ATOM    878  CG  ASN    54      -3.775   7.478   7.502  1.00   .00          
ATOM    879  OD1 ASN    54      -4.380   6.428   7.417  1.00   .00          
ATOM    880  ND2 ASN    54      -3.773   8.140   8.626  1.00   .00          
ATOM    881 HD21 ASN    54      -3.284   8.987   8.696  1.00   .00          
ATOM    882 HD22 ASN    54      -4.259   7.791   9.402  1.00   .00          
ATOM    883  C   ASN    54      -5.206   7.442   5.162  1.00   .00          
ATOM    884  O   ASN    54      -6.159   7.699   5.869  1.00   .00          
ATOM    885  N   THR    55      -5.186   6.387   4.400  1.00   .00          
ATOM    886  HN  THR    55      -4.399   6.201   3.848  1.00   .00          
ATOM    887  CA  THR    55      -6.336   5.450   4.366  1.00   .00          
ATOM    888  HA  THR    55      -6.799   5.378   5.337  1.00   .00          
ATOM    889  CB  THR    55      -7.317   6.041   3.350  1.00   .00          
ATOM    890  HB  THR    55      -8.179   5.398   3.267  1.00   .00          
ATOM    891  OG1 THR    55      -6.681   6.148   2.084  1.00   .00          
ATOM    892  HG1 THR    55      -7.362   6.278   1.420  1.00   .00          
ATOM    893  CG2 THR    55      -7.766   7.427   3.816  1.00   .00          
ATOM    894 HG21 THR    55      -7.988   7.397   4.873  1.00   .00          
ATOM    895 HG22 THR    55      -8.651   7.721   3.271  1.00   .00          
ATOM    896 HG23 THR    55      -6.977   8.142   3.634  1.00   .00          
ATOM    897  C   THR    55      -5.832   4.088   3.903  1.00   .00          
ATOM    898  O   THR    55      -4.716   3.960   3.440  1.00   .00          
ATOM    899  N   TRP    56      -6.623   3.068   4.026  1.00   .00          
ATOM    900  HN  TRP    56      -7.520   3.178   4.406  1.00   .00          
ATOM    901  CA  TRP    56      -6.149   1.731   3.592  1.00   .00          
ATOM    902  HA  TRP    56      -5.069   1.718   3.554  1.00   .00          
ATOM    903  CB  TRP    56      -6.634    .778   4.678  1.00   .00          
ATOM    904  HB1 TRP    56      -6.622   -.236   4.309  1.00   .00          
ATOM    905  HB2 TRP    56      -7.637   1.047   4.979  1.00   .00          
ATOM    906  CG  TRP    56      -5.707    .902   5.839  1.00   .00          
ATOM    907  CD1 TRP    56      -5.776   1.858   6.796  1.00   .00          
ATOM    908  HD1 TRP    56      -6.508   2.648   6.845  1.00   .00          
ATOM    909  CD2 TRP    56      -4.554    .079   6.164  1.00   .00          
ATOM    910  NE1 TRP    56      -4.738   1.668   7.689  1.00   .00          
ATOM    911  HE1 TRP    56      -4.562   2.222   8.478  1.00   .00          
ATOM    912  CE2 TRP    56      -3.960    .581   7.344  1.00   .00          
ATOM    913  CE3 TRP    56      -3.974  -1.048   5.557  1.00   .00          
ATOM    914  HE3 TRP    56      -4.407  -1.455   4.655  1.00   .00          
ATOM    915  CZ2 TRP    56      -2.828   -.013   7.899  1.00   .00          
ATOM    916  HZ2 TRP    56      -2.388    .387   8.796  1.00   .00          
ATOM    917  CZ3 TRP    56      -2.835  -1.646   6.114  1.00   .00          
ATOM    918  HZ3 TRP    56      -2.398  -2.510   5.640  1.00   .00          
ATOM    919  CH2 TRP    56      -2.264  -1.127   7.284  1.00   .00          
ATOM    920  HH2 TRP    56      -1.387  -1.586   7.710  1.00   .00          
ATOM    921  C   TRP    56      -6.726   1.382   2.222  1.00   .00          
ATOM    922  O   TRP    56      -7.826    .879   2.103  1.00   .00          
ATOM    923  N   GLU    57      -5.983   1.657   1.184  1.00   .00          
ATOM    924  HN  GLU    57      -5.101   2.067   1.310  1.00   .00          
ATOM    925  CA  GLU    57      -6.472   1.357   -.188  1.00   .00          
ATOM    926  HA  GLU    57      -7.547   1.345   -.210  1.00   .00          
ATOM    927  CB  GLU    57      -5.946   2.501  -1.057  1.00   .00          
ATOM    928  HB1 GLU    57      -6.143   2.283  -2.096  1.00   .00          
ATOM    929  HB2 GLU    57      -4.881   2.606   -.907  1.00   .00          
ATOM    930  CG  GLU    57      -6.648   3.805   -.672  1.00   .00          
ATOM    931  HG1 GLU    57      -5.946   4.459   -.177  1.00   .00          
ATOM    932  HG2 GLU    57      -7.470   3.588   -.005  1.00   .00          
ATOM    933  CD  GLU    57      -7.179   4.492  -1.932  1.00   .00          
ATOM    934  OE1 GLU    57      -7.574   3.786  -2.845  1.00   .00          
ATOM    935  OE2 GLU    57      -7.182   5.711  -1.962  1.00   .00          
ATOM    936  C   GLU    57      -5.909    .023   -.675  1.00   .00          
ATOM    937  O   GLU    57      -5.440   -.788    .099  1.00   .00          
ATOM    938  N   THR    58      -5.946   -.203  -1.956  1.00   .00          
ATOM    939  HN  THR    58      -6.322    .472  -2.559  1.00   .00          
ATOM    940  CA  THR    58      -5.410  -1.474  -2.513  1.00   .00          
ATOM    941  HA  THR    58      -4.617  -1.863  -1.887  1.00   .00          
ATOM    942  CB  THR    58      -6.593  -2.435  -2.526  1.00   .00          
ATOM    943  HB  THR    58      -6.351  -3.293  -3.135  1.00   .00          
ATOM    944  OG1 THR    58      -7.733  -1.776  -3.061  1.00   .00          
ATOM    945  HG1 THR    58      -7.854  -2.079  -3.965  1.00   .00          
ATOM    946  CG2 THR    58      -6.886  -2.892  -1.100  1.00   .00          
ATOM    947 HG21 THR    58      -7.637  -3.666  -1.116  1.00   .00          
ATOM    948 HG22 THR    58      -7.244  -2.053   -.521  1.00   .00          
ATOM    949 HG23 THR    58      -5.981  -3.277   -.654  1.00   .00          
ATOM    950  C   THR    58      -4.913  -1.229  -3.933  1.00   .00          
ATOM    951  O   THR    58      -5.406   -.363  -4.623  1.00   .00          
ATOM    952  N   TYR    59      -3.942  -1.972  -4.375  1.00   .00          
ATOM    953  HN  TYR    59      -3.553  -2.664  -3.800  1.00   .00          
ATOM    954  CA  TYR    59      -3.415  -1.761  -5.752  1.00   .00          
ATOM    955  HA  TYR    59      -2.717   -.943  -5.754  1.00   .00          
ATOM    956  CB  TYR    59      -2.708  -3.067  -6.114  1.00   .00          
ATOM    957  HB1 TYR    59      -2.766  -3.221  -7.181  1.00   .00          
ATOM    958  HB2 TYR    59      -3.194  -3.888  -5.607  1.00   .00          
ATOM    959  CG  TYR    59      -1.260  -3.008  -5.696  1.00   .00          
ATOM    960  CD1 TYR    59       -.257  -3.349  -6.610  1.00   .00          
ATOM    961  HD1 TYR    59       -.520  -3.647  -7.615  1.00   .00          
ATOM    962  CD2 TYR    59       -.920  -2.623  -4.395  1.00   .00          
ATOM    963  HD2 TYR    59      -1.694  -2.360  -3.690  1.00   .00          
ATOM    964  CE1 TYR    59       1.087  -3.304  -6.224  1.00   .00          
ATOM    965  HE1 TYR    59       1.861  -3.568  -6.930  1.00   .00          
ATOM    966  CE2 TYR    59        .425  -2.577  -4.009  1.00   .00          
ATOM    967  HE2 TYR    59        .687  -2.279  -3.005  1.00   .00          
ATOM    968  CZ  TYR    59       1.428  -2.918  -4.924  1.00   .00          
ATOM    969  OH  TYR    59       2.754  -2.876  -4.544  1.00   .00          
ATOM    970  HH  TYR    59       3.273  -2.611  -5.306  1.00   .00          
ATOM    971  C   TYR    59      -4.556  -1.495  -6.738  1.00   .00          
ATOM    972  O   TYR    59      -4.445   -.675  -7.628  1.00   .00          
ATOM    973  N   GLU    60      -5.649  -2.189  -6.587  1.00   .00          
ATOM    974  HN  GLU    60      -5.710  -2.847  -5.865  1.00   .00          
ATOM    975  CA  GLU    60      -6.800  -1.990  -7.517  1.00   .00          
ATOM    976  HA  GLU    60      -6.489  -2.142  -8.538  1.00   .00          
ATOM    977  CB  GLU    60      -7.814  -3.063  -7.118  1.00   .00          
ATOM    978  HB1 GLU    60      -8.775  -2.603  -6.941  1.00   .00          
ATOM    979  HB2 GLU    60      -7.479  -3.558  -6.218  1.00   .00          
ATOM    980  CG  GLU    60      -7.943  -4.089  -8.247  1.00   .00          
ATOM    981  HG1 GLU    60      -7.126  -3.964  -8.941  1.00   .00          
ATOM    982  HG2 GLU    60      -8.881  -3.940  -8.763  1.00   .00          
ATOM    983  CD  GLU    60      -7.900  -5.501  -7.661  1.00   .00          
ATOM    984  OE1 GLU    60      -7.542  -6.412  -8.388  1.00   .00          
ATOM    985  OE2 GLU    60      -8.227  -5.647  -6.495  1.00   .00          
ATOM    986  C   GLU    60      -7.403   -.591  -7.345  1.00   .00          
ATOM    987  O   GLU    60      -8.295   -.199  -8.072  1.00   .00          
ATOM    988  N   SER    61      -6.932    .162  -6.390  1.00   .00          
ATOM    989  HN  SER    61      -6.216   -.173  -5.808  1.00   .00          
ATOM    990  CA  SER    61      -7.493   1.531  -6.178  1.00   .00          
ATOM    991  HA  SER    61      -8.128   1.808  -7.005  1.00   .00          
ATOM    992  CB  SER    61      -8.324   1.422  -4.901  1.00   .00          
ATOM    993  HB1 SER    61      -7.919   2.089  -4.151  1.00   .00          
ATOM    994  HB2 SER    61      -8.292    .411  -4.533  1.00   .00          
ATOM    995  OG  SER    61      -9.672   1.773  -5.188  1.00   .00          
ATOM    996  HG  SER    61     -10.207    .980  -5.117  1.00   .00          
ATOM    997  C   SER    61      -6.370   2.562  -6.000  1.00   .00          
ATOM    998  O   SER    61      -6.598   3.754  -6.074  1.00   .00          
ATOM    999  N   ILE    62      -5.165   2.121  -5.766  1.00   .00          
ATOM   1000  HN  ILE    62      -4.996   1.160  -5.710  1.00   .00          
ATOM   1001  CA  ILE    62      -4.040   3.088  -5.585  1.00   .00          
ATOM   1002  HA  ILE    62      -4.425   4.096  -5.587  1.00   .00          
ATOM   1003  CB  ILE    62      -3.419   2.774  -4.197  1.00   .00          
ATOM   1004  HB  ILE    62      -3.796   3.484  -3.482  1.00   .00          
ATOM   1005  CG1 ILE    62      -1.890   2.882  -4.249  1.00   .00          
ATOM   1006 HG11 ILE    62      -1.608   3.906  -4.441  1.00   .00          
ATOM   1007 HG12 ILE    62      -1.511   2.248  -5.037  1.00   .00          
ATOM   1008  CG2 ILE    62      -3.796   1.367  -3.729  1.00   .00          
ATOM   1009 HG21 ILE    62      -3.566    .655  -4.507  1.00   .00          
ATOM   1010 HG22 ILE    62      -4.853   1.334  -3.510  1.00   .00          
ATOM   1011 HG23 ILE    62      -3.236   1.123  -2.839  1.00   .00          
ATOM   1012  CD1 ILE    62      -1.306   2.438  -2.908  1.00   .00          
ATOM   1013 HD11 ILE    62      -1.492   3.200  -2.167  1.00   .00          
ATOM   1014 HD12 ILE    62       -.243   2.287  -3.011  1.00   .00          
ATOM   1015 HD13 ILE    62      -1.772   1.513  -2.598  1.00   .00          
ATOM   1016  C   ILE    62      -3.022   2.922  -6.723  1.00   .00          
ATOM   1017  O   ILE    62      -1.975   3.538  -6.725  1.00   .00          
ATOM   1018  N   GLY    63      -3.323   2.103  -7.691  1.00   .00          
ATOM   1019  HN  GLY    63      -4.174   1.616  -7.677  1.00   .00          
ATOM   1020  CA  GLY    63      -2.372   1.913  -8.822  1.00   .00          
ATOM   1021  HA1 GLY    63      -2.543    .951  -9.279  1.00   .00          
ATOM   1022  HA2 GLY    63      -1.358   1.961  -8.450  1.00   .00          
ATOM   1023  C   GLY    63      -2.587   3.014  -9.865  1.00   .00          
ATOM   1024  O   GLY    63      -3.557   3.745  -9.821  1.00   .00          
ATOM   1025  N   GLN    64      -1.688   3.133 -10.804  1.00   .00          
ATOM   1026  HN  GLN    64       -.917   2.528 -10.817  1.00   .00          
ATOM   1027  CA  GLN    64      -1.829   4.177 -11.864  1.00   .00          
ATOM   1028  HA  GLN    64      -1.002   4.115 -12.553  1.00   .00          
ATOM   1029  CB  GLN    64      -3.133   3.840 -12.590  1.00   .00          
ATOM   1030  HB1 GLN    64      -3.464   4.699 -13.153  1.00   .00          
ATOM   1031  HB2 GLN    64      -3.889   3.568 -11.869  1.00   .00          
ATOM   1032  CG  GLN    64      -2.896   2.669 -13.546  1.00   .00          
ATOM   1033  HG1 GLN    64      -2.904   1.744 -12.991  1.00   .00          
ATOM   1034  HG2 GLN    64      -1.939   2.791 -14.032  1.00   .00          
ATOM   1035  CD  GLN    64      -4.004   2.637 -14.601  1.00   .00          
ATOM   1036  OE1 GLN    64      -4.339   3.653 -15.178  1.00   .00          
ATOM   1037  NE2 GLN    64      -4.591   1.506 -14.879  1.00   .00          
ATOM   1038 HE21 GLN    64      -4.322    .687 -14.412  1.00   .00          
ATOM   1039 HE22 GLN    64      -5.300   1.474 -15.555  1.00   .00          
ATOM   1040  C   GLN    64      -1.901   5.582 -11.250  1.00   .00          
ATOM   1041  O   GLN    64      -2.566   6.459 -11.765  1.00   .00          
ATOM   1042  N   VAL    65      -1.211   5.807 -10.166  1.00   .00          
ATOM   1043  HN  VAL    65       -.671   5.089  -9.773  1.00   .00          
ATOM   1044  CA  VAL    65      -1.226   7.160  -9.530  1.00   .00          
ATOM   1045  HA  VAL    65      -1.376   7.929 -10.272  1.00   .00          
ATOM   1046  CB  VAL    65      -2.393   7.140  -8.543  1.00   .00          
ATOM   1047  HB  VAL    65      -2.376   8.043  -7.950  1.00   .00          
ATOM   1048  CG1 VAL    65      -3.715   7.060  -9.303  1.00   .00          
ATOM   1049 HG11 VAL    65      -3.729   6.165  -9.906  1.00   .00          
ATOM   1050 HG12 VAL    65      -3.815   7.927  -9.939  1.00   .00          
ATOM   1051 HG13 VAL    65      -4.532   7.033  -8.598  1.00   .00          
ATOM   1052  CG2 VAL    65      -2.260   5.925  -7.624  1.00   .00          
ATOM   1053 HG21 VAL    65      -2.003   5.056  -8.212  1.00   .00          
ATOM   1054 HG22 VAL    65      -3.198   5.753  -7.118  1.00   .00          
ATOM   1055 HG23 VAL    65      -1.485   6.109  -6.895  1.00   .00          
ATOM   1056  C   VAL    65        .083   7.383  -8.778  1.00   .00          
ATOM   1057  O   VAL    65        .116   8.028  -7.749  1.00   .00          
ATOM   1058  N   ARG    66       1.160   6.825  -9.269  1.00   .00          
ATOM   1059  HN  ARG    66       1.102   6.290 -10.088  1.00   .00          
ATOM   1060  CA  ARG    66       2.471   6.973  -8.570  1.00   .00          
ATOM   1061  HA  ARG    66       3.280   6.677  -9.220  1.00   .00          
ATOM   1062  CB  ARG    66       2.588   8.460  -8.228  1.00   .00          
ATOM   1063  HB1 ARG    66       2.072   8.658  -7.300  1.00   .00          
ATOM   1064  HB2 ARG    66       2.143   9.047  -9.019  1.00   .00          
ATOM   1065  CG  ARG    66       4.063   8.837  -8.078  1.00   .00          
ATOM   1066  HG1 ARG    66       4.634   8.381  -8.873  1.00   .00          
ATOM   1067  HG2 ARG    66       4.429   8.486  -7.124  1.00   .00          
ATOM   1068  CD  ARG    66       4.210  10.358  -8.155  1.00   .00          
ATOM   1069  HD1 ARG    66       4.570  10.749  -7.216  1.00   .00          
ATOM   1070  HD2 ARG    66       3.265  10.812  -8.418  1.00   .00          
ATOM   1071  NE  ARG    66       5.218  10.593  -9.226  1.00   .00          
ATOM   1072  HE  ARG    66       5.750   9.846  -9.571  1.00   .00          
ATOM   1073  CZ  ARG    66       5.392  11.794  -9.704  1.00   .00          
ATOM   1074  NH1 ARG    66       4.358  12.527 -10.016  1.00   .00          
ATOM   1075 HH11 ARG    66       3.434  12.168  -9.889  1.00   .00          
ATOM   1076 HH12 ARG    66       4.491  13.448 -10.383  1.00   .00          
ATOM   1077  NH2 ARG    66       6.598  12.262  -9.870  1.00   .00          
ATOM   1078 HH21 ARG    66       7.390  11.701  -9.630  1.00   .00          
ATOM   1079 HH22 ARG    66       6.731  13.183 -10.236  1.00   .00          
ATOM   1080  C   ARG    66       2.470   6.120  -7.295  1.00   .00          
ATOM   1081  O   ARG    66       3.451   6.052  -6.574  1.00   .00          
ATOM   1082  N   GLY    67       1.376   5.457  -7.020  1.00   .00          
ATOM   1083  HN  GLY    67        .604   5.512  -7.615  1.00   .00          
ATOM   1084  CA  GLY    67       1.306   4.606  -5.808  1.00   .00          
ATOM   1085  HA1 GLY    67        .295   4.255  -5.669  1.00   .00          
ATOM   1086  HA2 GLY    67       1.612   5.178  -4.949  1.00   .00          
ATOM   1087  C   GLY    67       2.232   3.413  -5.987  1.00   .00          
ATOM   1088  O   GLY    67       3.192   3.252  -5.269  1.00   .00          
ATOM   1089  N   LEU    68       1.954   2.579  -6.947  1.00   .00          
ATOM   1090  HN  LEU    68       1.173   2.734  -7.518  1.00   .00          
ATOM   1091  CA  LEU    68       2.821   1.393  -7.179  1.00   .00          
ATOM   1092  HA  LEU    68       2.569    .606  -6.488  1.00   .00          
ATOM   1093  CB  LEU    68       2.515    .956  -8.613  1.00   .00          
ATOM   1094  HB1 LEU    68       3.268    .258  -8.947  1.00   .00          
ATOM   1095  HB2 LEU    68       2.513   1.822  -9.260  1.00   .00          
ATOM   1096  CG  LEU    68       1.143    .283  -8.660  1.00   .00          
ATOM   1097  HG  LEU    68        .400    .952  -8.251  1.00   .00          
ATOM   1098  CD1 LEU    68        .787   -.047 -10.110  1.00   .00          
ATOM   1099 HD11 LEU    68        .777    .861 -10.694  1.00   .00          
ATOM   1100 HD12 LEU    68       -.189   -.509 -10.146  1.00   .00          
ATOM   1101 HD13 LEU    68       1.522   -.727 -10.515  1.00   .00          
ATOM   1102  CD2 LEU    68       1.179  -1.008  -7.840  1.00   .00          
ATOM   1103 HD21 LEU    68        .328  -1.036  -7.176  1.00   .00          
ATOM   1104 HD22 LEU    68       2.089  -1.041  -7.259  1.00   .00          
ATOM   1105 HD23 LEU    68       1.145  -1.858  -8.505  1.00   .00          
ATOM   1106  C   LEU    68       4.297   1.769  -7.030  1.00   .00          
ATOM   1107  O   LEU    68       5.093    .987  -6.560  1.00   .00          
ATOM   1108  N   LYS    69       4.672   2.957  -7.415  1.00   .00          
ATOM   1109  HN  LYS    69       4.019   3.585  -7.788  1.00   .00          
ATOM   1110  CA  LYS    69       6.102   3.354  -7.274  1.00   .00          
ATOM   1111  HA  LYS    69       6.739   2.654  -7.789  1.00   .00          
ATOM   1112  CB  LYS    69       6.205   4.733  -7.918  1.00   .00          
ATOM   1113  HB1 LYS    69       5.478   5.392  -7.470  1.00   .00          
ATOM   1114  HB2 LYS    69       6.013   4.648  -8.977  1.00   .00          
ATOM   1115  CG  LYS    69       7.609   5.298  -7.696  1.00   .00          
ATOM   1116  HG1 LYS    69       7.884   5.180  -6.659  1.00   .00          
ATOM   1117  HG2 LYS    69       7.619   6.347  -7.954  1.00   .00          
ATOM   1118  CD  LYS    69       8.611   4.545  -8.575  1.00   .00          
ATOM   1119  HD1 LYS    69       8.096   4.117  -9.422  1.00   .00          
ATOM   1120  HD2 LYS    69       9.073   3.757  -7.999  1.00   .00          
ATOM   1121  CE  LYS    69       9.687   5.513  -9.072  1.00   .00          
ATOM   1122  HE1 LYS    69      10.667   5.080  -8.951  1.00   .00          
ATOM   1123  HE2 LYS    69       9.619   6.453  -8.540  1.00   .00          
ATOM   1124  NZ  LYS    69       9.390   5.710 -10.518  1.00   .00          
ATOM   1125  HZ1 LYS    69       8.593   6.369 -10.623  1.00   .00          
ATOM   1126  HZ2 LYS    69       9.143   4.795 -10.949  1.00   .00          
ATOM   1127  HZ3 LYS    69      10.226   6.103 -10.994  1.00   .00          
ATOM   1128  C   LYS    69       6.474   3.424  -5.794  1.00   .00          
ATOM   1129  O   LYS    69       7.338   2.709  -5.328  1.00   .00          
ATOM   1130  N   ARG    70       5.818   4.268  -5.044  1.00   .00          
ATOM   1131  HN  ARG    70       5.111   4.830  -5.433  1.00   .00          
ATOM   1132  CA  ARG    70       6.138   4.354  -3.591  1.00   .00          
ATOM   1133  HA  ARG    70       7.201   4.466  -3.443  1.00   .00          
ATOM   1134  CB  ARG    70       5.400   5.592  -3.081  1.00   .00          
ATOM   1135  HB1 ARG    70       5.811   5.888  -2.127  1.00   .00          
ATOM   1136  HB2 ARG    70       4.353   5.363  -2.966  1.00   .00          
ATOM   1137  CG  ARG    70       5.572   6.735  -4.084  1.00   .00          
ATOM   1138  HG1 ARG    70       4.645   6.894  -4.611  1.00   .00          
ATOM   1139  HG2 ARG    70       6.348   6.478  -4.790  1.00   .00          
ATOM   1140  CD  ARG    70       5.961   8.015  -3.341  1.00   .00          
ATOM   1141  HD1 ARG    70       5.986   7.840  -2.277  1.00   .00          
ATOM   1142  HD2 ARG    70       5.269   8.811  -3.579  1.00   .00          
ATOM   1143  NE  ARG    70       7.326   8.344  -3.836  1.00   .00          
ATOM   1144  HE  ARG    70       7.488   8.444  -4.798  1.00   .00          
ATOM   1145  CZ  ARG    70       8.308   8.496  -2.991  1.00   .00          
ATOM   1146  NH1 ARG    70       8.328   9.528  -2.193  1.00   .00          
ATOM   1147 HH11 ARG    70       7.591  10.203  -2.229  1.00   .00          
ATOM   1148 HH12 ARG    70       9.082   9.645  -1.545  1.00   .00          
ATOM   1149  NH2 ARG    70       9.270   7.616  -2.944  1.00   .00          
ATOM   1150 HH21 ARG    70       9.255   6.825  -3.556  1.00   .00          
ATOM   1151 HH22 ARG    70      10.023   7.733  -2.297  1.00   .00          
ATOM   1152  C   ARG    70       5.630   3.088  -2.903  1.00   .00          
ATOM   1153  O   ARG    70       6.168   2.644  -1.908  1.00   .00          
ATOM   1154  N   LEU    71       4.612   2.490  -3.457  1.00   .00          
ATOM   1155  HN  LEU    71       4.216   2.859  -4.274  1.00   .00          
ATOM   1156  CA  LEU    71       4.068   1.232  -2.884  1.00   .00          
ATOM   1157  HA  LEU    71       3.902   1.326  -1.821  1.00   .00          
ATOM   1158  CB  LEU    71       2.749   1.013  -3.630  1.00   .00          
ATOM   1159  HB1 LEU    71       2.944    .475  -4.546  1.00   .00          
ATOM   1160  HB2 LEU    71       2.311   1.970  -3.865  1.00   .00          
ATOM   1161  CG  LEU    71       1.777    .205  -2.767  1.00   .00          
ATOM   1162  HG  LEU    71        .963   -.148  -3.383  1.00   .00          
ATOM   1163  CD1 LEU    71       2.507   -.991  -2.163  1.00   .00          
ATOM   1164 HD11 LEU    71       1.795  -1.630  -1.663  1.00   .00          
ATOM   1165 HD12 LEU    71       3.241   -.643  -1.454  1.00   .00          
ATOM   1166 HD13 LEU    71       2.998  -1.545  -2.949  1.00   .00          
ATOM   1167  CD2 LEU    71       1.224   1.087  -1.646  1.00   .00          
ATOM   1168 HD21 LEU    71       1.547   2.106  -1.795  1.00   .00          
ATOM   1169 HD22 LEU    71       1.587    .729   -.694  1.00   .00          
ATOM   1170 HD23 LEU    71        .144   1.047  -1.657  1.00   .00          
ATOM   1171  C   LEU    71       5.057    .114  -3.186  1.00   .00          
ATOM   1172  O   LEU    71       5.237   -.807  -2.414  1.00   .00          
ATOM   1173  N   ASP    72       5.720    .212  -4.306  1.00   .00          
ATOM   1174  HN  ASP    72       5.565    .981  -4.900  1.00   .00          
ATOM   1175  CA  ASP    72       6.730   -.823  -4.665  1.00   .00          
ATOM   1176  HA  ASP    72       6.297  -1.810  -4.625  1.00   .00          
ATOM   1177  CB  ASP    72       7.174   -.491  -6.090  1.00   .00          
ATOM   1178  HB1 ASP    72       8.196   -.813  -6.230  1.00   .00          
ATOM   1179  HB2 ASP    72       7.109    .575  -6.250  1.00   .00          
ATOM   1180  CG  ASP    72       6.274  -1.219  -7.091  1.00   .00          
ATOM   1181  OD1 ASP    72       6.776  -1.618  -8.128  1.00   .00          
ATOM   1182  OD2 ASP    72       5.097  -1.363  -6.802  1.00   .00          
ATOM   1183  C   ASP    72       7.905   -.706  -3.701  1.00   .00          
ATOM   1184  O   ASP    72       8.308  -1.666  -3.073  1.00   .00          
ATOM   1185  N   ASN    73       8.445    .474  -3.562  1.00   .00          
ATOM   1186  HN  ASN    73       8.093   1.242  -4.068  1.00   .00          
ATOM   1187  CA  ASN    73       9.579    .658  -2.616  1.00   .00          
ATOM   1188  HA  ASN    73      10.411    .027  -2.895  1.00   .00          
ATOM   1189  CB  ASN    73       9.965   2.134  -2.731  1.00   .00          
ATOM   1190  HB1 ASN    73       9.184   2.744  -2.302  1.00   .00          
ATOM   1191  HB2 ASN    73      10.093   2.391  -3.772  1.00   .00          
ATOM   1192  CG  ASN    73      11.273   2.381  -1.978  1.00   .00          
ATOM   1193  OD1 ASN    73      12.117   1.511  -1.901  1.00   .00          
ATOM   1194  ND2 ASN    73      11.480   3.542  -1.418  1.00   .00          
ATOM   1195 HD21 ASN    73      10.799   4.244  -1.481  1.00   .00          
ATOM   1196 HD22 ASN    73      12.315   3.710   -.934  1.00   .00          
ATOM   1197  C   ASN    73       9.104    .325  -1.202  1.00   .00          
ATOM   1198  O   ASN    73       9.885   -.003   -.331  1.00   .00          
ATOM   1199  N   TYR    74       7.819    .379   -.973  1.00   .00          
ATOM   1200  HN  TYR    74       7.199    .620  -1.689  1.00   .00          
ATOM   1201  CA  TYR    74       7.297    .034    .369  1.00   .00          
ATOM   1202  HA  TYR    74       7.942    .417   1.139  1.00   .00          
ATOM   1203  CB  TYR    74       5.916    .682    .461  1.00   .00          
ATOM   1204  HB1 TYR    74       5.358    .479   -.440  1.00   .00          
ATOM   1205  HB2 TYR    74       6.024   1.749    .591  1.00   .00          
ATOM   1206  CG  TYR    74       5.193    .095   1.646  1.00   .00          
ATOM   1207  CD1 TYR    74       4.405  -1.051   1.488  1.00   .00          
ATOM   1208  HD1 TYR    74       4.301  -1.506    .513  1.00   .00          
ATOM   1209  CD2 TYR    74       5.327    .683   2.907  1.00   .00          
ATOM   1210  HD2 TYR    74       5.935   1.568   3.028  1.00   .00          
ATOM   1211  CE1 TYR    74       3.751  -1.608   2.593  1.00   .00          
ATOM   1212  HE1 TYR    74       3.144  -2.494   2.471  1.00   .00          
ATOM   1213  CE2 TYR    74       4.672    .129   4.011  1.00   .00          
ATOM   1214  HE2 TYR    74       4.776    .584   4.985  1.00   .00          
ATOM   1215  CZ  TYR    74       3.885  -1.016   3.854  1.00   .00          
ATOM   1216  OH  TYR    74       3.245  -1.564   4.945  1.00   .00          
ATOM   1217  HH  TYR    74       3.827  -1.481   5.704  1.00   .00          
ATOM   1218  C   TYR    74       7.176  -1.482    .460  1.00   .00          
ATOM   1219  O   TYR    74       7.579  -2.098   1.427  1.00   .00          
ATOM   1220  N   CYS    75       6.633  -2.088   -.559  1.00   .00          
ATOM   1221  HN  CYS    75       6.328  -1.569  -1.330  1.00   .00          
ATOM   1222  CA  CYS    75       6.494  -3.563   -.556  1.00   .00          
ATOM   1223  HA  CYS    75       5.885  -3.881    .273  1.00   .00          
ATOM   1224  CB  CYS    75       5.810  -3.904  -1.878  1.00   .00          
ATOM   1225  HB1 CYS    75       6.083  -4.905  -2.175  1.00   .00          
ATOM   1226  HB2 CYS    75       6.125  -3.204  -2.637  1.00   .00          
ATOM   1227  SG  CYS    75       4.014  -3.804  -1.672  1.00   .00          
ATOM   1228  HG  CYS    75       3.706  -4.647  -1.332  1.00   .00          
ATOM   1229  C   CYS    75       7.879  -4.200   -.487  1.00   .00          
ATOM   1230  O   CYS    75       8.057  -5.268    .061  1.00   .00          
ATOM   1231  N   LYS    76       8.866  -3.544  -1.034  1.00   .00          
ATOM   1232  HN  LYS    76       8.702  -2.680  -1.467  1.00   .00          
ATOM   1233  CA  LYS    76      10.243  -4.107   -.991  1.00   .00          
ATOM   1234  HA  LYS    76      10.207  -5.176  -1.127  1.00   .00          
ATOM   1235  CB  LYS    76      10.989  -3.446  -2.164  1.00   .00          
ATOM   1236  HB1 LYS    76      10.305  -3.310  -2.989  1.00   .00          
ATOM   1237  HB2 LYS    76      11.801  -4.083  -2.476  1.00   .00          
ATOM   1238  CG  LYS    76      11.550  -2.081  -1.750  1.00   .00          
ATOM   1239  HG1 LYS    76      12.091  -2.176   -.821  1.00   .00          
ATOM   1240  HG2 LYS    76      10.738  -1.382  -1.625  1.00   .00          
ATOM   1241  CD  LYS    76      12.499  -1.572  -2.837  1.00   .00          
ATOM   1242  HD1 LYS    76      12.059   -.719  -3.331  1.00   .00          
ATOM   1243  HD2 LYS    76      12.672  -2.356  -3.560  1.00   .00          
ATOM   1244  CE  LYS    76      13.830  -1.160  -2.203  1.00   .00          
ATOM   1245  HE1 LYS    76      13.883  -1.506  -1.183  1.00   .00          
ATOM   1246  HE2 LYS    76      13.948   -.086  -2.245  1.00   .00          
ATOM   1247  NZ  LYS    76      14.873  -1.833  -3.026  1.00   .00          
ATOM   1248  HZ1 LYS    76      14.634  -2.839  -3.134  1.00   .00          
ATOM   1249  HZ2 LYS    76      15.797  -1.744  -2.555  1.00   .00          
ATOM   1250  HZ3 LYS    76      14.917  -1.387  -3.964  1.00   .00          
ATOM   1251  C   LYS    76      10.886  -3.770    .356  1.00   .00          
ATOM   1252  O   LYS    76      11.740  -4.481    .846  1.00   .00          
ATOM   1253  N   GLN    77      10.464  -2.697    .963  1.00   .00          
ATOM   1254  HN  GLN    77       9.763  -2.147    .554  1.00   .00          
ATOM   1255  CA  GLN    77      11.025  -2.317   2.287  1.00   .00          
ATOM   1256  HA  GLN    77      12.040  -2.667   2.388  1.00   .00          
ATOM   1257  CB  GLN    77      10.985   -.788   2.308  1.00   .00          
ATOM   1258  HB1 GLN    77      10.024   -.458   2.673  1.00   .00         
ATOM   1259  HB2 GLN    77      11.139   -.411   1.308  1.00   .00          
ATOM   1260  CG  GLN    77      12.086   -.258   3.229  1.00   .00          
ATOM   1261  HG1 GLN    77      13.036   -.301   2.718  1.00   .00          
ATOM   1262  HG2 GLN    77      12.129   -.863   4.124  1.00   .00          
ATOM   1263  CD  GLN    77      11.779   1.193   3.607  1.00   .00          
ATOM   1264  OE1 GLN    77      10.705   1.690   3.330  1.00   .00          
ATOM   1265  NE2 GLN    77      12.683   1.897   4.232  1.00   .00          
ATOM   1266 HE21 GLN    77      13.548   1.496   4.454  1.00   .00          
ATOM   1267 HE22 GLN    77      12.495   2.827   4.478  1.00   .00          
ATOM   1268  C   GLN    77      10.139  -2.891   3.395  1.00   .00          
ATOM   1269  O   GLN    77      10.371  -2.673   4.567  1.00   .00          
ATOM   1270  N   PHE    78       9.116  -3.618   3.026  1.00   .00          
ATOM   1271  HN  PHE    78       8.943  -3.773   2.076  1.00   .00          
ATOM   1272  CA  PHE    78       8.206  -4.199   4.053  1.00   .00          
ATOM   1273  HA  PHE    78       8.702  -4.241   5.008  1.00   .00          
ATOM   1274  CB  PHE    78       7.028  -3.227   4.126  1.00   .00          
ATOM   1275  HB1 PHE    78       6.219  -3.684   4.676  1.00   .00          
ATOM   1276  HB2 PHE    78       6.696  -2.990   3.126  1.00   .00          
ATOM   1277  CG  PHE    78       7.460  -1.963   4.827  1.00   .00          
ATOM   1278  CD1 PHE    78       7.699  -1.977   6.205  1.00   .00          
ATOM   1279  HD1 PHE    78       7.574  -2.893   6.763  1.00   .00          
ATOM   1280  CD2 PHE    78       7.621   -.777   4.100  1.00   .00          
ATOM   1281  HD2 PHE    78       7.435   -.767   3.036  1.00   .00          
ATOM   1282  CE1 PHE    78       8.100   -.806   6.859  1.00   .00          
ATOM   1283  HE1 PHE    78       8.284   -.818   7.923  1.00   .00          
ATOM   1284  CE2 PHE    78       8.022    .395   4.753  1.00   .00          
ATOM   1285  HE2 PHE    78       8.146   1.310   4.193  1.00   .00          
ATOM   1286  CZ  PHE    78       8.261    .380   6.133  1.00   .00          
ATOM   1287  HZ  PHE    78       8.571   1.284   6.637  1.00   .00          
ATOM   1288  C   PHE    78       7.715  -5.595   3.642  1.00   .00          
ATOM   1289  O   PHE    78       7.351  -6.396   4.480  1.00   .00          
ATOM   1290  N   ILE    79       7.684  -5.897   2.369  1.00   .00          
ATOM   1291  HN  ILE    79       7.971  -5.244   1.692  1.00   .00          
ATOM   1292  CA  ILE    79       7.195  -7.244   1.948  1.00   .00          
ATOM   1293  HA  ILE    79       6.897  -7.817   2.811  1.00   .00          
ATOM   1294  CB  ILE    79       5.969  -6.956   1.069  1.00   .00          
ATOM   1295  HB  ILE    79       6.141  -6.058    .494  1.00   .00          
ATOM   1296  CG1 ILE    79       4.741  -6.764   1.960  1.00   .00          
ATOM   1297 HG11 ILE    79       5.016  -6.923   2.992  1.00   .00          
ATOM   1298 HG12 ILE    79       3.979  -7.478   1.678  1.00   .00          
ATOM   1299  CG2 ILE    79       5.711  -8.128    .120  1.00   .00          
ATOM   1300 HG21 ILE    79       6.012  -9.049    .596  1.00   .00          
ATOM   1301 HG22 ILE    79       6.278  -7.988   -.787  1.00   .00           
ATOM   1302 HG23 ILE    79       4.657  -8.172   -.116  1.00   .00          
ATOM   1303  CD1 ILE    79       4.198  -5.344   1.790  1.00   .00          
ATOM   1304 HD11 ILE    79       4.734  -4.672   2.444  1.00   .00          
ATOM   1305 HD12 ILE    79       3.147  -5.328   2.041  1.00   .00          
ATOM   1306 HD13 ILE    79       4.327  -5.029    .765  1.00   .00          
ATOM   1307  C   ILE    79       8.281  -7.993   1.165  1.00   .00          
ATOM   1308  O   ILE    79       8.242  -9.200   1.037  1.00   .00          
ATOM   1309  N   ILE    80       9.248  -7.295    .639  1.00   .00          
ATOM   1310  HN  ILE    80       9.268  -6.322    .745  1.00   .00          
ATOM   1311  CA  ILE    80      10.322  -7.983   -.132  1.00   .00          
ATOM   1312  HA  ILE    80      10.362  -9.029    .130  1.00   .00          
ATOM   1313  CB  ILE    80       9.931  -7.826  -1.607  1.00   .00          
ATOM   1314  HB  ILE    80      10.309  -6.884  -1.975  1.00   .00          
ATOM   1315  CG1 ILE    80       8.405  -7.861  -1.759  1.00   .00          
ATOM   1316 HG11 ILE    80       7.960  -7.111  -1.124  1.00   .00          
ATOM   1317 HG12 ILE    80       8.038  -8.837  -1.476  1.00   .00          
ATOM   1318  CG2 ILE    80      10.534  -8.974  -2.418  1.00   .00          
ATOM   1319 HG21 ILE    80      11.337  -8.598  -3.034  1.00   .00          
ATOM   1320 HG22 ILE    80       9.771  -9.409  -3.047  1.00   .00          
ATOM   1321 HG23 ILE    80      10.918  -9.727  -1.745  1.00   .00          
ATOM   1322  CD1 ILE    80       8.032  -7.577  -3.215  1.00   .00          
ATOM   1323 HD11 ILE    80       8.296  -8.428  -3.826  1.00   .00          
ATOM   1324 HD12 ILE    80       8.569  -6.706  -3.560  1.00   .00          
ATOM   1325 HD13 ILE    80       6.970  -7.397  -3.286  1.00   .00          
ATOM   1326  C   ILE    80      11.672  -7.312    .146  1.00   .00          
ATOM   1327  O   ILE    80      11.897  -6.774   1.212  1.00   .00          
ATOM   1328  N   GLU    81      12.573  -7.336   -.799  1.00   .00          
ATOM   1329  HN  GLU    81      12.377  -7.774  -1.653  1.00   .00          
ATOM   1330  CA  GLU    81      13.903  -6.696   -.576  1.00   .00          
ATOM   1331  HA  GLU    81      13.780  -5.680   -.239  1.00   .00          
ATOM   1332  CB  GLU    81      14.567  -7.533    .518  1.00   .00          
ATOM   1333  HB1 GLU    81      14.011  -7.430   1.438  1.00   .00          
ATOM   1334  HB2 GLU    81      15.580  -7.189    .669  1.00   .00          
ATOM   1335  CG  GLU    81      14.583  -9.003    .097  1.00   .00          
ATOM   1336  HG1 GLU    81      14.229  -9.091   -.918  1.00   .00          
ATOM   1337  HG2 GLU    81      13.941  -9.572    .754  1.00   .00          
ATOM   1338  CD  GLU    81      16.011  -9.545    .184  1.00   .00          
ATOM   1339  OE1 GLU    81      16.538  -9.596   1.283  1.00   .00          
ATOM   1340  OE2 GLU    81      16.552  -9.900   -.849  1.00   .00          
ATOM   1341  C   GLU    81      14.735  -6.737  -1.861  1.00   .00          
ATOM   1342  OT1 GLU    81      14.253  -6.250  -2.871  1.00   .00          
ATOM   1343  OT2 GLU    81      15.839  -7.253  -1.812  1.00   .00          
END
【００８５】
〔表Ｂ〕
出芽酵母CHD1のクロモドメインCD2の構造座標
ATOM      1  CA  ASP     1      12.089  12.029  20.193  1.00   .00          
ATOM      2  HA  ASP     1      13.156  11.998  20.348  1.00   .00          
ATOM      3  CB  ASP     1      11.367  12.080  21.540  1.00   .00          
ATOM      4  HB1 ASP     1      11.267  11.080  21.933  1.00   .00          
ATOM      5  HB2 ASP     1      10.387  12.515  21.406  1.00   .00          
ATOM      6  CG  ASP     1      12.174  12.932  22.521  1.00   .00          
ATOM      7  OD1 ASP     1      13.205  12.462  22.974  1.00   .00          
ATOM      8  OD2 ASP     1      11.749  14.040  22.803  1.00   .00          
ATOM      9  C   ASP     1      11.629  10.813  19.382  1.00   .00          
ATOM     10  O   ASP     1      10.713  10.112  19.763  1.00   .00          
ATOM     11  N   ASP     1      11.700  13.291  19.499  1.00   .00          
ATOM     12  HT1 ASP     1      11.950  13.225  18.492  1.00   .00          
ATOM     13  HT2 ASP     1      12.204  14.093  19.930  1.00   .00          
ATOM     14  HT3 ASP     1      10.674  13.436  19.590  1.00   .00          
ATOM     15  N   GLU     2      12.260  10.557  18.267  1.00   .00          
ATOM     16  HN  GLU     2      12.996  11.135  17.978  1.00   .00          
ATOM     17  CA  GLU     2      11.859   9.386  17.434  1.00   .00          
ATOM     18  HA  GLU     2      12.466   9.331  16.544  1.00   .00          
ATOM     19  CB  GLU     2      12.114   8.163  18.317  1.00   .00          
ATOM     20  HB1 GLU     2      11.206   7.898  18.836  1.00   .00          
ATOM     21  HB2 GLU     2      12.887   8.394  19.036  1.00   .00          
ATOM     22  CG  GLU     2      12.561   6.988  17.444  1.00   .00          
ATOM     23  HG1 GLU     2      13.554   7.178  17.066  1.00   .00          
ATOM     24  HG2 GLU     2      11.876   6.873  16.617  1.00   .00          
ATOM     25  CD  GLU     2      12.574   5.707  18.279  1.00   .00          
ATOM     26  OE1 GLU     2      11.527   5.349  18.794  1.00   .00          
ATOM     27  OE2 GLU     2      13.630   5.105  18.390  1.00   .00          
ATOM     28  C   GLU     2      10.376   9.481  17.064  1.00   .00          
ATOM     29  O   GLU     2       9.518   8.998  17.776  1.00   .00          
ATOM     30  N   PHE     3      10.068  10.100  15.957  1.00   .00          
ATOM     31  HN  PHE     3      10.774  10.483  15.397  1.00   .00          
ATOM     32  CA  PHE     3       8.640  10.224  15.549  1.00   .00          
ATOM     33  HA  PHE     3       7.999   9.745  16.272  1.00   .00          
ATOM     34  CB  PHE     3       8.364  11.726  15.523  1.00   .00          
ATOM     35  HB1 PHE     3       8.399  12.082  14.504  1.00   .00          
ATOM     36  HB2 PHE     3       9.111  12.240  16.111  1.00   .00          
ATOM     37  CG  PHE     3       6.996  11.993  16.101  1.00   .00          
ATOM     38  CD1 PHE     3       6.821  13.019  17.037  1.00   .00          
ATOM     39  HD1 PHE     3       7.664  13.619  17.344  1.00   .00          
ATOM     40  CD2 PHE     3       5.903  11.214  15.701  1.00   .00          
ATOM     41  HD2 PHE     3       6.039  10.423  14.979  1.00   .00          
ATOM     42  CE1 PHE     3       5.552  13.265  17.574  1.00   .00          
ATOM     43  HE1 PHE     3       5.416  14.056  18.296  1.00   .00          
ATOM     44  CE2 PHE     3       4.635  11.461  16.238  1.00   .00          
ATOM     45  HE2 PHE     3       3.792  10.860  15.931  1.00   .00          
ATOM     46  CZ  PHE     3       4.459  12.486  17.175  1.00   .00          
ATOM     47  HZ  PHE     3       3.480  12.676  17.590  1.00   .00          
ATOM     48  C   PHE     3       8.425   9.617  14.161  1.00   .00          
ATOM     49  O   PHE     3       8.297  10.321  13.179  1.00   .00          
ATOM     50  N   GLU     4       8.380   8.317  14.072  1.00   .00          
ATOM     51  HN  GLU     4       8.481   7.767  14.876  1.00   .00          
ATOM     52  CA  GLU     4       8.166   7.670  12.746  1.00   .00          
ATOM     53  HA  GLU     4       8.746   8.168  11.985  1.00   .00          
ATOM     54  CB  GLU     4       8.657   6.233  12.922  1.00   .00          
ATOM     55  HB1 GLU     4       8.443   5.667  12.028  1.00   .00          
ATOM     56  HB2 GLU     4       8.153   5.781  13.764  1.00   .00          
ATOM     57  CG  GLU     4      10.167   6.235  13.170  1.00   .00          
ATOM     58  HG1 GLU     4      10.513   7.252  13.281  1.00   .00          
ATOM     59  HG2 GLU     4      10.669   5.772  12.333  1.00   .00          
ATOM     60  CD  GLU     4      10.475   5.453  14.448  1.00   .00          
ATOM     61  OE1 GLU     4       9.605   5.383  15.301  1.00   .00           
ATOM     62  OE2 GLU     4      11.576   4.938  14.553  1.00   .00          
ATOM     63  C   GLU     4       6.678   7.690  12.386  1.00   .00          
ATOM     64  O   GLU     4       6.265   7.153  11.377  1.00   .00          
ATOM     65  N   GLU     5       5.869   8.305  13.207  1.00   .00           
ATOM     66  HN  GLU     5       6.222   8.730  14.016  1.00   .00          
ATOM     67  CA  GLU     5       4.407   8.359  12.916  1.00   .00          
ATOM     68  HA  GLU     5       4.112   7.517  12.310  1.00   .00          
ATOM     69  CB  GLU     5       3.729   8.279  14.284  1.00   .00          
ATOM     70  HB1 GLU     5       2.831   8.878  14.277  1.00   .00          
ATOM     71  HB2 GLU     5       4.404   8.651  15.042  1.00   .00          
ATOM     72  CG  GLU     5       3.366   6.826  14.592  1.00   .00          
ATOM     73  HG1 GLU     5       3.573   6.615  15.631  1.00   .00          
ATOM     74  HG2 GLU     5       3.952   6.168  13.967  1.00   .00          
ATOM     75  CD  GLU     5       1.878   6.603  14.316  1.00   .00          
ATOM     76  OE1 GLU     5       1.376   5.556  14.689  1.00   .00          
ATOM     77  OE2 GLU     5       1.265   7.485  13.736  1.00   .00          
ATOM     78  C   GLU     5       4.049   9.673  12.217  1.00   .00          
ATOM     79  O   GLU     5       3.169  10.394  12.645  1.00   .00          
ATOM     80  N   PHE     6       4.720   9.990  11.145  1.00   .00          
ATOM     81  HN  PHE     6       5.425   9.395  10.814  1.00   .00          
ATOM     82  CA  PHE     6       4.412  11.257  10.420  1.00   .00          
ATOM     83  HA  PHE     6       3.842  11.923  11.048  1.00   .00          
ATOM     84  CB  PHE     6       5.774  11.874  10.102  1.00   .00          
ATOM     85  HB1 PHE     6       5.803  12.166   9.063  1.00   .00          
ATOM     86  HB2 PHE     6       6.551  11.148  10.294  1.00   .00          
ATOM     87  CG  PHE     6       5.994  13.089  10.972  1.00   .00          
ATOM     88  CD1 PHE     6       5.840  14.372  10.434  1.00   .00          
ATOM     89  HD1 PHE     6       5.562  14.494   9.398  1.00   .00          
ATOM     90  CD2 PHE     6       6.355  12.932  12.315  1.00   .00          
ATOM     91  HD2 PHE     6       6.473  11.942  12.730  1.00   .00          
ATOM     92  CE1 PHE     6       6.046  15.499  11.240  1.00   .00          
ATOM     93  HE1 PHE     6       5.927  16.489  10.826  1.00   .00          
ATOM     94  CE2 PHE     6       6.561  14.058  13.121  1.00   .00          
ATOM     95  HE2 PHE     6       6.839  13.937  14.157  1.00   .00          
ATOM     96  CZ  PHE     6       6.407  15.341  12.584  1.00   .00          
ATOM     97  HZ  PHE     6       6.566  16.210  13.205  1.00   .00          
ATOM     98  C   PHE     6       3.645  10.949   9.130  1.00   .00          
ATOM     99  O   PHE     6       2.682  11.609   8.795  1.00   .00          
ATOM    100  N   HIS     7       4.064   9.946   8.406  1.00   .00          
ATOM    101  HN  HIS     7       4.842   9.424   8.696  1.00   .00          
ATOM    102  CA  HIS     7       3.359   9.590   7.141  1.00   .00          
ATOM    103  HA  HIS     7       2.549  10.277   6.952  1.00   .00          
ATOM    104  CB  HIS     7       4.419   9.713   6.046  1.00   .00          
ATOM    105  HB1 HIS     7       4.814  10.718   6.039  1.00   .00          
ATOM    106  HB2 HIS     7       3.972   9.496   5.086  1.00   .00          
ATOM    107  CG  HIS     7       5.533   8.738   6.312  1.00   .00          
ATOM    108  ND1 HIS     7       5.555   7.470   5.754  1.00   .00          
ATOM    109  HD1 HIS     7       4.878   7.088   5.156  1.00   .00         
ATOM    110  CD2 HIS     7       6.671   8.832   7.074  1.00   .00          
ATOM    111  HD2 HIS     7       6.964   9.698   7.649  1.00   .00          
ATOM    112  CE1 HIS     7       6.673   6.857   6.184  1.00   .00          
ATOM    113  HE1 HIS     7       6.957   5.851   5.909  1.00   .00          
ATOM    114  NE2 HIS     7       7.390   7.644   6.992  1.00   .00           
ATOM    115  C   HIS     7       2.836   8.153   7.222  1.00   .00          
ATOM    116  O   HIS     7       3.598   7.209   7.283  1.00   .00          
ATOM    117  N   VAL     8       1.543   7.979   7.229  1.00   .00          
ATOM    118  HN  VAL     8        .943   8.753   7.184  1.00   .00          
ATOM    119  CA  VAL     8        .982   6.601   7.312  1.00   .00          
ATOM    120  HA  VAL     8       1.770   5.870   7.231  1.00   .00          
ATOM    121  CB  VAL     8        .339   6.519   8.695  1.00   .00          
ATOM    122  HB  VAL     8       -.543   7.141   8.718  1.00   .00          
ATOM    123  CG1 VAL     8       -.053   5.070   8.991  1.00   .00          
ATOM    124 HG11 VAL     8        .801   4.539   9.383  1.00   .00          
ATOM    125 HG12 VAL     8       -.387   4.595   8.082  1.00   .00          
ATOM    126 HG13 VAL     8       -.851   5.055   9.719  1.00   .00          
ATOM    127  CG2 VAL     8       1.337   7.003   9.748  1.00   .00          
ATOM    128 HG21 VAL     8        .879   6.962  10.725  1.00   .00          
ATOM    129 HG22 VAL     8       1.627   8.020   9.528  1.00   .00          
ATOM    130 HG23 VAL     8       2.211   6.368   9.734  1.00   .00          
ATOM    131  C   VAL     8       -.067   6.382   6.221  1.00   .00         
ATOM    132  O   VAL     8       -.875   7.249   5.950  1.00   .00          
ATOM    133  N   PRO     9       -.019   5.218   5.636  1.00   .00          
ATOM    134  CA  PRO     9       -.978   4.860   4.562  1.00   .00          
ATOM    135  HA  PRO     9      -1.016   5.630   3.809  1.00   .00          
ATOM    136  CB  PRO     9       -.395   3.577   3.977  1.00   .00          
ATOM    137  HB1 PRO     9        .233   3.801   3.129  1.00   .00          
ATOM    138  HB2 PRO     9      -1.189   2.901   3.692  1.00   .00          
ATOM    139  CG  PRO     9        .426   2.988   5.079  1.00   .00          
ATOM    140  HG1 PRO     9       1.262   2.444   4.668  1.00   .00          
ATOM    141  HG2 PRO     9       -.185   2.330   5.681  1.00   .00          
ATOM    142  CD  PRO     9        .929   4.134   5.915  1.00   .00          
ATOM    143  HD2 PRO     9        .912   3.872   6.965  1.00   .00          
ATOM    144  HD1 PRO     9       1.923   4.421   5.610  1.00   .00          
ATOM    145  C   PRO     9      -2.367   4.608   5.155  1.00   .00          
ATOM    146  O   PRO     9      -2.501   4.173   6.282  1.00   .00          
ATOM    147  N   GLU    10      -3.400   4.877   4.407  1.00   .00          
ATOM    148  HN  GLU    10      -3.272   5.228   3.501  1.00   .00          
ATOM    149  CA  GLU    10      -4.777   4.653   4.932  1.00   .00          
ATOM    150  HA  GLU    10      -4.781   4.680   6.009  1.00   .00          
ATOM    151  CB  GLU    10      -5.603   5.814   4.379  1.00   .00          
ATOM    152  HB1 GLU    10      -5.516   5.838   3.303  1.00   .00         
ATOM    153  HB2 GLU    10      -5.237   6.744   4.791  1.00   .00          
ATOM    154  CG  GLU    10      -7.070   5.624   4.765  1.00   .00          
ATOM    155  HG1 GLU    10      -7.211   5.903   5.798  1.00   .00          
ATOM    156  HG2 GLU    10      -7.346   4.588   4.629  1.00   .00          
ATOM    157  CD  GLU    10      -7.948   6.508   3.877  1.00   .00          
ATOM    158  OE1 GLU    10      -8.756   7.241   4.420  1.00   .00          
ATOM    159  OE2 GLU    10      -7.795   6.436   2.668  1.00   .00          
ATOM    160  C   GLU    10      -5.329   3.319   4.426  1.00   .00          
ATOM    161  O   GLU    10      -5.978   2.590   5.148  1.00   .00          
ATOM    162  N   ARG    11      -5.081   2.999   3.187  1.00   .00          
ATOM    163  HN  ARG    11      -4.559   3.606   2.620  1.00   .00          
ATOM    164  CA  ARG    11      -5.595   1.717   2.629  1.00   .00          
ATOM    165  HA  ARG    11      -5.376    .896   3.292  1.00   .00          
ATOM    166  CB  ARG    11      -7.107   1.920   2.521  1.00   .00          
ATOM    167  HB1 ARG    11      -7.516   2.114   3.501  1.00   .00          
ATOM    168  HB2 ARG    11      -7.561   1.030   2.109  1.00   .00          
ATOM    169  CG  ARG    11      -7.392   3.113   1.606  1.00   .00          
ATOM    170  HG1 ARG    11      -7.145   2.854    .588  1.00   .00          
ATOM    171  HG2 ARG    11      -6.793   3.957   1.918  1.00   .00          
ATOM    172  CD  ARG    11      -8.875   3.483   1.689  1.00   .00          
ATOM    173  HD1 ARG    11      -9.077   4.361   1.096  1.00   .00         
ATOM    174  HD2 ARG    11      -9.162   3.647   2.718  1.00   .00          
ATOM    175  NE  ARG    11      -9.599   2.309   1.125  1.00   .00          
ATOM    176  HE  ARG    11      -9.148   1.716    .488  1.00   .00          
ATOM    177  CZ  ARG    11     -10.833   2.071   1.478  1.00   .00          
ATOM    178  NH1 ARG    11     -11.094   1.615   2.673  1.00   .00          
ATOM    179 HH11 ARG    11     -10.348   1.449   3.318  1.00   .00          
ATOM    180 HH12 ARG    11     -12.039   1.432   2.943  1.00   .00          
ATOM    181  NH2 ARG    11     -11.807   2.288    .637  1.00   .00          
ATOM    182 HH21 ARG    11     -11.608   2.638   -.279  1.00   .00          
ATOM    183 HH22 ARG    11     -12.752   2.105    .908  1.00   .00          
ATOM    184  C   ARG    11      -4.994   1.474   1.245  1.00   .00          
ATOM    185  O   ARG    11      -4.554   2.393    .583  1.00   .00          
ATOM    186  N   ILE    12      -4.978    .250    .790  1.00   .00          
ATOM    187  HN  ILE    12      -5.345   -.483   1.327  1.00   .00          
ATOM    188  CA  ILE    12      -4.413   -.016   -.561  1.00   .00         
ATOM    189  HA  ILE    12      -3.554    .612   -.738  1.00   .00          
ATOM    190  CB  ILE    12      -3.996  -1.487   -.575  1.00   .00          
ATOM    191  HB  ILE    12      -4.875  -2.106   -.682  1.00   .00          
ATOM    192  CG1 ILE    12      -3.263  -1.848    .719  1.00   .00         
ATOM    193 HG11 ILE    12      -3.052  -2.907    .729  1.00   .00          
ATOM    194 HG12 ILE    12      -3.877  -1.595   1.568  1.00   .00          
ATOM    195  CG2 ILE    12      -3.063  -1.724  -1.762  1.00   .00          
ATOM    196 HG21 ILE    12      -2.742   -.774  -2.163  1.00   .00          
ATOM    197 HG22 ILE    12      -3.587  -2.277  -2.526  1.00   .00          
ATOM    198 HG23 ILE    12      -2.200  -2.286  -1.437  1.00   .00          
ATOM    199  CD1 ILE    12      -1.949  -1.077    .792  1.00   .00          
ATOM    200 HD11 ILE    12      -1.978   -.254    .095  1.00   .00          
ATOM    201 HD12 ILE    12      -1.133  -1.738    .538  1.00   .00          
ATOM    202 HD13 ILE    12     -1.810   -.700   1.793  1.00   .00          
ATOM    203  C   ILE    12      -5.482    .231  -1.624  1.00   .00          
ATOM    204  O   ILE    12      -6.665    .212  -1.348  1.00   .00          
ATOM    205  N   ILE    13      -5.073    .462  -2.835  1.00   .00         
ATOM    206  HN  ILE    13      -4.114    .474  -3.031  1.00   .00          
ATOM    207  CA  ILE    13      -6.063    .709  -3.925  1.00   .00          
ATOM    208  HA  ILE    13      -7.059    .503  -3.573  1.00   .00          
ATOM    209  CB  ILE    13      -5.943   2.194  -4.295  1.00   .00          
ATOM    210  HB  ILE    13      -6.001   2.298  -5.370  1.00   .00          
ATOM    211  CG1 ILE    13      -4.614   2.780  -3.794  1.00   .00          
ATOM    212 HG11 ILE    13      -3.796   2.330  -4.336  1.00   .00          
ATOM    213 HG12 ILE    13      -4.505   2.572  -2.739  1.00   .00          
ATOM    214  CG2 ILE    13      -7.102   2.950  -3.657  1.00   .00          
ATOM    215 HG21 ILE    13      -6.716   3.660  -2.942  1.00   .00          
ATOM    216 HG22 ILE    13      -7.751   2.248  -3.155  1.00   .00         
ATOM    217 HG23 ILE    13      -7.655   3.470  -4.423  1.00   .00          
ATOM    218  CD1 ILE    13      -4.598   4.293  -4.017  1.00   .00          
ATOM    219 HD11 ILE    13      -4.096   4.513  -4.947  1.00   .00          
ATOM    220 HD12 ILE    13      -4.074   4.769  -3.203  1.00   .00          
ATOM    221 HD13 ILE    13      -5.611   4.664  -4.059  1.00   .00          
ATOM    222  C   ILE    13      -5.741   -.165  -5.134  1.00   .00          
ATOM    223  O   ILE    13      -6.615   -.560  -5.879  1.00   .00          
ATOM    224  N   ASP    14      -4.494   -.473  -5.329  1.00   .00          
ATOM    225  HN  ASP    14      -3.807   -.148  -4.714  1.00   .00          
ATOM    226  CA  ASP    14      -4.109  -1.324  -6.482  1.00   .00         
ATOM    227  HA  ASP    14      -4.831  -2.111  -6.621  1.00   .00          
ATOM    228  CB  ASP    14      -4.115   -.384  -7.688  1.00   .00          
ATOM    229  HB1 ASP    14      -3.237    .242  -7.659  1.00   .00         
ATOM    230  HB2 ASP    14      -5.000    .235  -7.657  1.00   .00          
ATOM    231  CG  ASP    14      -4.112  -1.206  -8.979  1.00   .00          
ATOM    232  OD1 ASP    14      -3.321  -2.130  -9.068  1.00   .00          
ATOM    233  OD2 ASP    14      -4.902   -.896  -9.856  1.00   .00          
ATOM    234  C   ASP    14      -2.712  -1.903  -6.248  1.00   .00          
ATOM    235  O   ASP    14      -1.980  -1.444  -5.392  1.00   .00          
ATOM    236  N   SER    15      -2.332  -2.904  -6.991  1.00   .00          
ATOM    237  HN  SER    15      -2.932  -3.264  -7.676  1.00   .00          
ATOM    238  CA  SER    15       -.979  -3.497  -6.789  1.00   .00         
ATOM    239  HA  SER    15       -.440  -2.947  -6.035  1.00   .00          
ATOM    240  CB  SER    15      -1.238  -4.923  -6.307  1.00   .00          
ATOM    241  HB1 SER    15      -1.282  -4.933  -5.226  1.00   .00          
ATOM    242  HB2 SER    15       -.441  -5.567  -6.638  1.00   .00          
ATOM    243  OG  SER    15      -2.469  -5.385  -6.849  1.00   .00          
ATOM    244  HG  SER    15      -2.464  -5.205  -7.792  1.00   .00          
ATOM    245  C   SER    15       -.193  -3.507  -8.102  1.00   .00          
ATOM    246  O   SER    15       -.753  -3.408  -9.175  1.00   .00          
ATOM    247  N   GLN    16       1.105  -3.622  -8.020  1.00   .00          
ATOM    248  HN  GLN    16       1.535  -3.698  -7.143  1.00   .00          
ATOM    249  CA  GLN    16       1.933  -3.636  -9.259  1.00   .00          
ATOM    250  HA  GLN    16       1.344  -3.960 -10.103  1.00   .00          
ATOM    251  CB  GLN    16       2.373  -2.185  -9.455  1.00   .00          
ATOM    252  HB1 GLN    16       3.235  -1.984  -8.837  1.00   .00          
ATOM    253  HB2 GLN    16       1.565  -1.524  -9.175  1.00   .00          
ATOM    254  CG  GLN    16       2.736  -1.955 -10.923  1.00   .00          
ATOM    255  HG1 GLN    16       2.072  -2.527 -11.553  1.00   .00          
ATOM    256  HG2 GLN    16       3.756  -2.268 -11.095  1.00   .00          
ATOM    257  CD  GLN    16       2.596   -.468 -11.257  1.00   .00          
ATOM    258  OE1 GLN    16       3.297    .358 -10.707  1.00   .00          
ATOM    259  NE2 GLN    16       1.714   -.091 -12.141  1.00   .00          
ATOM    260 HE21 GLN    16       1.149   -.758 -12.584  1.00   .00          
ATOM    261 HE22 GLN    16       1.617    .859 -12.361  1.00   .00          
ATOM    262  C   GLN    16       3.152  -4.544  -9.075  1.00   .00          
ATOM    263  O   GLN    16       4.242  -4.087  -8.793  1.00   .00          
ATOM    264  N   ARG    17       2.978  -5.827  -9.239  1.00   .00          
ATOM    265  HN  ARG    17       2.092  -6.176  -9.471  1.00   .00          
ATOM    266  CA  ARG    17       4.129  -6.761  -9.081  1.00   .00          
ATOM    267  HA  ARG    17       4.813  -6.397  -8.331  1.00   .00          
ATOM    268  CB  ARG    17       3.511  -8.086  -8.631  1.00   .00         
ATOM    269  HB1 ARG    17       2.979  -8.534  -9.456  1.00   .00          
ATOM    270  HB2 ARG    17       2.826  -7.904  -7.816  1.00   .00          
ATOM    271  CG  ARG    17       4.617  -9.035  -8.166  1.00   .00          
ATOM    272  HG1 ARG    17       4.248  -9.651  -7.360  1.00   .00          
ATOM    273  HG2 ARG    17       5.464  -8.459  -7.821  1.00   .00          
ATOM    274  CD  ARG    17       5.049  -9.929  -9.331  1.00   .00          
ATOM    275  HD1 ARG    17       5.696  -9.387 -10.002  1.00   .00          
ATOM    276  HD2 ARG    17       4.181 -10.302  -9.858  1.00   .00          
ATOM    277  NE  ARG    17       5.795 -11.051  -8.698  1.00   .00          
ATOM    278  HE  ARG    17       6.138 -10.959  -7.784  1.00   .00          
ATOM    279  CZ  ARG    17       5.995 -12.158  -9.360  1.00   .00          
ATOM    280  NH1 ARG    17       6.796 -12.166 -10.391  1.00   .00          
ATOM    281 HH11 ARG    17       7.258 -11.325 -10.672  1.00   .00          
ATOM    282 HH12 ARG    17       6.949 -13.014 -10.898  1.00   .00          
ATOM    283  NH2 ARG    17       5.393 -13.256  -8.994  1.00   .00          
ATOM    284 HH21 ARG    17       4.779 -13.251  -8.204  1.00   .00          
ATOM    285 HH22 ARG    17       5.546 -14.104  -9.502  1.00   .00          
ATOM    286  C   ARG    17       4.843  -6.928 -10.424  1.00   .00          
ATOM    287  O   ARG    17       4.387  -7.641 -11.296  1.00   .00          
ATOM    288  N   ALA    18       5.953  -6.268 -10.603  1.00   .00          
ATOM    289  HN  ALA    18       6.302  -5.691  -9.892  1.00   .00          
ATOM    290  CA  ALA    18       6.684  -6.382 -11.897  1.00   .00          
ATOM    291  HA  ALA    18       6.038  -6.780 -12.662  1.00   .00          
ATOM    292  CB  ALA    18       7.084  -4.950 -12.248  1.00   .00          
ATOM    293  HB1 ALA    18       6.783  -4.287 -11.450  1.00   .00          
ATOM    294  HB2 ALA    18       6.597  -4.654 -13.165  1.00   .00          
ATOM    295  HB3 ALA    18       8.156  -4.896 -12.375  1.00   .00          
ATOM    296  C   ALA    18       7.928  -7.258 -11.738  1.00   .00          
ATOM    297  O   ALA    18       8.624  -7.192 -10.744  1.00   .00          
ATOM    298  N   SER    19       8.216  -8.071 -12.717  1.00   .00          
ATOM    299  HN  SER    19       7.645  -8.102 -13.512  1.00   .00          
ATOM    300  CA  SER    19       9.421  -8.941 -12.630  1.00   .00          
ATOM    301  HA  SER    19       9.505  -9.377 -11.646  1.00   .00          
ATOM    302  CB  SER    19       9.198 -10.036 -13.673  1.00   .00          
ATOM    303  HB1 SER    19       8.140 -10.248 -13.750  1.00   .00          
ATOM    304  HB2 SER    19       9.720 -10.931 -13.378  1.00   .00          
ATOM    305  OG  SER    19       9.698  -9.596 -14.929  1.00   .00          
ATOM    306  HG  SER    19      10.613  -9.878 -14.999  1.00   .00          
ATOM    307  C   SER    19      10.671  -8.124 -12.965  1.00   .00          
ATOM    308  O   SER    19      10.681  -7.348 -13.900  1.00   .00          
ATOM    309  N   LEU    20      11.723  -8.287 -12.214  1.00   .00          
ATOM    310  HN  LEU    20      11.701  -8.919 -11.466  1.00   .00          
ATOM    311  CA  LEU    20      12.963  -7.514 -12.499  1.00   .00          
ATOM    312  HA  LEU    20      12.721  -6.549 -12.910  1.00   .00          
ATOM    313  CB  LEU    20      13.654  -7.352 -11.146  1.00   .00          
ATOM    314  HB1 LEU    20      14.637  -6.932 -11.292  1.00   .00          
ATOM    315  HB2 LEU    20      13.742  -8.316 -10.666  1.00   .00          
ATOM    316  CG  LEU    20      12.828  -6.416 -10.263  1.00   .00          
ATOM    317  HG  LEU    20      11.856  -6.852 -10.087  1.00   .00          
ATOM    318  CD1 LEU    20      13.543  -6.213  -8.928  1.00   .00          
ATOM    319 HD11 LEU    20      14.608  -6.321  -9.070  1.00   .00          
ATOM    320 HD12 LEU    20      13.198  -6.951  -8.220  1.00   .00          
ATOM    321 HD13 LEU    20      13.328  -5.224  -8.551  1.00   .00          
ATOM    322  CD2 LEU    20      12.666  -5.065 -10.962  1.00   .00          
ATOM    323 HD21 LEU    20      11.872  -5.129 -11.691  1.00   .00          
ATOM    324 HD22 LEU    20      13.589  -4.803 -11.459  1.00   .00          
ATOM    325 HD23 LEU    20      12.424  -4.308 -10.231  1.00   .00          
ATOM    326  C   LEU    20      13.849  -8.298 -13.462  1.00   .00          
ATOM    327  O   LEU    20      14.463  -7.741 -14.348  1.00   .00          
ATOM    328  N   GLU    21      13.915  -9.593 -13.281  1.00   .00          
ATOM    329  HN  GLU    21      13.407 -10.000 -12.547  1.00   .00          
ATOM    330  CA  GLU    21      14.756 -10.463 -14.168  1.00   .00          
ATOM    331  HA  GLU    21      14.419 -11.486 -14.101  1.00   .00          
ATOM    332  CB  GLU    21      14.550  -9.950 -15.599  1.00   .00          
ATOM    333  HB1 GLU    21      14.828 -10.723 -16.299  1.00   .00          
ATOM    334  HB2 GLU    21      15.168  -9.080 -15.763  1.00   .00          
ATOM    335  CG  GLU    21      13.079  -9.584 -15.809  1.00   .00          
ATOM    336  HG1 GLU    21      12.979  -8.510 -15.859  1.00   .00          
ATOM    337  HG2 GLU    21      12.493  -9.961 -14.983  1.00   .00          
ATOM    338  CD  GLU    21      12.578 -10.202 -17.116  1.00   .00          
ATOM    339  OE1 GLU    21      12.926 -11.341 -17.381  1.00   .00          
ATOM    340  OE2 GLU    21      11.856  -9.525 -17.830  1.00   .00          
ATOM    341  C   GLU    21      16.232 -10.379 -13.767  1.00   .00          
ATOM    342  O   GLU    21      17.013 -11.260 -14.069  1.00   .00          
ATOM    343  N   ASP    22      16.624  -9.340 -13.080  1.00   .00          
ATOM    344  HN  ASP    22      15.989  -8.643 -12.833  1.00   .00          
ATOM    345  CA  ASP    22      18.045  -9.229 -12.658  1.00   .00          
ATOM    346  HA  ASP    22      18.704  -9.488 -13.471  1.00   .00          
ATOM    347  CB  ASP    22      18.232  -7.760 -12.277  1.00   .00          
ATOM    348  HB1 ASP    22      18.698  -7.696 -11.306  1.00   .00          
ATOM    349  HB2 ASP    22      17.269  -7.271 -12.249  1.00   .00          
ATOM    350  CG  ASP    22      19.123  -7.075 -13.315  1.00   .00          
ATOM    351  OD1 ASP    22      18.711  -6.996 -14.461  1.00   .00          
ATOM    352  OD2 ASP    22      20.202  -6.642 -12.947  1.00   .00          
ATOM    353  C   ASP    22      18.292 -10.138 -11.454  1.00   .00          
ATOM    354  O   ASP    22      19.392 -10.229 -10.947  1.00   .00          
ATOM    355  N   GLY    23      17.274 -10.821 -10.996  1.00   .00          
ATOM    356  HN  GLY    23      16.395 -10.739 -11.423  1.00   .00          
ATOM    357  CA  GLY    23      17.456 -11.730  -9.830  1.00   .00          
ATOM    358  HA1 GLY    23      18.384 -11.493  -9.334  1.00   .00          
ATOM    359  HA2 GLY    23      17.486 -12.753 -10.178  1.00   .00          
ATOM    360  C   GLY    23      16.299 -11.564  -8.839  1.00   .00          
ATOM    361  O   GLY    23      16.297 -12.162  -7.781  1.00   .00          
ATOM    362  N   THR    24      15.316 -10.761  -9.157  1.00   .00          
ATOM    363  HN  THR    24      15.324 -10.279 -10.008  1.00   .00          
ATOM    364  CA  THR    24      14.182 -10.583  -8.203  1.00   .00          
ATOM    365  HA  THR    24      13.928 -11.524  -7.747  1.00   .00          
ATOM    366  CB  THR    24      14.710  -9.618  -7.141  1.00   .00          
ATOM    367  HB  THR    24      14.489  -8.603  -7.437  1.00   .00          
ATOM    368  OG1 THR    24      16.116  -9.779  -7.011  1.00   .00          
ATOM    369  HG1 THR    24      16.430  -9.141  -6.366  1.00   .00          
ATOM    370  CG2 THR    24      14.035  -9.910  -5.800  1.00   .00          
ATOM    371 HG21 THR    24      13.303  -9.144  -5.591  1.00   .00          
ATOM    372 HG22 THR    24      14.778  -9.921  -5.017  1.00   .00          
ATOM    373 HG23 THR    24      13.546 -10.872  -5.846  1.00   .00          
ATOM    374  C   THR    24      12.957  -9.986  -8.900  1.00   .00          
ATOM    375  O   THR    24      12.792 -10.093 -10.099  1.00   .00          
ATOM    376  N   SER    25      12.092  -9.361  -8.144  1.00   .00          
ATOM    377  HN  SER    25      12.249  -9.295  -7.179  1.00   .00          
ATOM    378  CA  SER    25      10.867  -8.753  -8.738  1.00   .00          
ATOM    379  HA  SER    25      10.999  -8.586  -9.793  1.00   .00          
ATOM    380  CB  SER    25       9.764  -9.785  -8.503  1.00   .00          
ATOM    381  HB1 SER    25       9.924 -10.636  -9.153  1.00   .00          
ATOM    382  HB2 SER    25       8.804  -9.347  -8.720  1.00   .00          
ATOM    383  OG  SER    25       9.791 -10.200  -7.143  1.00   .00          
ATOM    384  HG  SER    25       9.930 -11.150  -7.125  1.00   .00          
ATOM    385  C   SER    25      10.535  -7.439  -8.023  1.00   .00          
ATOM    386  O   SER    25      10.844  -7.260  -6.861  1.00   .00          
ATOM    387  N   GLN    26       9.909  -6.519  -8.705  1.00   .00          
ATOM    388  HN  GLN    26       9.667  -6.681  -9.641  1.00   .00          
ATOM    389  CA  GLN    26       9.560  -5.220  -8.060  1.00   .00          
ATOM    390  HA  GLN    26      10.205  -5.033  -7.215  1.00   .00          
ATOM    391  CB  GLN    26       9.800  -4.164  -9.144  1.00   .00          
ATOM    392  HB1 GLN    26       9.437  -4.533 -10.091  1.00   .00          
ATOM    393  HB2 GLN    26      10.858  -3.962  -9.218  1.00   .00          
ATOM    394  CG  GLN    26       9.059  -2.874  -8.782  1.00   .00          
ATOM    395  HG1 GLN    26       9.306  -2.588  -7.771  1.00   .00          
ATOM    396  HG2 GLN    26       7.994  -3.036  -8.862  1.00   .00          
ATOM    397  CD  GLN    26       9.478  -1.758  -9.741  1.00   .00          
ATOM    398  OE1 GLN    26       8.937  -1.635 -10.823  1.00   .00          
ATOM    399  NE2 GLN    26      10.424   -.932  -9.387  1.00   .00          
ATOM    400 HE21 GLN    26      10.859  -1.030  -8.515  1.00   .00          
ATOM    401 HE22 GLN    26      10.699   -.213  -9.994  1.00   .00          
ATOM    402  C   GLN    26       8.093  -5.230  -7.621  1.00   .00          
ATOM    403  O   GLN    26       7.202  -4.919  -8.387  1.00   .00          
ATOM    404  N   LEU    27       7.836  -5.588  -6.393  1.00   .00          
ATOM    405  HN  LEU    27       8.570  -5.836  -5.792  1.00   .00          
ATOM    406  CA  LEU    27       6.429  -5.621  -5.901  1.00   .00          
ATOM    407  HA  LEU    27       5.755  -5.881  -6.701  1.00   .00          
ATOM    408  CB  LEU    27       6.414  -6.710  -4.828  1.00   .00          
ATOM    409  HB1 LEU    27       7.047  -6.413  -4.005  1.00   .00          
ATOM    410  HB2 LEU    27       6.781  -7.635  -5.249  1.00   .00          
ATOM    411  CG  LEU    27       4.986  -6.911  -4.321  1.00   .00          
ATOM    412  HG  LEU    27       4.566  -5.956  -4.044  1.00   .00          
ATOM    413  CD1 LEU    27       4.136  -7.539  -5.424  1.00   .00          
ATOM    414 HD11 LEU    27       3.128  -7.685  -5.064  1.00   .00          
ATOM    415 HD12 LEU    27       4.559  -8.492  -5.705  1.00   .00          
ATOM    416 HD13 LEU    27       4.120  -6.885  -6.283  1.00   .00          
ATOM    417  CD2 LEU    27       5.002  -7.839  -3.104  1.00   .00          
ATOM    418 HD21 LEU    27       3.998  -8.179  -2.897  1.00   .00          
ATOM    419 HD22 LEU    27       5.384  -7.304  -2.247  1.00   .00         
ATOM    420 HD23 LEU    27       5.635  -8.690  -3.308  1.00   .00          
ATOM    421  C   LEU    27       6.052  -4.264  -5.300  1.00   .00          
ATOM    422  O   LEU    27       6.716  -3.762  -4.414  1.00   .00          
ATOM    423  N   GLN    28       4.995  -3.661  -5.775  1.00   .00          
ATOM    424  HN  GLN    28       4.472  -4.077  -6.493  1.00   .00          
ATOM    425  CA  GLN    28       4.590  -2.335  -5.226  1.00   .00          
ATOM    426  HA  GLN    28       5.092  -2.149  -4.289  1.00   .00          
ATOM    427  CB  GLN    28       5.051  -1.319  -6.272  1.00   .00          
ATOM    428  HB1 GLN    28       4.726   -.331  -5.982  1.00   .00          
ATOM    429  HB2 GLN    28       4.626  -1.573  -7.232  1.00   .00          
ATOM    430  CG  GLN    28       6.579  -1.342  -6.366  1.00   .00          
ATOM    431  HG1 GLN    28       6.883  -2.049  -7.123  1.00   .00          
ATOM    432  HG2 GLN    28       6.994  -1.636  -5.412  1.00   .00          
ATOM    433  CD  GLN    28       7.091    .051  -6.737  1.00   .00          
ATOM    434  OE1 GLN    28       7.717    .227  -7.763  1.00   .00          
ATOM    435  NE2 GLN    28       6.849   1.055  -5.939  1.00   .00          
ATOM    436 HE21 GLN    28       6.345    .912  -5.112  1.00   .00          
ATOM    437 HE22 GLN    28       7.173   1.951  -6.168  1.00   .00          
ATOM    438  C   GLN    28       3.070  -2.266  -5.039  1.00   .00          
ATOM    439  O   GLN    28       2.309  -2.706  -5.877  1.00   .00          
ATOM    440  N   TYR    29       2.629  -1.712  -3.941  1.00   .00          
ATOM    441  HN  TYR    29       3.265  -1.363  -3.283  1.00   .00          
ATOM    442  CA  TYR    29       1.163  -1.601  -3.684  1.00   .00          
ATOM    443  HA  TYR    29        .602  -2.190  -4.390  1.00   .00          
ATOM    444  CB  TYR    29        .966  -2.142  -2.266  1.00   .00          
ATOM    445  HB1 TYR    29        .154  -1.608  -1.794  1.00   .00          
ATOM    446  HB2 TYR    29       1.869  -1.989  -1.698  1.00   .00          
ATOM    447  CG  TYR    29        .640  -3.618  -2.298  1.00   .00          
ATOM    448  CD1 TYR    29        .111  -4.232  -1.156  1.00   .00          
ATOM    449  HD1 TYR    29       -.061  -3.651   -.262  1.00   .00          
ATOM    450  CD2 TYR    29        .862  -4.373  -3.458  1.00   .00          
ATOM    451  HD2 TYR    29       1.271  -3.905  -4.339  1.00   .00          
ATOM    452  CE1 TYR    29       -.197  -5.597  -1.171  1.00   .00          
ATOM    453  HE1 TYR    29       -.608  -6.067   -.288  1.00   .00          
ATOM    454  CE2 TYR    29        .552  -5.739  -3.471  1.00   .00          
ATOM    455  HE2 TYR    29        .720  -6.320  -4.364  1.00   .00          
ATOM    456  CZ  TYR    29        .023  -6.350  -2.329  1.00   .00          
ATOM    457  OH  TYR    29       -.281  -7.695  -2.345  1.00   .00          
ATOM    458  HH  TYR    29       -.836  -7.865  -3.110  1.00   .00          
ATOM    459  C   TYR    29        .729   -.134  -3.736  1.00   .00          
ATOM    460  O   TYR    29       1.304    .714  -3.082  1.00   .00          
ATOM    461  N   LEU    30       -.288    .172  -4.491  1.00   .00          
ATOM    462  HN  LEU    30       -.749   -.525  -5.002  1.00   .00          
ATOM    463  CA  LEU    30       -.758   1.584  -4.557  1.00   .00          
ATOM    464  HA  LEU    30        .067   2.252  -4.747  1.00   .00          
ATOM    465  CB  LEU    30      -1.746   1.617  -5.722  1.00   .00          
ATOM    466  HB1 LEU    30      -2.608   1.018  -5.479  1.00   .00          
ATOM    467  HB2 LEU    30      -1.271   1.220  -6.605  1.00   .00          
ATOM    468  CG  LEU    30      -2.188   3.056  -5.985  1.00   .00          
ATOM    469  HG  LEU    30      -2.483   3.519  -5.054  1.00   .00          
ATOM    470  CD1 LEU    30      -1.033   3.844  -6.605  1.00   .00          
ATOM    471 HD11 LEU    30      -1.210   3.970  -7.663  1.00   .00          
ATOM    472 HD12 LEU    30       -.109   3.305  -6.457  1.00   .00          
ATOM    473 HD13 LEU    30       -.965   4.813  -6.134  1.00   .00          
ATOM    474  CD2 LEU    30      -3.373   3.048  -6.952  1.00   .00          
ATOM    475 HD21 LEU    30      -3.956   2.152  -6.797  1.00   .00          
ATOM    476 HD22 LEU    30      -3.008   3.069  -7.968  1.00   .00          
ATOM    477 HD23 LEU    30      -3.990   3.915  -6.772  1.00   .00          
ATOM    478  C   LEU    30      -1.455   1.944  -3.244  1.00   .00          
ATOM    479  O   LEU    30      -2.487   1.396  -2.911  1.00   .00          
ATOM    480  N   VAL    31       -.896   2.846  -2.485  1.00   .00          
ATOM    481  HN  VAL    31       -.058   3.272  -2.762  1.00   .00          
ATOM    482  CA  VAL    31      -1.533   3.212  -1.188  1.00   .00          
ATOM    483  HA  VAL    31      -2.322   2.517   -.950  1.00   .00          
ATOM    484  CB  VAL    31       -.418   3.100   -.150  1.00   .00          
ATOM    485  HB  VAL    31        .272   3.922   -.272  1.00   .00          
ATOM    486  CG1 VAL    31      -1.025   3.149   1.253  1.00   .00          
ATOM    487 HG11 VAL    31      -2.054   2.825   1.210  1.00   .00          
ATOM    488 HG12 VAL    31       -.980   4.160   1.629  1.00   .00          
ATOM    489 HG13 VAL    31       -.469   2.495   1.908  1.00   .00          
ATOM    490  CG2 VAL    31        .325   1.775   -.335  1.00   .00          
ATOM    491 HG21 VAL    31        .868   1.794  -1.268  1.00   .00          
ATOM    492 HG22 VAL    31       -.387    .963   -.349  1.00   .00          
ATOM    493 HG23 VAL    31       1.017   1.633    .482  1.00   .00          
ATOM    494  C   VAL    31      -2.077   4.640  -1.227  1.00   .00          
ATOM    495  O   VAL    31      -1.624   5.473  -1.986  1.00   .00          
ATOM    496  N   LYS    32      -3.045   4.925   -.399  1.00   .00          
ATOM    497  HN  LYS    32      -3.387   4.234    .206  1.00   .00          
ATOM    498  CA  LYS    32      -3.628   6.295   -.364  1.00   .00          
ATOM    499  HA  LYS    32      -3.277   6.879  -1.199  1.00   .00          
ATOM    500  CB  LYS    32      -5.137   6.081   -.467  1.00   .00          
ATOM    501  HB1 LYS    32      -5.508   5.681    .464  1.00   .00          
ATOM    502  HB2 LYS    32      -5.347   5.386  -1.267  1.00   .00          
ATOM    503  CG  LYS    32      -5.827   7.414   -.756  1.00   .00          
ATOM    504  HG1 LYS    32      -5.941   7.537  -1.823  1.00   .00          
ATOM    505  HG2 LYS    32      -5.229   8.223   -.361  1.00   .00          
ATOM    506  CD  LYS    32      -7.207   7.427   -.093  1.00   .00          
ATOM    507  HD1 LYS    32      -7.782   8.256   -.477  1.00   .00          
ATOM    508  HD2 LYS    32      -7.090   7.533    .975  1.00   .00          
ATOM    509  CE  LYS    32      -7.936   6.117   -.401  1.00   .00          
ATOM    510  HE1 LYS    32      -7.623   5.342    .281  1.00   .00          
ATOM    511  HE2 LYS    32      -7.753   5.817  -1.424  1.00   .00          
ATOM    512  NZ  LYS    32      -9.378   6.423   -.197  1.00   .00          
ATOM    513  HZ1 LYS    32      -9.953   5.618   -.515  1.00   .00          
ATOM    514  HZ2 LYS    32      -9.633   7.270   -.745  1.00   .00          
ATOM    515  HZ3 LYS    32      -9.557   6.596    .812  1.00   .00          
ATOM    516  C   LYS    32      -3.267   6.976    .960  1.00   .00          
ATOM    517  O   LYS    32      -3.901   6.761   1.974  1.00   .00          
ATOM    518  N   TRP    33      -2.244   7.785    .959  1.00   .00          
ATOM    519  HN  TRP    33      -1.744   7.936    .130  1.00   .00          
ATOM    520  CA  TRP    33      -1.828   8.472   2.216  1.00   .00          
ATOM    521  HA  TRP    33      -1.511   7.749   2.950  1.00   .00          
ATOM    522  CB  TRP    33       -.644   9.348   1.809  1.00   .00          
ATOM    523  HB1 TRP    33       -.161   9.738   2.692  1.00   .00          
ATOM    524  HB2 TRP    33       -.993  10.166   1.195  1.00   .00          
ATOM    525  CG  TRP    33        .325   8.517   1.034  1.00   .00          
ATOM    526  CD1 TRP    33        .688   8.738   -.250  1.00   .00          
ATOM    527  HD1 TRP    33        .332   9.544   -.873  1.00   .00          
ATOM    528  CD2 TRP    33       1.049   7.330   1.466  1.00   .00          
ATOM    529  NE1 TRP    33       1.590   7.762   -.633  1.00   .00          
ATOM    530  HE1 TRP    33       2.008   7.693  -1.516  1.00   .00          
ATOM    531  CE2 TRP    33       1.844   6.871    .391  1.00   .00          
ATOM    532  CE3 TRP    33       1.092   6.615   2.677  1.00   .00          
ATOM    533  HE3 TRP    33        .496   6.944   3.516  1.00   .00          
ATOM    534  CZ2 TRP    33       2.654   5.741    .512  1.00   .00          
ATOM    535  HZ2 TRP    33       3.250   5.407   -.323  1.00   .00          
ATOM    536  CZ3 TRP    33       1.906   5.478   2.803  1.00   .00          
ATOM    537  HZ3 TRP    33       1.932   4.937   3.737  1.00   .00          
ATOM    538  CH2 TRP    33       2.685   5.041   1.722  1.00   .00          
ATOM    539  HH2 TRP    33       3.309   4.166   1.824  1.00   .00          
ATOM    540  C   TRP    33      -2.972   9.323   2.771  1.00   .00          
ATOM    541  O   TRP    33      -3.602  10.079   2.058  1.00   .00          
ATOM    542  N   ARG    34      -3.243   9.204   4.042  1.00   .00          
ATOM    543  HN  ARG    34      -2.720   8.588   4.597  1.00   .00          
ATOM    544  CA  ARG    34      -4.343  10.003   4.652  1.00   .00          
ATOM    545  HA  ARG    34      -5.225   9.966   4.031  1.00   .00          
ATOM    546  CB  ARG    34      -4.621   9.329   5.996  1.00   .00          
ATOM    547  HB1 ARG    34      -4.626  10.073   6.778  1.00   .00          
ATOM    548  HB2 ARG    34      -3.851   8.598   6.198  1.00   .00          
ATOM    549  CG  ARG    34      -5.983   8.634   5.949  1.00   .00          
ATOM    550  HG1 ARG    34      -5.891   7.633   6.340  1.00   .00          
ATOM    551  HG2 ARG    34      -6.330   8.592   4.926  1.00   .00          
ATOM    552  CD  ARG    34      -6.987   9.419   6.796  1.00   .00          
ATOM    553  HD1 ARG    34      -7.825   9.732   6.193  1.00   .00          
ATOM    554  HD2 ARG    34      -6.505  10.275   7.248  1.00   .00          
ATOM    555  NE  ARG    34      -7.439   8.461   7.842  1.00   .00          
ATOM    556  HE  ARG    34      -7.269   7.502   7.734  1.00   .00          
ATOM    557  CZ  ARG    34      -8.062   8.899   8.901  1.00   .00          
ATOM    558  NH1 ARG    34      -8.752  10.006   8.841  1.00   .00          
ATOM    559 HH11 ARG    34      -8.802  10.517   7.983  1.00   .00          
ATOM    560 HH12 ARG    34      -9.229  10.342   9.652  1.00   .00          
ATOM    561  NH2 ARG    34      -7.996   8.231  10.021  1.00   .00          
ATOM    562 HH21 ARG    34      -7.468   7.384  10.066  1.00   .00          
ATOM    563 HH22 ARG    34      -8.473   8.568  10.833  1.00   .00          
ATOM    564  C   ARG    34      -3.892  11.451   4.860  1.00   .00          
ATOM    565  O   ARG    34      -3.756  11.913   5.975  1.00   .00          
ATOM    566  N   ARG    35      -3.659  12.170   3.796  1.00   .00          
ATOM    567  HN  ARG    35      -3.774  11.779   2.905  1.00   .00          
ATOM    568  CA  ARG    35      -3.217  13.587   3.938  1.00   .00          
ATOM    569  HA  ARG    35      -2.974  13.805   4.966  1.00   .00          
ATOM    570  CB  ARG    35      -1.964  13.703   3.069  1.00   .00          
ATOM    571  HB1 ARG    35      -2.252  13.797   2.033  1.00   .00          
ATOM    572  HB2 ARG    35      -1.356  12.820   3.196  1.00   .00          
ATOM    573  CG  ARG    35      -1.166  14.939   3.488  1.00   .00          
ATOM    574  HG1 ARG    35      -1.000  14.916   4.555  1.00   .00          
ATOM    575  HG2 ARG    35      -1.720  15.830   3.229  1.00   .00          
ATOM    576  CD  ARG    35        .182  14.947   2.765  1.00   .00          
ATOM    577  HD1 ARG    35        .249  15.794   2.100  1.00   .00          
ATOM    578  HD2 ARG    35        .319  14.024   2.217  1.00   .00          
ATOM    579  NE  ARG    35       1.197  15.067   3.848  1.00   .00          
ATOM    580  HE  ARG    35       1.564  14.261   4.268  1.00   .00          
ATOM    581  CZ  ARG    35       1.599  16.247   4.237  1.00   .00          
ATOM    582  NH1 ARG    35       2.310  16.992   3.436  1.00   .00          
ATOM    583 HH11 ARG    35       2.547  16.661   2.523  1.00   .00          
ATOM    584 HH12 ARG    35       2.616  17.896   3.735  1.00   .00          
ATOM    585  NH2 ARG    35       1.291  16.679   5.429  1.00   .00          
ATOM    586 HH21 ARG    35        .748  16.107   6.043  1.00   .00          
ATOM    587 HH22 ARG    35       1.597  17.583   5.727  1.00   .00          
ATOM    588  C   ARG    35      -4.310  14.534   3.435  1.00   .00          
ATOM    589  O   ARG    35      -4.914  15.261   4.198  1.00   .00          
ATOM    590  N   LEU    36      -4.572  14.531   2.156  1.00   .00          
ATOM    591  HN  LEU    36      -4.075  13.938   1.554  1.00   .00          
ATOM    592  CA  LEU    36      -5.628  15.432   1.610  1.00   .00          
ATOM    593  HA  LEU    36      -6.495  15.427   2.252  1.00   .00          
ATOM    594  CB  LEU    36      -4.996  16.824   1.599  1.00   .00          
ATOM    595  HB1 LEU    36      -4.739  17.094    .585  1.00   .00          
ATOM    596  HB2 LEU    36      -4.103  16.819   2.208  1.00   .00          
ATOM    597  CG  LEU    36      -5.992  17.841   2.158  1.00   .00          
ATOM    598  HG  LEU    36      -6.970  17.385   2.228  1.00   .00          
ATOM    599  CD1 LEU    36      -5.539  18.288   3.548  1.00   .00          
ATOM    600 HD11 LEU    36      -6.367  18.747   4.066  1.00   .00          
ATOM    601 HD12 LEU    36      -4.734  19.003   3.451  1.00   .00          
ATOM    602 HD13 LEU    36      -5.194  17.431   4.107  1.00   .00          
ATOM    603  CD2 LEU    36      -6.058  19.055   1.228  1.00   .00          
ATOM    604 HD21 LEU    36      -5.078  19.246    .816  1.00   .00          
ATOM    605 HD22 LEU    36      -6.389  19.918   1.787  1.00   .00          
ATOM    606 HD23 LEU    36      -6.754  18.857    .426  1.00   .00          
ATOM    607  C   LEU    36      -6.011  15.006    .191  1.00   .00          
ATOM    608  O   LEU    36      -5.935  13.845   -.161  1.00   .00          
ATOM    609  N   ASN    37      -6.422  15.936   -.628  1.00   .00          
ATOM    610  HN  ASN    37      -6.475  16.866   -.325  1.00   .00          
ATOM    611  CA  ASN    37      -6.809  15.583  -2.024  1.00   .00          
ATOM    612  HA  ASN    37      -7.075  14.540  -2.089  1.00   .00          
ATOM    613  CB  ASN    37      -8.029  16.454  -2.329  1.00   .00          
ATOM    614  HB1 ASN    37      -8.133  16.565  -3.398  1.00   .00          
ATOM    615  HB2 ASN    37      -7.899  17.426  -1.876  1.00   .00          
ATOM    616  CG  ASN    37      -9.287  15.790  -1.764  1.00   .00          
ATOM    617  OD1 ASN    37     -10.166  15.399  -2.505  1.00   .00          
ATOM    618  ND2 ASN    37      -9.411  15.646   -.472  1.00   .00          
ATOM    619 HD21 ASN    37      -8.703  15.963    .127  1.00   .00          
ATOM    620 HD22 ASN    37     -10.212  15.221   -.101  1.00   .00          
ATOM    621  C   ASN    37      -5.664  15.905  -2.988  1.00   .00          
ATOM    622  O   ASN    37      -4.575  16.255  -2.579  1.00   .00          
ATOM    623  N   TYR    38      -5.900  15.787  -4.266  1.00   .00          
ATOM    624  HN  TYR    38      -6.785  15.502  -4.576  1.00   .00          
ATOM    625  CA  TYR    38      -4.824  16.086  -5.254  1.00   .00          
ATOM    626  HA  TYR    38      -5.185  15.939  -6.259  1.00   .00          
ATOM    627  CB  TYR    38      -4.479  17.559  -5.032  1.00   .00          
ATOM    628  HB1 TYR    38      -3.406  17.678  -5.007  1.00   .00          
ATOM    629  HB2 TYR    38      -4.901  17.890  -4.094  1.00   .00          
ATOM    630  CG  TYR    38      -5.050  18.382  -6.161  1.00   .00          
ATOM    631  CD1 TYR    38      -5.799  19.531  -5.880  1.00   .00          
ATOM    632  HD1 TYR    38      -5.969  19.828  -4.855  1.00   .00          
ATOM    633  CD2 TYR    38      -4.830  17.997  -7.490  1.00   .00          
ATOM    634  HD2 TYR    38      -4.251  17.111  -7.707  1.00   .00          
ATOM    635  CE1 TYR    38      -6.330  20.294  -6.927  1.00   .00          
ATOM    636  HE1 TYR    38      -6.908  21.179  -6.710  1.00   .00          
ATOM    637  CE2 TYR    38      -5.360  18.761  -8.536  1.00   .00          
ATOM    638  HE2 TYR    38      -5.191  18.463  -9.561  1.00   .00          
ATOM    639  CZ  TYR    38      -6.110  19.909  -8.255  1.00   .00          
ATOM    640  OH  TYR    38      -6.633  20.661  -9.287  1.00   .00          
ATOM    641  HH  TYR    38      -5.940  21.241  -9.612  1.00   .00          
ATOM    642  C   TYR    38      -3.602  15.201  -4.990  1.00   .00          
ATOM    643  O   TYR    38      -2.916  15.353  -3.999  1.00   .00          
ATOM    644  N   ASP    39      -3.326  14.280  -5.871  1.00   .00          
ATOM    645  HN  ASP    39      -3.892  14.176  -6.664  1.00   .00          
ATOM    646  CA  ASP    39      -2.148  13.386  -5.674  1.00   .00          
ATOM    647  HA  ASP    39      -2.209  12.533  -6.330  1.00   .00          
ATOM    648  CB  ASP    39       -.934  14.241  -6.043  1.00   .00          
ATOM    649  HB1 ASP    39       -.626  14.817  -5.183  1.00   .00          
ATOM    650  HB2 ASP    39      -1.198  14.910  -6.849  1.00   .00          
ATOM    651  CG  ASP    39        .216  13.334  -6.485  1.00   .00          
ATOM    652  OD1 ASP    39       1.347  13.631  -6.136  1.00   .00          
ATOM    653  OD2 ASP    39       -.053  12.357  -7.165  1.00   .00          
ATOM    654  C   ASP    39      -2.060  12.933  -4.214  1.00   .00          
ATOM    655  O   ASP    39      -1.058  13.124  -3.555  1.00   .00          
ATOM    656  N   GLU    40      -3.100  12.331  -3.705  1.00   .00          
ATOM    657  HN  GLU    40      -3.899  12.183  -4.253  1.00   .00          
ATOM    658  CA  GLU    40      -3.069  11.864  -2.290  1.00   .00          
ATOM    659  HA  GLU    40      -2.358  12.440  -1.719  1.00   .00          
ATOM    660  CB  GLU    40      -4.485  12.106  -1.760  1.00   .00          
ATOM    661  HB1 GLU    40      -4.827  13.078  -2.083  1.00   .00          
ATOM    662  HB2 GLU    40      -4.476  12.069   -.680  1.00   .00          
ATOM    663  CG  GLU    40      -5.431  11.031  -2.300  1.00   .00          
ATOM    664  HG1 GLU    40      -5.317  10.127  -1.722  1.00   .00          
ATOM    665  HG2 GLU    40      -5.193  10.830  -3.335  1.00   .00          
ATOM    666  CD  GLU    40      -6.876  11.523  -2.194  1.00   .00          
ATOM    667  OE1 GLU    40      -7.522  11.629  -3.223  1.00   .00          
ATOM    668  OE2 GLU    40      -7.313  11.785  -1.085  1.00   .00          
ATOM    669  C   GLU    40      -2.715  10.374  -2.236  1.00   .00          
ATOM    670  O   GLU    40      -2.647   9.779  -1.178  1.00   .00          
ATOM    671  N   ALA    41      -2.489   9.769  -3.370  1.00   .00          
ATOM    672  HN  ALA    41      -2.549  10.267  -4.211  1.00   .00          
ATOM    673  CA  ALA    41      -2.140   8.320  -3.388  1.00   .00          
ATOM    674  HA  ALA    41      -1.856   7.987  -2.402  1.00   .00          
ATOM    675  CB  ALA    41      -3.419   7.610  -3.832  1.00   .00          
ATOM    676  HB1 ALA    41      -3.675   6.846  -3.114  1.00   .00          
ATOM    677  HB2 ALA    41      -3.261   7.156  -4.800  1.00   .00          
ATOM    678  HB3 ALA    41      -4.224   8.327  -3.898  1.00   .00          
ATOM    679  C   ALA    41      -1.009   8.064  -4.388  1.00   .00          
ATOM    680  O   ALA    41       -.927   8.698  -5.421  1.00   .00          
ATOM    681  N   THR    42       -.137   7.140  -4.091  1.00   .00          
ATOM    682  HN  THR    42       -.219   6.639  -3.253  1.00   .00          
ATOM    683  CA  THR    42        .985   6.849  -5.029  1.00   .00          
ATOM    684  HA  THR    42        .737   7.181  -6.024  1.00   .00          
ATOM    685  CB  THR    42       2.171   7.652  -4.494  1.00   .00          
ATOM    686  HB  THR    42       3.062   7.381  -5.038  1.00   .00          
ATOM    687  OG1 THR    42       2.350   7.366  -3.114  1.00   .00          
ATOM    688  HG1 THR    42       3.290   7.255  -2.954  1.00   .00          
ATOM    689  CG2 THR    42       1.902   9.146  -4.679  1.00   .00          
ATOM    690 HG21 THR    42       1.703   9.349  -5.721  1.00   .00          
ATOM    691 HG22 THR    42       2.767   9.709  -4.361  1.00   .00          
ATOM    692 HG23 THR    42       1.047   9.434  -4.086  1.00   .00          
ATOM    693  C   THR    42       1.307   5.353  -5.030  1.00   .00          
ATOM    694  O   THR    42        .497   4.531  -4.646  1.00   .00          
ATOM    695  N   TRP    43       2.484   4.995  -5.466  1.00   .00          
ATOM    696  HN  TRP    43       3.119   5.673  -5.776  1.00   .00          
ATOM    697  CA  TRP    43       2.860   3.554  -5.503  1.00   .00          
ATOM    698  HA  TRP    43       2.020   2.936  -5.230  1.00   .00          
ATOM    699  CB  TRP    43       3.249   3.292  -6.956  1.00   .00          
ATOM    700  HB1 TRP    43       3.997   2.514  -6.992  1.00   .00          
ATOM    701  HB2 TRP    43       3.651   4.196  -7.389  1.00   .00          
ATOM    702  CG  TRP    43       2.049   2.862  -7.735  1.00   .00          
ATOM    703  CD1 TRP    43       1.441   3.600  -8.692  1.00   .00          
ATOM    704  HD1 TRP    43       1.742   4.590  -9.006  1.00   .00          
ATOM    705  CD2 TRP    43       1.305   1.613  -7.646  1.00   .00          
ATOM    706  NE1 TRP    43        .377   2.879  -9.204  1.00   .00          
ATOM    707  HE1 TRP    43       -.226   3.187  -9.913  1.00   .00          
ATOM    708  CE2 TRP    43        .251   1.648  -8.590  1.00   .00          
ATOM    709  CE3 TRP    43       1.442    .462  -6.848  1.00   .00          
ATOM    710  HE3 TRP    43       2.233    .407  -6.115  1.00   .00          
ATOM    711  CZ2 TRP    43       -.633    .578  -8.737  1.00   .00          
ATOM    712  HZ2 TRP    43      -1.429    .625  -9.463  1.00   .00          
ATOM    713  CZ3 TRP    43        .552   -.614  -6.993  1.00   .00          
ATOM    714  HZ3 TRP    43        .667  -1.492  -6.376  1.00   .00          
ATOM    715  CH2 TRP    43       -.482   -.555  -7.937  1.00   .00          
ATOM    716  HH2 TRP    43      -1.163  -1.385  -8.044  1.00   .00          
ATOM    717  C   TRP    43       4.054   3.278  -4.584  1.00   .00          
ATOM    718  O   TRP    43       5.106   3.870  -4.719  1.00   .00          
ATOM    719  N   GLU    44       3.902   2.367  -3.664  1.00   .00          
ATOM    720  HN  GLU    44       3.048   1.893  -3.583  1.00   .00          
ATOM    721  CA  GLU    44       5.029   2.029  -2.748  1.00   .00          
ATOM    722  HA  GLU    44       5.918   2.574  -3.023  1.00   .00          
ATOM    723  CB  GLU    44       4.558   2.453  -1.356  1.00   .00          
ATOM    724  HB1 GLU    44       5.003   1.809   -.613  1.00   .00          
ATOM    725  HB2 GLU    44       3.481   2.377  -1.302  1.00   .00          
ATOM    726  CG  GLU    44       4.983   3.899  -1.094  1.00   .00          
ATOM    727  HG1 GLU    44       4.649   4.200   -.113  1.00   .00          
ATOM    728  HG2 GLU    44       4.543   4.544  -1.840  1.00   .00          
ATOM    729  CD  GLU    44       6.507   4.000  -1.163  1.00   .00          
ATOM    730  OE1 GLU    44       6.993   4.807  -1.938  1.00   .00          
ATOM    731  OE2 GLU    44       7.163   3.267   -.441  1.00   .00          
ATOM    732  C   GLU    44       5.283    .523  -2.794  1.00   .00          
ATOM    733  O   GLU    44       4.459   -.233  -3.263  1.00   .00          
ATOM    734  N   ASN    45       6.407    .071  -2.312  1.00   .00          
ATOM    735  HN  ASN    45       7.065    .685  -1.930  1.00   .00          
ATOM    736  CA  ASN    45       6.674  -1.391  -2.339  1.00   .00          
ATOM    737  HA  ASN    45       6.686  -1.756  -3.354  1.00   .00          
ATOM    738  CB  ASN    45       8.053  -1.563  -1.702  1.00   .00          
ATOM    739  HB1 ASN    45       8.146  -2.564  -1.309  1.00   .00          
ATOM    740  HB2 ASN    45       8.171   -.849   -.899  1.00   .00          
ATOM    741  CG  ASN    45       9.136  -1.331  -2.757  1.00   .00          
ATOM    742  OD1 ASN    45       9.873   -.367  -2.688  1.00   .00          
ATOM    743  ND2 ASN    45       9.264  -2.180  -3.740  1.00   .00          
ATOM    744 HD21 ASN    45       8.668  -2.957  -3.796  1.00   .00          
ATOM    745 HD22 ASN    45       9.954  -2.041  -4.421  1.00   .00          
ATOM    746  C   ASN    45       5.609  -2.114  -1.519  1.00   .00          
ATOM    747  O   ASN    45       5.272  -1.703   -.427  1.00   .00         
ATOM    748  N   ALA    46       5.083  -3.194  -2.022  1.00   .00          
ATOM    749  HN  ALA    46       5.376  -3.525  -2.895  1.00   .00          
ATOM    750  CA  ALA    46       4.055  -3.933  -1.246  1.00   .00          
ATOM    751  HA  ALA    46       3.256  -3.274   -.945  1.00   .00          
ATOM    752  CB  ALA    46       3.528  -5.012  -2.190  1.00   .00          
ATOM    753  HB1 ALA    46       4.162  -5.884  -2.130  1.00   .00          
ATOM    754  HB2 ALA    46       3.527  -4.635  -3.202  1.00   .00          
ATOM    755  HB3 ALA    46       2.521  -5.279  -1.905  1.00   .00          
ATOM    756  C   ALA    46       4.726  -4.558   -.030  1.00   .00          
ATOM    757  O   ALA    46       4.083  -4.985    .907  1.00   .00          
ATOM    758  N   THR    47       6.027  -4.597   -.041  1.00   .00          
ATOM    759  HN  THR    47       6.523  -4.233   -.806  1.00   .00          
ATOM    760  CA  THR    47       6.767  -5.176   1.106  1.00   .00          
ATOM    761  HA  THR    47       6.318  -6.101   1.421  1.00   .00          
ATOM    762  CB  THR    47       8.171  -5.423    .565  1.00   .00          
ATOM    763  HB  THR    47       8.770  -4.539    .710  1.00   .00          
ATOM    764  OG1 THR    47       8.093  -5.719   -.825  1.00   .00          
ATOM    765  HG1 THR    47       8.579  -6.531   -.988  1.00   .00          
ATOM    766  CG2 THR    47       8.805  -6.594   1.311  1.00   .00          
ATOM    767 HG21 THR    47       8.048  -7.102   1.889  1.00   .00          
ATOM    768 HG22 THR    47       9.575  -6.224   1.971  1.00   .00          
ATOM    769 HG23 THR    47       9.237  -7.281    .600  1.00   .00          
ATOM    770  C   THR    47       6.793  -4.170   2.251  1.00   .00          
ATOM    771  O   THR    47       6.495  -4.489   3.385  1.00   .00          
ATOM    772  N   ASP    48       7.129  -2.949   1.955  1.00   .00          
ATOM    773  HN  ASP    48       7.351  -2.715   1.030  1.00   .00          
ATOM    774  CA  ASP    48       7.156  -1.909   3.016  1.00   .00          
ATOM    775  HA  ASP    48       7.854  -2.174   3.793  1.00   .00          
ATOM    776  CB  ASP    48       7.606   -.629   2.312  1.00   .00          
ATOM    777  HB1 ASP    48       7.104    .218   2.752  1.00   .00          
ATOM    778  HB2 ASP    48       7.356   -.690   1.263  1.00   .00          
ATOM    779  CG  ASP    48       9.118   -.462   2.468  1.00   .00          
ATOM    780  OD1 ASP    48       9.620   -.761   3.539  1.00   .00          
ATOM    781  OD2 ASP    48       9.748   -.036   1.514  1.00   .00          
ATOM    782  C   ASP    48       5.751  -1.739   3.588  1.00   .00          
ATOM    783  O   ASP    48       5.545  -1.790   4.784  1.00   .00          
ATOM    784  N   ILE    49       4.779  -1.546   2.738  1.00   .00          
ATOM    785  HN  ILE    49       4.966  -1.514   1.776  1.00   .00          
ATOM    786  CA  ILE    49       3.387  -1.383   3.233  1.00   .00          
ATOM    787  HA  ILE    49       3.307   -.490   3.835  1.00   .00          
ATOM    788  CB  ILE    49       2.522  -1.250   1.980  1.00   .00          
ATOM    789  HB  ILE    49       2.704  -2.089   1.325  1.00   .00          
ATOM    790  CG1 ILE    49       2.874    .052   1.259  1.00   .00          
ATOM    791 HG11 ILE    49       2.212    .188    .417  1.00   .00          
ATOM    792 HG12 ILE    49       3.896    .006    .911  1.00   .00          
ATOM    793  CG2 ILE    49       1.047  -1.223   2.381  1.00   .00          
ATOM    794 HG21 ILE    49        .727   -.200   2.505  1.00   .00          
ATOM    795 HG22 ILE    49        .916  -1.756   3.311  1.00   .00          
ATOM    796 HG23 ILE    49        .456  -1.694   1.609  1.00   .00          
ATOM    797  CD1 ILE    49       2.714   1.228   2.224  1.00   .00          
ATOM    798 HD11 ILE    49       2.627   2.146   1.662  1.00   .00          
ATOM    799 HD12 ILE    49       3.576   1.283   2.872  1.00   .00          
ATOM    800 HD13 ILE    49       1.824   1.086   2.821  1.00   .00          
ATOM    801  C   ILE    49       2.982  -2.610   4.049  1.00   .00          
ATOM    802  O   ILE    49       2.243  -2.510   5.004  1.00   .00          
ATOM    803  N   VAL    50       3.470  -3.771   3.703  1.00   .00          
ATOM    804  HN  VAL    50       4.080  -3.848   2.937  1.00   .00          
ATOM    805  CA  VAL    50       3.110  -4.972   4.505  1.00   .00          
ATOM    806  HA  VAL    50       2.044  -5.137   4.488  1.00   .00          
ATOM    807  CB  VAL    50       3.843  -6.141   3.846  1.00   .00          
ATOM    808  HB  VAL    50       4.826  -5.820   3.539  1.00   .00          
ATOM    809  CG1 VAL    50       3.969  -7.299   4.840  1.00   .00          
ATOM    810 HG11 VAL    50       4.694  -7.044   5.599  1.00   .00          
ATOM    811 HG12 VAL    50       4.292  -8.188   4.319  1.00   .00          
ATOM    812 HG13 VAL    50       3.011  -7.481   5.304  1.00   .00          
ATOM    813  CG2 VAL    50       3.051  -6.607   2.626  1.00   .00          
ATOM    814 HG21 VAL    50       2.274  -7.289   2.940  1.00   .00          
ATOM    815 HG22 VAL    50       3.712  -7.108   1.935  1.00   .00          
ATOM    816 HG23 VAL    50       2.604  -5.752   2.142  1.00   .00          
ATOM    817  C   VAL    50       3.602  -4.757   5.934  1.00   .00          
ATOM    818  O   VAL    50       2.871  -4.918   6.888  1.00   .00          
ATOM    819  N   LYS    51       4.837  -4.367   6.079  1.00   .00          
ATOM    820  HN  LYS    51       5.398  -4.226   5.287  1.00   .00          
ATOM    821  CA  LYS    51       5.384  -4.109   7.442  1.00   .00          
ATOM    822  HA  LYS    51       5.153  -4.929   8.105  1.00   .00          
ATOM    823  CB  LYS    51       6.897  -3.990   7.254  1.00   .00          
ATOM    824  HB1 LYS    51       7.312  -3.388   8.048  1.00   .00          
ATOM    825  HB2 LYS    51       7.106  -3.525   6.302  1.00   .00          
ATOM    826  CG  LYS    51       7.526  -5.384   7.293  1.00   .00          
ATOM    827  HG1 LYS    51       6.998  -6.037   6.616  1.00   .00          
ATOM    828  HG2 LYS    51       7.463  -5.779   8.297  1.00   .00          
ATOM    829  CD  LYS    51       8.994  -5.296   6.870  1.00   .00          
ATOM    830  HD1 LYS    51       9.066  -4.781   5.924  1.00   .00          
ATOM    831  HD2 LYS    51       9.400  -6.292   6.770  1.00   .00          
ATOM    832  CE  LYS    51       9.787  -4.525   7.928  1.00   .00          
ATOM    833  HE1 LYS    51       9.294  -4.586   8.886  1.00   .00          
ATOM    834  HE2 LYS    51       9.906  -3.493   7.629  1.00   .00          
ATOM    835  NZ  LYS    51      11.109  -5.206   7.991  1.00   .00          
ATOM    836  HZ1 LYS    51      10.980  -6.229   7.856  1.00   .00          
ATOM    837  HZ2 LYS    51      11.546  -5.031   8.919  1.00   .00          
ATOM    838  HZ3 LYS    51      11.727  -4.835   7.241  1.00   .00          
ATOM    839  C   LYS    51       4.800  -2.801   7.977  1.00   .00          
ATOM    840  O   LYS    51       4.347  -2.722   9.102  1.00   .00          
ATOM    841  N   LEU    52       4.790  -1.777   7.166  1.00   .00          
ATOM    842  HN  LEU    52       5.145  -1.868   6.258  1.00   .00          
ATOM    843  CA  LEU    52       4.216   -.477   7.605  1.00   .00          
ATOM    844  HA  LEU    52       4.721   -.108   8.482  1.00   .00          
ATOM    845  CB  LEU    52       4.449    .457   6.422  1.00   .00          
ATOM    846  HB1 LEU    52       3.527    .580   5.878  1.00   .00          
ATOM    847  HB2 LEU    52       5.194    .029   5.771  1.00   .00          
ATOM    848  CG  LEU    52       4.930   1.818   6.924  1.00   .00          
ATOM    849  HG  LEU    52       4.400   2.077   7.829  1.00   .00          
ATOM    850  CD1 LEU    52       6.432   1.754   7.213  1.00   .00          
ATOM    851 HD11 LEU    52       6.599   1.865   8.274  1.00   .00          
ATOM    852 HD12 LEU    52       6.934   2.550   6.684  1.00   .00          
ATOM    853 HD13 LEU    52       6.822    .802   6.885  1.00   .00          
ATOM    854  CD2 LEU    52       4.664   2.876   5.851  1.00   .00          
ATOM    855 HD21 LEU    52       5.242   2.648   4.968  1.00   .00          
ATOM    856 HD22 LEU    52       4.947   3.848   6.226  1.00   .00          
ATOM    857 HD23 LEU    52       3.613   2.879   5.602  1.00   .00          
ATOM    858  C   LEU    52       2.721   -.655   7.860  1.00   .00          
ATOM    859  O   LEU    52       2.248   -.575   8.977  1.00   .00          
ATOM    860  N   ALA    53       1.981   -.922   6.821  1.00   .00          
ATOM    861  HN  ALA    53       2.397   -.996   5.937  1.00   .00          
ATOM    862  CA  ALA    53        .517  -1.138   6.966  1.00   .00          
ATOM    863  HA  ALA    53        .199   -.929   7.974  1.00   .00          
ATOM    864  CB  ALA    53       -.129   -.153   5.992  1.00   .00          
ATOM    865  HB1 ALA    53       -.431   -.677   5.097  1.00   .00          
ATOM    866  HB2 ALA    53        .583    .618   5.735  1.00   .00          
ATOM    867  HB3 ALA    53       -.995    .297   6.455  1.00   .00          
ATOM    868  C   ALA    53        .179  -2.581   6.576  1.00   .00          
ATOM    869  O   ALA    53       -.268  -2.837   5.476  1.00   .00          
ATOM    870  N   PRO    54        .417  -3.479   7.495  1.00   .00          
ATOM    871  CA  PRO    54        .147  -4.919   7.248  1.00   .00          
ATOM    872  HA  PRO    54        .653  -5.256   6.354  1.00   .00          
ATOM    873  CB  PRO    54        .737  -5.611   8.476  1.00   .00          
ATOM    874  HB1 PRO    54       1.744  -5.941   8.281  1.00   .00          
ATOM    875  HB2 PRO    54        .115  -6.446   8.769  1.00   .00          
ATOM    876  CG  PRO    54        .737  -4.561   9.540  1.00   .00          
ATOM    877  HG1 PRO    54       1.542  -4.737  10.236  1.00   .00          
ATOM    878  HG2 PRO    54       -.212  -4.563  10.060  1.00   .00          
ATOM    879  CD  PRO    54        .946  -3.243   8.842  1.00   .00          
ATOM    880  HD2 PRO    54        .393  -2.458   9.341  1.00   .00          
ATOM    881  HD1 PRO    54       1.996  -3.000   8.793  1.00   .00          
ATOM    882  C   PRO    54      -1.359  -5.172   7.155  1.00   .00          
ATOM    883  O   PRO    54      -1.844  -5.755   6.205  1.00   .00          
ATOM    884  N   GLU    55      -2.102  -4.740   8.136  1.00   .00          
ATOM    885  HN  GLU    55      -1.691  -4.274   8.894  1.00   .00          
ATOM    886  CA  GLU    55      -3.576  -4.958   8.107  1.00   .00          
ATOM    887  HA  GLU    55      -3.806  -6.000   8.260  1.00   .00          
ATOM    888  CB  GLU    55      -4.121  -4.127   9.269  1.00   .00          
ATOM    889  HB1 GLU    55      -4.445  -3.165   8.903  1.00   .00          
ATOM    890  HB2 GLU    55      -3.344  -3.990  10.007  1.00   .00          
ATOM    891  CG  GLU    55      -5.306  -4.856   9.904  1.00   .00          
ATOM    892  HG1 GLU    55      -5.436  -5.816   9.428  1.00   .00          
ATOM    893  HG2 GLU    55      -6.202  -4.265   9.775  1.00   .00          
ATOM    894  CD  GLU    55      -5.037  -5.061  11.395  1.00   .00          
ATOM    895  OE1 GLU    55      -4.866  -6.201  11.795  1.00   .00          
ATOM    896  OE2 GLU    55      -5.006  -4.074  12.113  1.00   .00          
ATOM    897  C   GLU    55      -4.156  -4.470   6.778  1.00   .00          
ATOM    898  O   GLU    55      -5.036  -5.087   6.211  1.00   .00          
ATOM    899  N   GLN    56      -3.669  -3.368   6.275  1.00   .00          
ATOM    900  HN  GLN    56      -2.958  -2.886   6.747  1.00   .00          
ATOM    901  CA  GLN    56      -4.194  -2.845   4.981  1.00   .00          
ATOM    902  HA  GLN    56      -5.269  -2.777   5.012  1.00   .00          
ATOM    903  CB  GLN    56      -3.584  -1.450   4.838  1.00   .00          
ATOM    904  HB1 GLN    56      -3.525  -1.189   3.792  1.00   .00          
ATOM    905  HB2 GLN    56      -2.593  -1.444   5.268  1.00   .00          
ATOM    906  CG  GLN    56      -4.464   -.432   5.565  1.00   .00          
ATOM    907  HG1 GLN    56      -5.487   -.539   5.235  1.00   .00          
ATOM    908  HG2 GLN    56      -4.116    .567   5.345  1.00   .00          
ATOM    909  CD  GLN    56      -4.390   -.679   7.073  1.00   .00          
ATOM    910  OE1 GLN    56      -3.364   -.461   7.686  1.00   .00          
ATOM    911  NE2 GLN    56      -5.442  -1.128   7.700  1.00   .00          
ATOM    912 HE21 GLN    56      -6.270  -1.304   7.206  1.00   .00          
ATOM    913 HE22 GLN    56      -5.405  -1.290   8.666  1.00   .00          
ATOM    914  C   GLN    56      -3.750  -3.749   3.830  1.00   .00          
ATOM    915  O   GLN    56      -4.537  -4.123   2.985  1.00   .00          
ATOM    916  N   VAL    57      -2.496  -4.108   3.791  1.00   .00          
ATOM    917  HN  VAL    57      -1.874  -3.800   4.483  1.00   .00          
ATOM    918  CA  VAL    57      -2.015  -4.994   2.694  1.00   .00          
ATOM    919  HA  VAL    57      -2.179  -4.523   1.737  1.00   .00          
ATOM    920  CB  VAL    57       -.510  -5.151   2.947  1.00   .00          
ATOM    921  HB  VAL    57       -.315  -5.096   4.008  1.00   .00          
ATOM    922  CG1 VAL    57       -.005  -6.490   2.404  1.00   .00          
ATOM    923 HG11 VAL    57       -.763  -6.940   1.783  1.00   .00          
ATOM    924 HG12 VAL    57        .225  -7.148   3.228  1.00   .00          
ATOM    925 HG13 VAL    57        .885  -6.324   1.818  1.00   .00          
ATOM    926  CG2 VAL    57        .227  -4.016   2.235  1.00   .00          
ATOM    927 HG21 VAL    57        .951  -3.579   2.904  1.00   .00          
ATOM    928 HG22 VAL    57       -.485  -3.263   1.930  1.00   .00          
ATOM    929 HG23 VAL    57        .731  -4.407   1.363  1.00   .00          
ATOM    930  C   VAL    57      -2.758  -6.332   2.760  1.00   .00          
ATOM    931  O   VAL    57      -3.182  -6.864   1.753  1.00   .00          
ATOM    932  N   LYS    58      -2.945  -6.869   3.935  1.00   .00          
ATOM    933  HN  LYS    58      -2.616  -6.419   4.741  1.00   .00          
ATOM    934  CA  LYS    58      -3.691  -8.155   4.045  1.00   .00          
ATOM    935  HA  LYS    58      -3.248  -8.912   3.411  1.00   .00          
ATOM    936  CB  LYS    58      -3.589  -8.560   5.516  1.00   .00          
ATOM    937  HB1 LYS    58      -4.096  -7.829   6.128  1.00   .00          
ATOM    938  HB2 LYS    58      -2.549  -8.612   5.804  1.00   .00          
ATOM    939  CG  LYS    58      -4.244  -9.929   5.716  1.00   .00          
ATOM    940  HG1 LYS    58      -4.984 -10.089   4.946  1.00   .00          
ATOM    941  HG2 LYS    58      -4.719  -9.962   6.685  1.00   .00          
ATOM    942  CD  LYS    58      -3.178 -11.023   5.630  1.00   .00          
ATOM    943  HD1 LYS    58      -3.396 -11.794   6.354  1.00   .00          
ATOM    944  HD2 LYS    58      -2.207 -10.597   5.838  1.00   .00          
ATOM    945  CE  LYS    58      -3.181 -11.631   4.226  1.00   .00          
ATOM    946  HE1 LYS    58      -2.215 -12.051   3.995  1.00   .00          
ATOM    947  HE2 LYS    58      -3.455 -10.883   3.495  1.00   .00          
ATOM    948  NZ  LYS    58      -4.208 -12.709   4.278  1.00   .00          
ATOM    949  HZ1 LYS    58      -5.124 -12.303   4.551  1.00   .00          
ATOM    950  HZ2 LYS    58      -3.922 -13.425   4.978  1.00   .00          
ATOM    951  HZ3 LYS    58      -4.293 -13.153   3.342  1.00   .00          
ATOM    952  C   LYS    58      -5.144  -7.906   3.645  1.00   .00          
ATOM    953  O   LYS    58      -5.708  -8.619   2.839  1.00   .00          
ATOM    954  N   HIS    59      -5.742  -6.874   4.177  1.00   .00          
ATOM    955  HN  HIS    59      -5.261  -6.294   4.804  1.00   .00          
ATOM    956  CA  HIS    59      -7.143  -6.557   3.793  1.00   .00          
ATOM    957  HA  HIS    59      -7.802  -7.380   4.021  1.00   .00          
ATOM    958  CB  HIS    59      -7.517  -5.322   4.614  1.00   .00          
ATOM    959  HB1 HIS    59      -8.264  -4.750   4.084  1.00   .00          
ATOM    960  HB2 HIS    59      -6.639  -4.713   4.767  1.00   .00          
ATOM    961  CG  HIS    59      -8.067  -5.750   5.947  1.00   .00          
ATOM    962  ND1 HIS    59      -7.660  -6.916   6.576  1.00   .00          
ATOM    963  HD1 HIS    59      -6.999  -7.556   6.239  1.00   .00          
ATOM    964  CD2 HIS    59      -8.995  -5.178   6.782  1.00   .00          
ATOM    965  HD2 HIS    59      -9.515  -4.251   6.591  1.00   .00          
ATOM    966  CE1 HIS    59      -8.335  -7.007   7.737  1.00   .00          
ATOM    967  HE1 HIS    59      -8.222  -7.819   8.440  1.00   .00          
ATOM    968  NE2 HIS    59      -9.162  -5.973   7.911  1.00   .00          
ATOM    969  C   HIS    59      -7.160  -6.240   2.299  1.00   .00          
ATOM    970  O   HIS    59      -8.104  -6.529   1.591  1.00   .00          
ATOM    971  N   PHE    60      -6.091  -5.663   1.822  1.00   .00          
ATOM    972  HN  PHE    60      -5.341  -5.462   2.421  1.00   .00          
ATOM    973  CA  PHE    60      -5.983  -5.334    .376  1.00   .00          
ATOM    974  HA  PHE    60      -6.870  -4.835    .024  1.00   .00          
ATOM    975  CB  PHE    60      -4.777  -4.400    .285  1.00   .00          
ATOM    976  HB1 PHE    60      -3.984  -4.776    .916  1.00   .00          
ATOM    977  HB2 PHE    60      -5.061  -3.412    .615  1.00   .00          
ATOM    978  CG  PHE    60      -4.287  -4.337  -1.139  1.00   .00          
ATOM    979  CD1 PHE    60      -5.188  -4.117  -2.185  1.00   .00          
ATOM    980  HD1 PHE    60      -6.240  -3.987  -1.975  1.00   .00          
ATOM    981  CD2 PHE    60      -2.927  -4.505  -1.408  1.00   .00          
ATOM    982  HD2 PHE    60      -2.236  -4.672   -.596  1.00   .00          
ATOM    983  CE1 PHE    60      -4.725  -4.065  -3.505  1.00   .00          
ATOM    984  HE1 PHE    60      -5.418  -3.896  -4.314  1.00   .00          
ATOM    985  CE2 PHE    60      -2.461  -4.452  -2.725  1.00   .00          
ATOM    986  HE2 PHE    60      -1.409  -4.582  -2.930  1.00   .00          
ATOM    987  CZ  PHE    60      -3.361  -4.233  -3.776  1.00   .00          
ATOM    988  HZ  PHE    60      -3.004  -4.192  -4.795  1.00   .00          
ATOM    989  C   PHE    60      -5.721  -6.621   -.407  1.00   .00          
ATOM    990  O   PHE    60      -6.132  -6.777  -1.539  1.00   .00          
ATOM    991  N   GLN    61      -5.031  -7.541    .207  1.00   .00          
ATOM    992  HN  GLN    61      -4.714  -7.380   1.121  1.00   .00          
ATOM    993  CA  GLN    61      -4.717  -8.832   -.462  1.00   .00          
ATOM    994  HA  GLN    61      -4.181  -8.663  -1.381  1.00   .00          
ATOM    995  CB  GLN    61      -3.821  -9.563    .536  1.00   .00          
ATOM    996  HB1 GLN    61      -4.115 -10.595    .595  1.00   .00          
ATOM    997  HB2 GLN    61      -3.921  -9.105   1.509  1.00   .00          
ATOM    998  CG  GLN    61      -2.365  -9.475    .077  1.00   .00          
ATOM    999  HG1 GLN    61      -1.722  -9.357    .936  1.00   .00          
ATOM   1000  HG2 GLN    61      -2.246  -8.626   -.582  1.00   .00          
ATOM   1001  CD  GLN    61      -1.987 -10.757   -.667  1.00   .00          
ATOM   1002  OE1 GLN    61      -2.772 -11.682   -.742  1.00   .00          
ATOM   1003  NE2 GLN    61       -.811 -10.853  -1.223  1.00   .00          
ATOM   1004 HE21 GLN    61       -.179 -10.107  -1.163  1.00   .00          
ATOM   1005 HE22 GLN    61       -.561 -11.671  -1.701  1.00   .00          
ATOM   1006  C   GLN    61      -6.001  -9.626   -.723  1.00   .00          
ATOM   1007  O   GLN    61      -6.287 -10.009  -1.840  1.00   .00          
ATOM   1008  N   ASN    62      -6.774  -9.877    .298  1.00   .00          
ATOM   1009  HN  ASN    62      -6.524  -9.560   1.191  1.00   .00          
ATOM   1010  CA  ASN    62      -8.036 -10.649    .106  1.00   .00          
ATOM   1011  HA  ASN    62      -7.841 -11.559   -.437  1.00   .00          
ATOM   1012  CB  ASN    62      -8.519 -10.976   1.519  1.00   .00          
ATOM   1013  HB1 ASN    62      -9.595 -11.072   1.519  1.00   .00          
ATOM   1014  HB2 ASN    62      -8.228 -10.182   2.192  1.00   .00          
ATOM   1015  CG  ASN    62      -7.894 -12.293   1.982  1.00   .00          
ATOM   1016  OD1 ASN    62      -8.081 -13.320   1.361  1.00   .00          
ATOM   1017  ND2 ASN    62      -7.153 -12.305   3.056  1.00   .00          
ATOM   1018 HD21 ASN    62      -7.002 -11.476   3.557  1.00   .00          
ATOM   1019 HD22 ASN    62      -6.747 -13.143   3.362  1.00   .00          
ATOM   1020  C   ASN    62      -9.074  -9.797   -.630  1.00   .00          
ATOM   1021  O   ASN    62      -9.974 -10.309  -1.264  1.00   .00          
ATOM   1022  N   ARG    63      -8.957  -8.500   -.548  1.00   .00          
ATOM   1023  HN  ARG    63      -8.224  -8.106   -.029  1.00   .00          
ATOM   1024  CA  ARG    63      -9.940  -7.618  -1.241  1.00   .00          
ATOM   1025  HA  ARG    63     -10.948  -7.911   -.995  1.00   .00          
ATOM   1026  CB  ARG    63      -9.658  -6.215   -.702  1.00   .00          
ATOM   1027  HB1 ARG    63      -9.877  -5.485  -1.467  1.00   .00          
ATOM   1028  HB2 ARG    63      -8.618  -6.141   -.420  1.00   .00          
ATOM   1029  CG  ARG    63     -10.540  -5.950    .520  1.00   .00          
ATOM   1030  HG1 ARG    63     -10.086  -5.188   1.134  1.00   .00          
ATOM   1031  HG2 ARG    63     -10.643  -6.861   1.093  1.00   .00          
ATOM   1032  CD  ARG    63     -11.921  -5.477    .060  1.00   .00          
ATOM   1033  HD1 ARG    63     -12.638  -6.280    .135  1.00   .00          
ATOM   1034  HD2 ARG    63     -11.871  -5.106   -.954  1.00   .00          
ATOM   1035  NE  ARG    63     -12.284  -4.380   1.000  1.00   .00          
ATOM   1036  HE  ARG    63     -11.828  -4.304   1.864  1.00   .00          
ATOM   1037  CZ  ARG    63     -13.210  -3.521    .672  1.00   .00          
ATOM   1038  NH1 ARG    63     -12.898  -2.269    .474  1.00   .00          
ATOM   1039 HH11 ARG    63     -11.950  -1.968    .573  1.00   .00          
ATOM   1040 HH12 ARG    63     -13.608  -1.611    .223  1.00   .00          
ATOM   1041  NH2 ARG    63     -14.448  -3.914    .543  1.00   .00          
ATOM   1042 HH21 ARG    63     -14.686  -4.874    .694  1.00   .00          
ATOM   1043 HH22 ARG    63     -15.158  -3.257    .292  1.00   .00          
ATOM   1044  C   ARG    63      -9.721  -7.664  -2.756  1.00   .00          
ATOM   1045  O   ARG    63     -10.659  -7.675  -3.528  1.00   .00          
ATOM   1046  N   GLU    64      -8.490  -7.688  -3.186  1.00   .00          
ATOM   1047  HN  GLU    64      -7.749  -7.677  -2.546  1.00   .00          
ATOM   1048  CA  GLU    64      -8.212  -7.730  -4.650  1.00   .00          
ATOM   1049  HA  GLU    64      -8.345  -6.755  -5.086  1.00   .00          
ATOM   1050  CB  GLU    64      -6.749  -8.159  -4.766  1.00   .00          
ATOM   1051  HB1 GLU    64      -6.611  -8.724  -5.675  1.00   .00          
ATOM   1052  HB2 GLU    64      -6.488  -8.774  -3.916  1.00   .00          
ATOM   1053  CG  GLU    64      -5.853  -6.921  -4.796  1.00   .00          
ATOM   1054  HG1 GLU    64      -6.075  -6.294  -3.946  1.00   .00          
ATOM   1055  HG2 GLU    64      -6.032  -6.369  -5.708  1.00   .00          
ATOM   1056  CD  GLU    64      -4.386  -7.352  -4.739  1.00   .00          
ATOM   1057  OE1 GLU    64      -3.737  -7.315  -5.772  1.00   .00          
ATOM   1058  OE2 GLU    64      -3.937  -7.712  -3.664  1.00   .00          
ATOM   1059  C   GLU    64      -9.124  -8.749  -5.334  1.00   .00          
ATOM   1060  O   GLU    64      -9.596  -8.538  -6.433  1.00   .00          
ATOM   1061  N   ASN    65      -9.373  -9.854  -4.690  1.00   .00          
ATOM   1062  HN  ASN    65      -8.980 -10.002  -3.806  1.00   .00          
ATOM   1063  CA  ASN    65     -10.252 -10.891  -5.300  1.00   .00          
ATOM   1064  HA  ASN    65     -10.961 -10.437  -5.975  1.00   .00          
ATOM   1065  CB  ASN    65      -9.303 -11.803  -6.078  1.00   .00          
ATOM   1066  HB1 ASN    65      -9.619 -12.830  -5.967  1.00   .00          
ATOM   1067  HB2 ASN    65      -8.300 -11.691  -5.692  1.00   .00          
ATOM   1068  CG  ASN    65      -9.327 -11.422  -7.559  1.00   .00          
ATOM   1069  OD1 ASN    65      -8.990 -10.312  -7.918  1.00   .00          
ATOM   1070  ND2 ASN    65      -9.715 -12.303  -8.441  1.00   .00          
ATOM   1071 HD21 ASN    65      -9.987 -13.199  -8.152  1.00   .00          
ATOM   1072 HD22 ASN    65      -9.733 -12.068  -9.392  1.00   .00          
ATOM   1073  C   ASN    65     -10.981 -11.680  -4.209  1.00   .00          
ATOM   1074  O   ASN    65     -10.410 -12.536  -3.562  1.00   .00          
ATOM   1075  N   SER    66     -12.238 -11.400  -4.000  1.00   .00          
ATOM   1076  HN  SER    66     -12.680 -10.706  -4.532  1.00   .00          
ATOM   1077  CA  SER    66     -13.001 -12.135  -2.950  1.00   .00          
ATOM   1078  HA  SER    66     -12.398 -12.924  -2.530  1.00   .00          
ATOM   1079  CB  SER    66     -13.311 -11.089  -1.881  1.00   .00          
ATOM   1080  HB1 SER    66     -13.317 -10.105  -2.332  1.00   .00          
ATOM   1081  HB2 SER    66     -12.557 -11.123  -1.112  1.00   .00          
ATOM   1082  OG  SER    66     -14.580 -11.369  -1.304  1.00   .00          
ATOM   1083  HG  SER    66     -15.190 -10.681  -1.582  1.00   .00          
ATOM   1084  C   SER    66     -14.294 -12.706  -3.539  1.00   .00          
ATOM   1085  O   SER    66     -15.364 -12.156  -3.365  1.00   .00          
ATOM   1086  N   LYS    67     -14.204 -13.806  -4.237  1.00   .00          
ATOM   1087  HN  LYS    67     -13.331 -14.233  -4.366  1.00   .00          
ATOM   1088  CA  LYS    67     -15.426 -14.412  -4.839  1.00   .00          
ATOM   1089  HA  LYS    67     -16.111 -13.643  -5.158  1.00   .00          
ATOM   1090  CB  LYS    67     -14.922 -15.197  -6.050  1.00   .00          
ATOM   1091  HB1 LYS    67     -14.338 -16.041  -5.715  1.00   .00          
ATOM   1092  HB2 LYS    67     -14.308 -14.555  -6.665  1.00   .00          
ATOM   1093  CG  LYS    67     -16.115 -15.699  -6.865  1.00   .00          
ATOM   1094  HG1 LYS    67     -16.314 -15.011  -7.673  1.00   .00          
ATOM   1095  HG2 LYS    67     -16.984 -15.767  -6.227  1.00   .00          
ATOM   1096  CD  LYS    67     -15.796 -17.080  -7.441  1.00   .00          
ATOM   1097  HD1 LYS    67     -15.285 -17.671  -6.697  1.00   .00          
ATOM   1098  HD2 LYS    67     -15.163 -16.970  -8.311  1.00   .00          
ATOM   1099  CE  LYS    67     -17.097 -17.780  -7.840  1.00   .00          
ATOM   1100  HE1 LYS    67     -17.906 -17.463  -7.201  1.00   .00          
ATOM   1101  HE2 LYS    67     -16.974 -18.853  -7.793  1.00   .00          
ATOM   1102  NZ  LYS    67     -17.354 -17.344  -9.241  1.00   .00          
ATOM   1103  HZ1 LYS    67     -18.263 -17.730  -9.564  1.00   .00          
ATOM   1104  HZ2 LYS    67     -16.590 -17.693  -9.857  1.00   .00          
ATOM   1105  HZ3 LYS    67     -17.386 -16.306  -9.282  1.00   .00          
ATOM   1106  C   LYS    67     -16.104 -15.350  -3.835  1.00   .00          
ATOM   1107  O   LYS    67     -15.887 -16.546  -3.845  1.00   .00          
ATOM   1108  N   ILE    68     -16.923 -14.819  -2.970  1.00   .00          
ATOM   1109  HN  ILE    68     -17.086 -13.853  -2.978  1.00   .00          
ATOM   1110  CA  ILE    68     -17.613 -15.684  -1.969  1.00   .00          
ATOM   1111  HA  ILE    68     -17.663 -16.702  -2.322  1.00   .00          
ATOM   1112  CB  ILE    68     -16.745 -15.607   -.714  1.00   .00          
ATOM   1113  HB  ILE    68     -15.733 -15.898   -.959  1.00   .00          
ATOM   1114  CG1 ILE    68     -17.307 -16.551    .352  1.00   .00          
ATOM   1115 HG11 ILE    68     -18.375 -16.415    .427  1.00   .00          
ATOM   1116 HG12 ILE    68     -16.847 -16.332   1.304  1.00   .00          
ATOM   1117  CG2 ILE    68     -16.749 -14.175   -.177  1.00   .00          
ATOM   1118 HG21 ILE    68     -17.152 -13.511   -.927  1.00   .00          
ATOM   1119 HG22 ILE    68     -15.738 -13.877    .061  1.00   .00          
ATOM   1120 HG23 ILE    68     -17.358 -14.126    .713  1.00   .00          
ATOM   1121  CD1 ILE    68     -17.007 -18.000   -.038  1.00   .00          
ATOM   1122 HD11 ILE    68     -15.955 -18.102   -.261  1.00   .00          
ATOM   1123 HD12 ILE    68     -17.586 -18.266   -.910  1.00   .00          
ATOM   1124 HD13 ILE    68     -17.266 -18.654    .780  1.00   .00          
ATOM   1125  C   ILE    68     -19.018 -15.145  -1.685  1.00   .00          
ATOM   1126  O   ILE    68     -19.293 -13.975  -1.863  1.00   .00          
ATOM   1127  N   LEU    69     -19.910 -15.990  -1.244  1.00   .00          
ATOM   1128  HN  LEU    69     -19.668 -16.931  -1.107  1.00   .00          
ATOM   1129  CA  LEU    69     -21.296 -15.526   -.949  1.00   .00          
ATOM   1130  HA  LEU    69     -21.323 -14.451   -.865  1.00   .00          
ATOM   1131  CB  LEU    69     -22.130 -15.977  -2.149  1.00   .00          
ATOM   1132  HB1 LEU    69     -23.176 -15.968  -1.884  1.00   .00          
ATOM   1133  HB2 LEU    69     -21.839 -16.979  -2.432  1.00   .00          
ATOM   1134  CG  LEU    69     -21.896 -15.025  -3.323  1.00   .00          
ATOM   1135  HG  LEU    69     -20.889 -14.634  -3.274  1.00   .00          
ATOM   1136  CD1 LEU    69     -22.086 -15.780  -4.639  1.00   .00          
ATOM   1137 HD11 LEU    69     -22.990 -16.369  -4.589  1.00   .00          
ATOM   1138 HD12 LEU    69     -21.241 -16.431  -4.806  1.00   .00          
ATOM   1139 HD13 LEU    69     -22.162 -15.073  -5.452  1.00   .00          
ATOM   1140  CD2 LEU    69     -22.898 -13.871  -3.251  1.00   .00          
ATOM   1141 HD21 LEU    69     -22.566 -13.066  -3.889  1.00   .00          
ATOM   1142 HD22 LEU    69     -22.968 -13.518  -2.233  1.00   .00          
ATOM   1143 HD23 LEU    69     -23.867 -14.216  -3.580  1.00   .00          
ATOM   1144  C   LEU    69     -21.809 -16.177    .338  1.00   .00          
ATOM   1145  OT1 LEU    69     -22.949 -15.924    .693  1.00   .00          
ATOM   1146  OT2 LEU    69     -21.054 -16.918    .946  1.00   .00          
END
【００８６】
表Ａ及びＢは、最後から１行（すなわち、ENDの表示）を除いて、各原子の３次元座標を記述している。１列目のATOMはこの行が原子座標の行であることを示し、２列目は、その原子の順番を、３列目はアミノ酸残基等における原子の区別を、４列目はアミノ酸残基等を、５列目はその原子を含むアミノ酸残基の番号を、６、７、８列目はその原子の座標（Å単位）を示している。最終行は、この表の終わりの行であることを示している。なお、本表は当業者にとって一般的に用いられている表記法であるプロテイン・データ・バンクの形式に従って記述している。（９、１０列目はデータベースの形式に合わせるための数字であり、本発明においては特に意味のある数字ではなく、９列目はすべて1.00を、１０列目はすべて0.00を使用した。）
【００８７】
考察
CD2ドメインの立体構造
CD2ドメインは３本のβストランドからなる逆平行βシートと２本のαヘリックスから構成されていた。N末端から第１βストランド（β１）、ターン、第2βストランド（β２）、ループの後に第３βストランド、直後に約２ターンの第１αヘリックス（α１）、Pro残基により大きく折れ曲がり約３ターンの第２αヘリックス（α２）と続いてC末端に達する。
【００８８】
各２次構造領域を以下に示す。但し、CD２ドメインのN末端を１とする。
【００８９】
第1 βストランド   10Glu-20Leu
第2 βストランド   24Thr-33Trp
第3 βストランド   42Thr-45Asn
第1 αヘリックス   46Ala-53Ala 
第2 αヘリックス   55Glu-64Glu
N末端領域、C末端領域はdisorderであった。また、β２とβ３の間のループは、この領域のシグナルをNMRで観測することができなかった為にdisorderとなっている。β１ストランドとβ２ストランドとの逆平行βシートにおいて、10Gluから11Argと13Ileから14Aspの２箇所にβバルジ構造が見られた。
【００９０】
立体構造形成に重要と思われる残基を以下に示す。
【００９１】
9Pro, 12Ile, 13Ile, 27Leu, 29Tyr, 30Leu, 31Val, 33Trp, 43Trp, 49Ile, 50Val, 52Leu, 54Pro, 57Val, 60Phe, 61Gln
【００９２】
CD1ドメインの立体構造
CD1ドメインの構造はCD2ドメインの構造要素に加えて、第１βシートと第２βシートとの間のターンの部分に相当する領域に、ループおよびαヘリックスが存在していた。N末端から第１βストランド（β１）、第１ループ、1.5ターンの第１αヘリックス（α0）、第2βストランド（β２）、第２ループの後に第３βストランド、直後に１ターンの第１αヘリックス（α１）、大きく折れ曲がって約３ターンの第３αヘリックス（α2）と続いてC末端となる。各２次構造領域を以下に示す。但し、CD１ドメインのN末端を１とする。
【００９３】
第1 βシート       9Asp-15Arg
第2 βシート      41Glu-46Trp
第3 βシート      55Thr-58Thr
第1 αヘリックス  33Leu-39Asn
第2 αヘリックス  59Tyr-63Gly
第3 αヘリックス  66Arg-77Gln
【００９４】
N末端領域はdisorderであったが、C末端領域は一定の構造をとっていた。β２ストランドとβ３ストランドとの間のループはCD2ドメイン同様にNMRでシグナルを観測することができなかった為にdisorderとなっている。β１ストランドとβ２ストランドとの逆平行βシートにおいて、9Aspから10Ile、12Ileから13Asnの2箇所にβバルジ構造が見られた。
【００９５】
立体構造形成に重要と思われる残基を以下に示す。
【００９６】
8Ile, 11Val, 12Ile, 14His, 33Leu, 36Cys, 40Tyr, 42Phe, 43Leu, 44Ile, 46Trp, 56Trp, 62Ile, 65Val, 68Leu, 71Leu, 74Tyr, 75Cys, 78Phe, 79Ile, 80Ile
CD1ドメインの構造多型性が２つのCys残基、36Cysと75Cysの酸化還元状態（S-S結合形成）に起因していたことは上述したが、S-S結合の形成が分子内か分子間かは不明であった。決定した構造を見ると36Cysと75Cysは分子内部に埋もれ互いに近い距離にあった。（図８A）。よってS-S結合は分子内で形成されているが示唆された。1H-15N HSQCスペクトル（図８B）における酸化型と還元型のケミカルシフト差を図８Cに示す。１Hで0.1ppm以上、15Nで0.5ppm以上のケミカルシフト差を示した残基を今回決定した還元型の立体構造にマッピングしてみると、36Cysの位置するα０ヘリックスと75Cysの位置するα２ヘリックスに位置していた（図８D）。またケミカルシフト変化の程度は小さいがα１ヘリックスにも認められた。以上の結果から、36Cysと75CysのS-S結合は分子内で形成されている可能性が高いといえよう。また、大きなケミカルシフト変化が36Cys、75Cys周辺のヘリックスに限定して観測されていること、CSIから推定される２次構造が還元型と酸化型でほぼ同一であったことを考え合わせると、S-S結合によりその周辺に局所的な構造変化が生じるのみで、全体の構造としては還元型、酸化型でほぼ同一であると推定される。よって、酸化型の立体構造解析は側鎖の帰属を進行中ではあるが、一旦保留する。しかし、酸化型、還元型各々の基質結合能については今後検討する必要があろう。
【００９７】
CD1ドメインとCD2ドメインの構造比較
CD1ドメインとCD2ドメインとの構造を比較した。両ドメインの重ね合わせを図９に示す。よく重なった領域（CD1：8Ile-15Arg, 41Glu-46Trp, 54Asn-Glu57, 68Leu-Gln77, CD2：9Pro-16Gln, 28Gln-33Trp, 41Ala-44Glu, 54Pro-63Arg）について主鎖のR.m.s.dを計算したところ、0.84Åとなり大変類似していることがわかった。大きな相違点は、第一にβ１ストランドからβ２ストランドにかけてのトポロジーである。CD２ドメインではβ１ストランドが１１残基、β２ストランドが１０残基であり、CD1ドメインのβ１ストランドが７残基、β２ストランドが６残基であるのに対し長くなっている。しかしながら、CD2ドメインではβ１ストランドの後、３残基からなるターンでβ２ストランドに続くのに対し、CD1ドメインでは２５残基かけてβ２ストランドに達し途中αヘリックスを形成している。面白いことに類似した配列（CD1：１７KTSLEEG、CD2：１７RASLEDG）であるにもかかわらずCD２ドメインではその配列がβストランドおよびターンに使われているのに対し、CD1ドメインでは全てループとなっている。第二の相違点は、α１ヘリックスからα２ヘリックスにかけての領域にある。CD1ドメインではβ３ストランド後、α２へリックスまで７残基であり、そのうちの５残基でα１ヘリックスを形成し残り２残基（64Gln, 65Val）かけて大きく方向転換しα２ヘリックスへ達している。一方、CD2ドメインでは９残基であり、うち８基がα１ヘリックスに使われるがその後がPro残基（54Pro）であるため、１残基のみで大きな方向転換を可能としている。後述するように、α１ヘリックスはメチル化されたLys残基を含むN末端ヒストンテールの結合に関与している可能性が高いので、このような構造の違いが基質結合にどのように関わっているのかは大変興味深い。
【００９８】
２次構造に基づいてアライメントした結果、構造形成に重要と思われる残基は大変良く一致していた（図10A）。これらの残基は３次構造上においてもほぼ同じ箇所に位置していた（図10B）。続いて、CHDファミリーでこのような残基が保存されているのかを調べるために、マルチアライメントプログラム、Clustal Wによりアライメントしてみた（図11）。その結果、CD２ドメインではそれらの残基が全体的に保存されていた。CD1ドメインではβ１ストランド付近の残基以外は保存されていた。一見するとβ１ストランド周辺の領域には保存性がないように思われるが、上述したようにこの領域にはCD1、CD2いずれのドメインでもβバルジ構造が認められている。更に興味深いことに、今までに決定されているクロモドメインの構造を見てみると全てにβバルジ構造が同じ個所に形成されていた。ここで、βバルジ構造について詳しく見てみたい。
【００９９】
βバルジ構造とは端のβストランドで見られるβシートの水素結合パターンにおける不規則性であり、１残基以上が鎖の直線からそれる。βバルジ領域について５つの配列をアライメントしてみた。
【０１００】
CHD1 CD1          8I- 9D-10I-11V-12I-13N-
CHD1 CD2          9P-10E-11R-12I-13I-14D-
Clr4(1G6Z)       10V-11E-12R-13I-14V-15D-
HP1(1GUW)        23V-24E-25K-26V-27L-28D-
HP1(1KNA)        26V-27E-28K-29I-30I-31D-
Pc(1PDQ,1PFB)    28A-29E-30K-31I-32I-33Q-
【０１０１】
その結果、疎水性−酸性（βバルジ１）−X−疎水性−疎水性（βバルジ２）−D/N/Qというコンセンサス配列が認められた。これに注目して６つの構造のβバルジ構造を詳しくみてみるといくつかの共通点があることがわかった。第一βバルジ構造の第一残基はGluあるいはAspの酸性アミノ酸残基あり、この残基の主鎖NHと水素結合している主鎖COの残基は第２βストランドに位置しLysあるいはArgの塩基性アミノ酸残基である。即ち、主鎖は水素結合により側鎖は静電的相互作用により安定化している。第二βバルジ構造の第一残基はIle、Val、Leuといった疎水性残基であり、その主鎖NHと水素結合しているCOの残基はClr4とPc以外すべて疎水性アミノ酸残基である。よってこれらも主鎖の水素結合に加え、側鎖間の疎水性相互作用により安定化している。Clr4やPcではここはArgであるが、ValとArgのメチレン基との疎水性相互作用により安定化していると思われる。更に、第２βストランドのこの残基は、全クロモドメインで完全に保存されている第３ストランド上のTrpと疎水性相互作用している。注目すべきは、第一βバルジと第二βバルジの間に挟まれた残基である。ここはIleあるいはValの疎水性残基であり、分子内部に深く入り込み、疎水性コアの形成に大きく貢献している。図12に模式的に示すように、この残基と相互作用する残基は高度に保存されている。
【０１０２】
以上にように、βバルジ構造はクロモドメインの構造基盤に大変重要であることがわかった。
【０１０３】
βバルジ構造のコンセンサス配列に注目しながら、再度アライメントを見直してみるとCD1ドメインのほぼすべてにこの配列が存在していることが確認された。この点を踏まえ、また他領域にも多少手を加えアライメントを修正した（図13）。これを見ると構造形成に重要な残基がCHDファミリーを通して全体的に高く保存されていることから、類似したFoldingであることが推定された。但し、CD2ドメインはhuman CHD2を除きβ１とβ２ストランド間は短いが、CD1ドメインでは比較的長くなっている特徴がみられた。今回構造決定した出芽酵母CHD1のCD1ドメインではαヘリックスが挿入されていたが、他のCD1ドメインではこのαヘリックスの形成を安定化している残基が保存されていないことから出芽酵母CD1ドメインに限られた構造特徴である可能性が高いと思われる。
【０１０４】
CD1、CD2ドメインと他のクロモドメインとの構造比較  
クロモドメインの立体構造は現在までに３つのタンパク質について合計5個報告されている。CHD ファミリーのクロモドメインは未だ一例も報告されていない。
【０１０５】
マウスHP1b (MOD1, M31)のクロモドメインの単独構造(Ball, LJ., et al., EMBO.J, 1997, 16, 2473-2481)
分裂酵母Histone methyltransferase Clr4のクロモドメイン構造 (Horita, DA., et al., J.Mol.Biol., 2001, 307, 861-870)
マウスHP1bのクロモドメインと9Lysがメチル化されたヒストンH3ペプチドとの複合体構造 (Nielsen, PR., et al., Nature, 2002, 416, 103-107)
ショウジョウバエHP1のクロモドメインと9Lysがメチル化されたヒストンH3ペプチドとの複合体構造 (Jacobs, SA, Khorasanizadeh, S., Science, 2002, 295, 2080-2083)
ショウジョウバエPolycomb のクロモドメインと27Lysがメチル化されたヒストンH3との複合体 (Min, J., et al., Genes & Dev., 2003, 17, 1823-1828; Fischle, W., et al., Genes & Dev., 2003, 17, 1870-1881)
CD1、CD2ドメインの構造とこれらのクロモドメインの構造を比較した（図14）。
【０１０６】
〔実施例４〕
CD1ドメイン、CD2ドメイン及びCD3ドメインの各ドメインとヒストンペプチドとの相互作用
実験方法
緩衝液（10mM KPB(pH6.8), 20mM NaCl, (30mM d-DTT), 10% D2O）に溶けた0.1mM 15N標識試料に対し、CD1では298K、CD2、CD3では293KでBruker社製 AVANVE 600MHz NMR分光器により1H-15N HSQCスペクトルを測定した。試料を回収後、モル比が1:1になるように同緩衝液に溶けた5〜10mM 非標識ヒストンペプチド（配列番号１５〜２０）を添加し混合後、1H-15N HSQCスペクトルを測定した。再び試料を回収し、続いてモル比が1:4となるように非標識ヒストンペプチドを添加し、1H-15N HSQCスペクトルを測定した。
【０１０７】
実験結果
15N標識試料と非標識ヒストンペプチドとの混合モル比が1:0の1H-15N HSQCスペクトルと1:1及び1:4の1H-15N HSQCスペクトルを比較し、両者の相互作用の有無を調べた。その結果、すべてのスペクトルにおいてシグナルのケミカルシフトや強度に変化が認められなかったことから、相互作用を観察することができなかった。
【産業上の利用可能性】
【０１０８】
本発明の方法で製造した出芽酵母CHD1のクロモドメイン及びそのNMRスペクトルは、出芽酵母CHD1のクロモドメイン、そのホモログとの相互作用部位をターゲットにした医薬品の開発に利用することができる。例えば、様々な疾患において、転写活性の異常が見られるが、これらの転写活性の異常を制御する医薬品候補化合物のスクリーニングに利用することができる。
【図面の簡単な説明】
【０１０９】
【図１Ａ】クロマチン構造の構成成分を示す。ヒストンタンパク質（８量体）に146塩基のDNAが巻き付いてヌクレオソームが形成され、これを基本単位としてクロマチン構造が構成されている。
【図１Ｂ】クロマチン構造の階層性を示す。 DNAがヒストンタンパク質に巻きついてヌクレオソームを形成し、これがさらに高次に折りたたまれてクロマチンが構成される。
【図１Ｃ】クロマチンリモデリングの様子を示す。クロマチン構造が部分的に解かれると、DNA結合因子がDNAに接触可能となり、関連反応が開始される。
【図１Ｄ】ヒストンテールとヒストンコード説。ヒストンコード説とはヌクレオソームの外へ突き出たＮ末端テールやＣ末端テールの特定のアミノ酸残基がメチル化、アセチル化、リン酸化等の化学修飾を受けると、それらの組み合わせがコードとなり、それを認識するタンパク質が結合することにより転写制御などの生命事象を規定しているというものである。
【図２Ａ】出芽酵母CHD1の機能ドメインを示す。Ｎ末端から順に、２つのChromoドメイン（CD1, CD2）、SWI2/SNF2様のATPase/Helicaseドメイン、DNA結合ドメイン。
【図２Ｂ】クロモドメインCD1、CD2及びCD3ドメインの発現プラスミドベクターの作成方法を示す。
【図２Ｃ】クロモドメインCD1、CD2及びCD3ドメインの精製方法を示す。
【図２Ｄ】クロモドメインCD1、CD2及びCD3ドメインの発現確認、及び精製試料の1H-15N HSQCスペクトルを示す。左上はSDS-ポリアクリルアミド電気泳動の結果である。CD1、CD2及びCD3ドメインの1H-15N HSQCスペクトルと、一部分を拡大したCD3ドメインのスペクトルを示す。
【図３Ａ】CD1ドメインの構造多型性を示す1H-15N HSQCスペクトル。左図は未変性状態、右は尿素により変性させたCD1ドメインのスペクトルである。
【図３Ｂ】CD1ドメインの構造多型性を示す1H-15N HSQCスペクトル。ＡとＢの2つのパターンが観測されている。
【図３Ｃ】CD1ドメインのCβのケミカルシフトインデックス（CSI）を示す。36Cysと75Cysが大きな値を示したことから酸化状態であることがわかる。
【図３Ｄ】CD1ドメインの構造多型性はCys残基の酸化還元状態に起因する。Ａのパターンが酸化状態、Ｂのパターンが還元状態であることが明らかとなった。
【図４Ａ】ケミカルシフトインデックス（CSI）から予想されたCD1及びCD2ドメインの２次構造。CD1ドメインは酸化状態と還元状態においてそれぞれの２次構造は同じであることが示された。
【図４Ｂ】クロモドメインの配列アライメントを示す。上から順に、出芽酵母CHD1のCD1、CD2、マウスHP1b、ショウジョウバエHP1aのクロモドメインである。下にはHP1のクロモドメインと9Lysがメチル化されたヒストンH3ペプチドとの複合体構造を示している。
【図５】ＮＭＲスペクトルの一例。上図が3D CBCA(CO)NHと3D CBCAHNのスペクトル、下左図は3D HCCH-TOCSYスペクトル、下右図は立体特異的帰属のようすを示している。
【図６】図６は、CD2ドメインの溶液構造（立体図）を示す。Ａ：CD2ドメインの最終20 NMR構造のベストフィット。Ｂ：CD2ドメインの平均構造。
【図７】図７は、CD1ドメインの溶液構造（立体図）を示す。Ａ：CD1ドメインの最終20 NMR構造のベストフィット。Ｂ：CD1ドメインの平均構造。
【図８Ａ】CD1ドメイン構造中の２つのCys残基の位置。 36Cysと75Cysは互いに近くに位置している。
【図８Ｂ】酸化還元状態により構造多型性を示したシグナルの帰属。SSが酸化状態、SHが還元状態を示している。
【図８Ｃ】酸化還元状態により構造多型性を示す残基の二次構造上へのマッピング。ケミカルシフト差を示している。上は1H、下は15Nに対してプロットしている。中央には２次構造を示している。星印は観測されなかった、あるいは帰属されなかったアミノ酸残基を示している。
【図８Ｄ】酸化還元状態により構造多型性を示す残基の立体構造上へのマッピング。酸化還元状態で大きなケミカルシフト差が生じたアミノ酸残基を色づけしている。
【図９】CD1ドメインとCD2ドメインの立体構造比較。重なり合った領域のRmsdは0.84Åであった。大きな相違点とβバルジを点線で囲んでいる。
【図１０Ａ】CD1ドメインとCD2ドメインの構造に基づいた配列アライメントを示す。構造形成に重要と思われるアミノ酸残基を太字で示している。
【図１０Ｂ】CD1ドメインとCD2ドメインの構造比較（ステレオ図）。20個の主鎖構造の重ね合わせ。疎水性コアの形成に関与しているアミノ酸残基は側鎖も表示している。
【図１１】Clustal WプログラムによるCHDファミリーの配列アライメントを示す。
【図１２】CD1、CD2ドメイン及び他のクロモドメインにおいてβバルジとその周辺領域のアミノ酸残基間で高度に保存された相互作用ネットワークを模式的に示している。
【図１３】クロモドメイン構造のコンセンサスを考慮したCHDファミリーの配列アライメントを示す。高く保存されているアミノ酸残基を太字で示している。βバルジ構造の箇所を四角で囲んでいる。
【図１４】CD1、CD2ドメインとこれまでに構造決定されたクロモドメインとの構造比較を示す（リボン表示）。大きな相違点とβバルジを点線で囲んでいる。
【図１５】出芽酵母CHD1のクロモドメインCD1（酸化型）の1H-15N HSQCスペクトルを示す。
【図１６】出芽酵母CHD1のクロモドメインCD1（還元型）の1H-15N HSQCスペクトルを示す。
【図１７】出芽酵母CHD1のクロモドメインCD2の1H-15N HSQCスペクトルを示す。
【図１８】出芽酵母CHD1のクロモドメインCD3（酸化型）の1H-15N HSQCスペクトルを示す。
【図１９】出芽酵母CHD1のクロモドメインCD3（還元型）の1H-15N HSQCスペクトルを示す。
【配列表フリーテキスト】
【０１１０】
＜配列番号１＞
配列番号１は、出芽酵母CHD1のクロモドメインCD1のDNA配列を示す。
＜配列番号２＞
配列番号２は、出芽酵母CHD1のクロモドメインCD1のアミノ酸配列を示す。
＜配列番号３＞
配列番号３は、出芽酵母CHD1のクロモドメインCD2のDNA配列を示す。
＜配列番号４＞
配列番号４は、出芽酵母CHD1のクロモドメインCD2のアミノ酸配列を示す。
＜配列番号５＞
配列番号５は、出芽酵母CHD1のクロモドメインCD3のDNA配列を示す。
＜配列番号６＞
配列番号６は、出芽酵母CHD1のクロモドメインCD3のアミノ酸配列を示す。
＜配列番号７＞
配列番号７は、出芽酵母CHD1のクロモドメインCD1をコードするDNAを増幅するためのフォワードプライマーの配列を示す。
＜配列番号８＞
配列番号８は、出芽酵母CHD1のクロモドメインCD1をコードするDNAを増幅するためのリバースプライマーの配列を示す。
＜配列番号９＞
配列番号９は、出芽酵母CHD1のクロモドメインCD2をコードするDNAを増幅するためのフォワードプライマーの配列を示す。
＜配列番号１０＞
配列番号１０は、出芽酵母CHD1のクロモドメインCD2をコードするDNAを増幅するためのリバースプライマーの配列を示す。
＜配列番号１１＞
配列番号１１は、出芽酵母CHD1のクロモドメインCD3をコードするDNAを増幅するためのフォワードプライマーの配列を示す。
＜配列番号１２＞
配列番号１２は、出芽酵母CHD1のクロモドメインCD3をコードするDNAを増幅するためのリバースプライマーの配列を示す。
＜配列番号１３＞
配列番号１３は、ヒストンH3のアミノ酸配列を示す。
＜配列番号１４＞
配列番号１４は、ヒストンH4のアミノ酸配列を示す。
＜配列番号１５＞
配列番号１５は、ヒストンH3の4位のアミノ酸をジメチル化した部分ペプチドのアミノ酸配列を示す。
＜配列番号１６＞
配列番号１６は、ヒストンH3の9位のアミノ酸をジメチル化した部分ペプチドのアミノ酸配列を示す。
＜配列番号１７＞
配列番号１７は、ヒストンH3の27位のアミノ酸をジメチル化した部分ペプチドのアミノ酸配列を示す。
＜配列番号１８＞
配列番号１８は、ヒストンH3の36位のアミノ酸をジメチル化した部分ペプチドのアミノ酸配列を示す。
＜配列番号１９＞
配列番号１９は、ヒストンH3の79位のアミノ酸をジメチル化した部分ペプチドのアミノ酸配列を示す。
＜配列番号２０＞
配列番号２０は、ヒストンH4の20位のアミノ酸をジメチル化した部分ペプチドのアミノ酸配列を示す。
【図１Ａ】
2006125890.tif 000008
【図１Ｂ】
2006125890.tif 000009
【図１Ｃ】
2006125890.tif 000010
【図１Ｄ】
2006125890.tif 000011
【図２Ａ】
2006125890.tif 000012
【図２Ｂ】
2006125890.tif 000013
【図２Ｃ】
2006125890.tif 000014
【図２Ｄ】
2006125890.tif 000015
【図３Ａ】
2006125890.tif 000016
【図３Ｂ】
2006125890.tif 000017
【図３Ｃ】
2006125890.tif 000018
【図３Ｄ】
2006125890.tif 000019
【図４Ａ】
2006125890.tif 000020
【図４Ｂ】
2006125890.tif 000021
【図５】
2006125890.tif 000022
【図６】
2006125890.tif 000023
【図７】
2006125890.tif 000024
【図８Ａ】
2006125890.tif 000025
【図８Ｂ】
2006125890.tif 000026
【図８Ｃ】
2006125890.tif 000027
【図８Ｄ】
2006125890.tif 000028
【図９】
2006125890.tif 000029
【図１０Ａ】
2006125890.tif 000030
【図１０Ｂ】
2006125890.tif 000031
【図１１】
2006125890.tif 000032
【図１２】
2006125890.tif 000033
【図１３】
2006125890.tif 000034
【図１４】
2006125890.tif 000035
【図１５】
2006125890.tif 000036
【図１６】
2006125890.tif 000037
【図１７】
2006125890.tif 000038
【図１８】
2006125890.tif 000039
【図１９】
2006125890.tif 000040
【配列表】
2006125890000001.app